(57)【要約】本発明は、内部に少なくとも１つの収着剤が静止相として配置されると共に、香気成分を添加するため、収着剤に、移動相として、作業室を導通させ得る香気成分含有流体を、当てられ得る少なくとも１つの作業室（１２）を備え、少なくとも１つの作業室（１２）の全長に対する平均断面厚の比率を最大で０．３とする、香気成分を濃縮するための吸着システム（１０）に関する。本発明は、さらに、この種の吸着システム（１０）の運転方法に関する。【選択図】  図１
2018534049.tif 000002
【特許請求の範囲】
【請求項１】
内部に少なくとも１つの収着剤が静止相として配置されると共に、香気成分を添加するため収着剤に、移動相として、作業室を導通させることが可能な香気成分含有流体を当てることが可能である少なくとも１つの作業室（１２）を備える、香気成分を富化するための吸着システム（１０）であって、
前記少なくとも１つの作業室（１２）の全長に対する平均断面厚の比率が最大で０．３であることを特徴とする吸着システム（１０）。
【請求項２】
少なくとも２つの流体相互結合可能な作業室（１２ａ〜ｄ）と、前記流体を搬送して前記作業室（１２ａ〜ｄ）を流通させるため少なくとも１つのポンプ装置（１４）とを含むことを特徴とする請求項１記載の吸着システム（１０）。
【請求項３】
少なくとも１つのポンプ装置（１４）が作業室（１２）の上流に配置され、及び／又は、少なくとも１つのポンプ装置（１４）が２つの作業室の間に配置され、及び／又は、全ての作業室（１２ａ〜ｄ）が２つのポンプ装置（１４）の間に流体配置されていることを特徴とする請求項２記載の吸着システム（１０）。
【請求項４】
少なくとも１つの作業室（１２）の貫流を制御可能、及び／又は、調節可能にする少なくとも１つの弁装置（２０）を含むことを特徴とする請求項１〜３のいずれか一項記載の吸着システム（１０）。
【請求項５】
前記少なくとも１つの収着剤に、前記香気成分含有流体を当て、香気成分を前記収着剤に吸着させる吸着モードと、前記少なくとも１つの収着剤に流体脱着剤を当て、前記収着剤に吸着された香気成分を脱着させる脱着モードで吸着システム（１０）を運転するように形成された制御装置を含むことを特徴とする請求項１〜４のいずれか一項記載の吸着システム（１０）。
【請求項６】
前記脱着モードにおける前記脱着剤の流動方向を調節して、前記吸着モードにおける前記脱着剤の前記流動方向を前記香気成分含有流体の流動方向とは逆となるように、前記制御装置が形成されていることを特徴とする請求項５記載の吸着システム（１０）。
【請求項７】
前記吸着モードでは、前記香気成分含有流体に少なくとも２つの作業室（１２ａ〜ｃ）を並行して導通させ、及び／又は、前記脱着モードでは、前記脱着剤に少なくとも２つの作業室（１２ａ〜ｄ）を連続して導通させ、及び／又は、出口（１８）を介して前記脱着剤を吸着システム（１０）から搬出するように、及び／又は、前記脱着モードでは異なる脱着剤に少なくとも２つの作業室（１２ａ、１２ｂ）を導通させるように、前記制御装置が形成されていることを特徴とする請求項５又は６記載の吸着システム（１０）。
【請求項８】
少なくとも１つの作業室（１２）、及び／又は、前記流体及び／又は前記脱着剤、及び／又は、香気成分濃縮物の少なくとも一部を所定温度に調節可能な、少なくとも１つの温度調節装置（４０）を含むことを特徴とする請求項１〜７のいずれか一項記載の吸着システム（１０）。
【請求項９】
前記温度調節装置（４０）が、
−  温度調節のため１つの作業室（１２）が少なくとも領域ごとに少なくとも配置されている浸漬浴、及び／又は
−  マイクロウエーブ装置、及び／又は
−  高周波加熱装置、及び／又は
−  誘導加熱装置、及び／又は
−  電気加熱装置、及び／又は
−  高温ガス、蒸気及び／又は高温液体装置、及び／又は
−  加熱、及び／又は、冷却剤を当てることが可能な少なくとも１つの部屋、及び／又は
−  加熱、及び／又は、冷却剤を当てるため吸着システム（１０）の少なくとも一部の二重又は多重壁構造
を含むことを特徴とする請求項１〜８のいずれか一項記載の吸着システム（１０）。
【請求項１０】
前記制御装置が温度調節装置（４０）と結合され、前記吸着モードと前記脱着モードにおいては、前記温度調節装置（４０）の運転を変更できるように形成されていることを特徴とする請求項５〜７のいずれか一項及び請求項８又は９のいずれか一項記載の吸着システム（１０）。
【請求項１１】
前記作業室（１２）内に配置される収着剤に、前記吸着モードで吸着された酢酸エチルエステル、酪酸エチルエステル、イソブタノール、酢酸イソアミル、２−メチルブタン−１−オール、３−メチルブタン−１−オール、ヘキサン酸エチル、２−酢酸フェニルエチル及び２−フェニルエタノールの群からの少なくとも１つの香気成分の少なくとも２／３を脱着させるのに十分である脱着剤の容量Ｖ1が次数式（１）及び（２）、
Ｖ1≧０．０２５ｍ×少なくとも１つの作業室の平均断面積（単位・ｍ2）（数式１）；
Ｖ1≦８．０ｍ×少なくとも１つの作業室の平均断面積（単位・ｍ2）（数式２）；
に合致するように、少なくとも１つの作業室（１２）の断面積が選択されていること
を特徴とする請求項１〜１０のいずれか一項記載の吸着システム（１０）。
【請求項１２】
前記香気成分含有流体に、前記少なくとも１つの作業室（１２）を導通させる第１流体通路と、前記脱着剤に、前記少なくとも１つの作業室（１２）を導通させる第２流体通路とを含むことを特徴とする請求項１〜１１のいずれか一項記載の吸着システム（１０）。
【請求項１３】
前記第１及び前記第２流体通路が異なる長さ、及び／又は、異なる平均断面積、及び／又は、異なる容量を有することを特徴とする請求項１２記載の吸着システム（１０）。
【請求項１４】
少なくとも１つの作業室と流体結合可能な香気成分濃縮物の捕集用の収集容器（２８）、及び／又は、画分捕集器（２２）を含むことを特徴とする請求項１〜１３のいずれか一項記載の吸着システム（１０）。
【請求項１５】
少なくとも１つの作業室（１２）が、共通のハウジング（２６）内に入れ子式に配置され、前記少なくとも１つの吸着剤を配置する少なくとも２つの流体相互接続流路（２４）を含むことを特徴とする請求項１〜１４のいずれか一項記載の吸着システム（１０）。
【請求項１６】
相互に独立して香気成分含有流体、及び／又は、脱着剤を貫流させることが可能な少なくとも２つの作業室（１２ａ〜ｄ）を含むことを特徴とする請求項１〜１５のいずれか一項記載の吸着システム（１０）。
【請求項１７】
少なくとも１つの作業室（１２）がその縦軸（Ｌ）に沿って変化する断面積を有し、及び／又は、前記吸着システム（１０）が、平均断面積の異なる少なくとも２つの作業室（１２ａ〜ｄ）を含むことを特徴とする請求項１〜１６のいずれか一項記載の吸着システム（１０）。
【請求項１８】
前記少なくとも１つの作業室（１２）の全長が少なくとも２．５ｍであり、及び／又は、前記少なくとも１つの作業室（１２）の平均断面厚が３ｍｍ〜６．０ｍの間であり、及び／又は、前記少なくとも１つの作業室（１２）の全長に対する平均断面厚の比率が最大０．０４であることを特徴とする請求項１〜１７のいずれか一項記載の吸着システム（１０）。
【請求項１９】
前記酢酸エチルエステル、酪酸エチルエステル、イソブタノール、酢酸イソアミル、２−メチルブタン−１−オール、３−メチルブタン−１−オール、ヘキサン酸エチル、２−酢酸フェニルエチル及び２−フェニルエタノールの群から流体中に含まれる少なくとも１つの香気成分の少なくとも２／３が、少なくとも１つの収着剤に吸着するように、前記少なくとも１つの作業室（１２）の全長及び平均断面厚を、前記香気成分含有流体の所定の工程温度及び所定の平均パーコレーション速度における前記少なくとも１つの収着剤の収着特性に応じて選択することを特徴とする請求項１〜１８のいずれか一項記載の吸着システム（１０）。
【請求項２０】
少なくとも２つの作業室（１２ａ、１２ｂ）を含み、さらに、少なくとも１つの作業室（１２ａ）の容量を、前記少なくとも１つの収着剤に前記香気成分含有流体を当てるべき装入方向に対して下流に位置する作業室（１２ｂ）より小さくすることを特徴とする請求項１〜１９のいずれか一項記載の吸着システム（１０）。
【請求項２１】
前記吸着システムが前記少なくとも１つの収着剤に、前記流体脱着剤を当てることで得られる少なくとも１つの第１香気成分濃縮物を、少なくとも１つの透過物と、酢酸エチルエステル、酪酸エチルエステル、イソブタノール、酢酸イソアミル、２−メチルブタン−１−オール、３−メチルブタン−１−オール、ヘキサン酸エチル、２−酢酸フェニルエチル及び２−フェニルエタノールの群から１つ又は複数の香気成分に対するエタノールの比率が前記第１香気成分濃縮物の場合より小さい、少なくとも１つの第２香気成分濃縮物とに分離可能にする高濃縮装置（４２）を含むことを特徴とする請求項１〜２０のいずれか一項記載の吸着システム（１０）。
【請求項２２】
第２香気成分濃縮物中の酢酸エチルエステル、酪酸エチルエステル、イソブタノール、酢酸イソアミル、２−メチルブタン−１−オール、３−メチルブタン−１−オール、ヘキサン酸エチル、２−酢酸フェニルエチル及び２−フェニルエタノールの群から１つ又は複数の香気成分に対するエタノールの比率を第１香気成分濃縮物の場合より、少なくとも２だけ下げるように、前記高濃縮装置（４２）が形成されていることを特徴とする請求項２１記載の吸着システム（１０）。
【請求項２３】
前記高濃縮装置（４２）が、少なくとも１つの収着剤が静止相として内部に配置され、香気成分を添加するため、前記作業室（１２）を導通可能な前記香気成分濃縮物を移動相として当てることが可能な少なくとも１つの作業室（１２）を含むことを特徴とする請求項２１又は２２記載の吸着システム（１０）。
【請求項２４】
前記高濃縮装置（４２）の前記少なくとも１つの作業室（１２）が最小２．５ｍの全長を有し、及び／又は、前記高濃縮装置（４２）の前記少なくとも１つの作業室（１２）の平均断面厚が３ｍｍ〜６．０ｍであり、及び／又は、前記高濃縮装置（４２）の長さ２ｍ〜４ｍの作業室縦方向区間が有する容量Ｖ2が、第２香気成分濃縮物の最終容量に合致するように、前記高濃縮装置（４２）の前記少なくとも１つの作業室（１２）の形状が選択されていることを特徴とする請求項２３記載の吸着システム（１０）。
【請求項２５】
前記高濃縮装置（４２）が、好ましくは、パーコレーション速度少なくとも２０ｍｌ／（ｍｉｎ×ｃｍ2）で前記香気成分濃縮物に、前記少なくとも１つの作業室（１２）をポンプ導通させるように構成されていることを特徴とする請求項２３又は２４記載吸着システム（１０）。
【請求項２６】
前記高濃縮装置（４２）が、相互に流体結合可能な少なくとも２つの作業室（１２ａ〜ｄ）を含み、さらに、前記流体に前記作業室（１２ａ〜ｄ）を導通させるため、少なくとも１つのポンプ装置（１４）を１つの作業室（１２）の上流、及び／又は、２つの作業室（１２ａ〜ｄ）の間に配置し、及び／又は、全ての作業室（１２）を２つのポンプ装置（１４）の間に流体的に配置することを特徴とする請求項２３〜２５のいずれか一項記載の吸着システム（１０）。
【請求項２７】
少なくとも１つの収着剤に流体脱着剤を当て、前記収着剤に吸着された香気成分を、香気成分が富化された香気成分濃縮物として脱着させるように、前記高濃縮装置（４２）が形成されていることを特徴とする請求項２３〜２６のいずれか一項記載の吸着システム（１０）。
【請求項２８】
前記高濃縮装置（４２）が、前記高濃縮装置（４２）の少なくとも１つの領域を所定温度に調節可能な少なくとも１つの温度調節装置（４０）を含むことを特徴とする請求項２１〜２７のいずれか一項記載の吸着システム（１０）。
【請求項２９】
前記流体、及び／又は、前記少なくとも１つの脱着剤、及び／又は、前記第１、及び／又は、第２香気成分濃縮物のｐＨ値を調整、及び／又は、変更ができる調量装置を含むことを特徴とする請求項１〜２８のいずれか一項記載の吸着システム（１０）。
【請求項３０】
少なくとも１つの作業室（１２）が、少なくとも領域ごとに、ネジ形、及び／又は、らせん形、及び／又は、ジグザグ形、及び／又は、蛇行形に形成されていることを特徴とする請求項１〜２９のいずれか一項記載の吸着システム（１０）。
【請求項３１】
少なくとも１つの収着剤を、静止相として、前記吸着システムの前記少なくとも１つの作業室（１２）内に配置し、香気成分含有流体を移動相として貫流させ、その結果、前記流体中に含まれる香気成分の少なくとも一部が前記収着剤に吸着し、前記少なくとも１つの作業室（１２）の全長に対する平均断面厚の比率が最大０．３であることを特徴とする
請求項１〜３０のいずれか一項記載の吸着システム（１０）の運転方法。
【請求項３２】
流体として、少なくとも部分脱アルコールワインの香気成分含有蒸留物、及び／又は、香気成分含有膜透過物を使用し、及び／又は、エタノール含有率０容量％〜５０容量％の流体を使用することを特徴とする請求項３１記載の吸着システム（１０）の運転方法。
【請求項３３】
平均パーコレーション速度が少なくとも２０ｍｌ／（ｍｉｎ×ｃｍ2）で、前記流体に前記少なくとも１つの作業室（１２）を導通させることを特徴とする請求項３１又は３２記載の吸着システム（１０）の運転方法。
【請求項３４】
前記香気成分含有流体に、少なくとも２つの作業室（１２ａ〜ｄ）を並行して導通させ、及び／又は、前記流体に少なくとも２つの作業室（１２ａ〜ｄ）を連続して導通させ、さらに、好ましくは、下流に位置する少なくとも１つの作業室（１２ａ）は、上流に位置する少なくとも１つの作業室（１２ｂ）より大きな容量を有することを特徴とする請求項３１〜３３のいずれか一項記載の吸着システム（１０）の運転方法。
【請求項３５】
前記流体の導通時には、上流に位置する少なくとも１つの作業室（１２ａ）内の温度を、下流に位置する少なくとも１つの作業室（１２ｂ）より高い値に調節することを特徴とする請求項３４記載の吸着システム（１０）の運転方法。
【請求項３６】
流体から香気成分の少なくとも一部を吸着後、収着剤に流体脱着剤を当て、それによって、前記収着剤に吸着した香気成分の少なくとも一部を香気成分濃縮物として脱着させることを特徴とする請求項３１〜３５のいずれか一項記載の吸着システム（１０）の運転方法。
【請求項３７】
前記香気成分含有流体と比べて逆方向に、前記脱着剤に前記少なくとも１つの作業室（１２ａ〜ｄ）を導通させ、及び／又は、連続して前記脱着剤に前記少なくとも１つの作業室（１２ａ〜ｄ）を導通させ、及び／又は、差圧を高めて前記流体の前記流動方向とは逆に前記脱着剤をポンプ搬送することを特徴とする請求項３６記載の吸着システム（１０）の運転方法。
【請求項３８】
少なくとも２つの作業室（１２）を導通する際には、脱着剤グラジエントを使用して、及び／又は、同一の作業室（１２）から香気を段階的に脱着するため溶剤交換を利用して、及び／又は、異なる脱着剤に異なる作業室（１２ａ〜ｄ）を導通させ、及び／又は、異なる容量の脱着剤に異なる作業室（１２ａ〜ｄ）を導通させることを特徴とする請求項３６又は３７記載の吸着システム（１０）の運転方法。
【請求項３９】
異なる温度に調節された脱着剤に、異なる作業室（１２ａ〜ｄ）を導通させ、及び／又は、前記少なくとも１つの作業室（１２）の所定領域だけに脱着剤を当て、及び／又は、前記少なくとも１つの作業室（１２）に、標準圧力より高い圧力下をかけた脱着剤を当てることを特徴とする請求項３６〜３８のいずれか一項記載の吸着システム（１０）の運転方法。
【請求項４０】
少なくとも２つの脱着させられた画分を捕集することを特徴とする請求項３６〜３９のいずれか一項記載の吸着システム（１０）の運転方法。
【請求項４１】
エタノール、水、水蒸気及びエタノール・水混合物の群から少なくとも１つの脱着剤を使用することを特徴とする請求項３６〜４０のいずれか一項記載の吸着システム（１０）の運転方法。
【請求項４２】
前記流体中の出発濃度に関して、酢酸エチルエステル、酪酸エチルエステル、イソブタノール、酢酸イソアミル、２−メチルブタン−１−オール、３−メチルブタン−１−オール、ヘキサン酸エチル、２−酢酸フェニルエチル及び２−フェニルエタノールの群から１つ又は複数の香気成分の回収率が少なくとも２／３であり、及び／又は、前記流体中の前記出発濃度に関して、少なくとも３０モル％の酢酸エチルエステル、酪酸エチルエステル、イソブタノール、酢酸イソアミル、２−メチルブタン−１−オール、３−メチルブタン−１−オール、ヘキサン酸エチル、２−酢酸フェニルエチル及び２−フェニルエタノールの群から１つ又は複数の香気成分が回収され、及び／又は、前記流体中の前記出発濃度に関して、酢酸エチルエステル、酪酸エチルエステル、イソブタノール、酢酸イソアミル、２−メチルブタン−１−オール、３−メチルブタン−１−オール、ヘキサン酸エチル、２−酢酸フェニルエチル及び２−フェニルエタノールの群から１つ又は複数の香気成分の濃度が少なくとも１０倍に高められている香気成分濃縮物を製造することを特徴とする請求項３６〜４１のいずれか一項記載の吸着システム（１０）の運転方法。
【請求項４３】
流体として、少なくとも部分脱アルコールワインの香気成分含有蒸留物、及び／又は、香気成分含有膜透過物を使用し、前記第１香気成分濃縮物のエタノール量を、その脱アルコール前のワインのエタノール量の最大１／１０とすることを特徴とする請求項３６〜４２のいずれか一項記載の吸着システム（１０）の運転方法。
【請求項４４】
前記香気成分濃縮物のエタノール含有率を０．５容量％〜４０容量％の間の値に調整することを特徴とする請求項３６〜４３のいずれか一項記載の吸着システム（１０）の運転方法。
【請求項４５】
前記吸着システム（１０）の前記第１富化段階の少なくとも１つの作業室から前記第１香気成分濃縮物の少なくとも一部を、高濃縮装置（４２）によって、少なくとも１つの香気成分減損透過物と、少なくとも１つの香気成分が富化された第２香気成分濃縮物とに分離することを特徴とする請求項３６〜４４のいずれか一項記載の吸着システム（１０）の運転方法。
【請求項４６】
前記香気成分濃縮物に、収着剤が静止相として配置され、移動相として前記作業室（１２）を導通させられる香気成分濃縮物の香気成分が堆積する前記高濃縮装置（４２）の少なくとも１つの作業室（１２）を導通させることを特徴とする請求項４５記載の吸着システム（１０）の運転方法。
【請求項４７】
前記香気成分濃縮物に、前記高濃縮装置（４２）の全長が少なくとも２．５ｍの少なくとも１つの作業室（１２）を導通さセ、及び／又は、平均パーコレーション速度が少なくとも２０ｍｌ／（ｍｉｎ×ｃｍ2）で前記香気成分濃縮物に、前記高濃縮装置４２の少なくとも１つの作業室（１２）を導通させることを特徴とする請求項４６記載の吸着システム（１０）の運転方法。
【請求項４８】
前記少なくとも１つの収着剤に流体脱着剤を当て、前記収着剤に吸着した香気成分を第２香気成分濃縮物として脱着させ、その場合、少なくとも、酢酸エチルエステル、酪酸エチルエステル、イソブタノール、酢酸イソアミル、２−メチルブタン−１−オール、３−メチルブタン−１−オール、ヘキサン酸エチル、２−酢酸フェニルエチル及び２−フェニルエタノールの群から１つ又は複数の香気成分が、前記第１香気成分濃縮物に比べて好ましくは少なくとも１０倍に富化されることを特徴とする請求項４６又は４７記載の吸着システム（１０）の運転方法。
【請求項４９】
エタノール、水、水蒸気及びエタノール・水混合物の群からの少なくとも１つの脱着剤を使用することを特徴とする請求項４８記載の吸着システム（１０）の運転方法。
【請求項５０】
流体として、少なくとも部分脱アルコールワインの香気成分含有蒸留物、及び／又は、香気成分含有膜透過物を使用し、前記第２香気成分濃縮物のエタノール量を、その脱アルコール前のワインのエタノール量の最大１／１０とすることを特徴とする請求項４８又は４９記載の吸着システム（１０）の運転方法。
【請求項５１】
前記流体中の前記出発濃度に関して、酢酸エチルエステル、酪酸エチルエステル、イソブタノール、酢酸イソアミル、２−メチルブタン−１−オール、３−メチルブタン−１−オール、ヘキサン酸エチル、２−酢酸フェニルエチル及び２−フェニルエタノールの群から１つ又は複数の香気成分の回収率が少なくとも２／３であり、及び／又は、前記流体中の前記出発濃度に関して、少なくとも３０モル％の酢酸エチルエステル、酪酸エチルエステル、イソブタノール、酢酸イソアミル、２−メチルブタン−１−オール、３−メチルブタン−１−オール、ヘキサン酸エチル、２−酢酸フェニルエチル及び２−フェニルエタノールの群から１つ又は複数の香気成分が回収され、及び／又は、前記流体中の前記出発濃度に関して、酢酸エチルエステル、酪酸エチルエステル、イソブタノール、酢酸イソアミル、２−メチルブタン−１−オール、３−メチルブタン−１−オール、ヘキサン酸エチル、２−酢酸フェニルエチル及び２−フェニルエタノールの群から１つ又は複数の香気成分の濃度が少なくとも１０倍に高められている第２香気成分濃縮物を製造することを特徴とする請求項４８〜５０のいずれか一項記載の吸着システム（１０）の運転方法。
【請求項５２】
第１香気成分濃縮物、第２香気成分濃縮物、香気成分含有流体、脱香気透過物及び食品、及び／又は、嗜好品からなる群から少なくとも２つを混合することを特徴とする請求項３１〜５１のいずれか一項記載の吸着システム（１０）の運転方法。
【請求項５３】
ワイン、タバコ及びコーヒーの群から１つ又は複数から得られる、及び／又は、得られる香気成分含有流体を使用することを特徴とする請求項３１〜５２のいずれか一項記載の吸着システム（１０）の運転方法。
【請求項５４】
請求項１〜３０のいずれか一項記載の吸着システム（１０）を用いて、及び／又は、請求項３１〜５３のいずれか一項記載の方法を用いて、香気成分含有流体から得られる、及び／又は、得られる香気成分濃縮物。
【請求項５５】
前記香気成分含有流体は、ワイン、タバコ及びコーヒーの群から１つ又複数から得られることを特徴とする請求項５４記載に記載の吸着システム（１０）の運転方法。
【請求項５６】
請求項１〜３０のいずれか一項記載の吸着システム（１０）を用いて、及び／又は、請求項３１〜５３のいずれか一項記載の方法によって得られ得る、及び／又は得られる脱香気透過物。
【請求項５７】
少なくとも１つの食品、及び／又は、嗜好品を、請求項５４又は５５記載の香気成分濃縮物の群から１つ又は複数、及び／又は、請求項５６記載の脱香気透過物と混合することによって得られ得る、及び／又は得られる食品、及び／又は嗜好品。
【請求項５８】
ワイン、ワイン含有食品、及び／又は、嗜好品、タバコ、タバコ製品、コーヒー及びコーヒー含有食品及び嗜好品の群から１つ又は複数から選択されることを特徴とする請求項５７記載の食品、及び／又は嗜好品。
【請求項５９】
低アルコール又はノンアルコールであることを特徴とする請求項５７又は５８記載の食品、及び／又は嗜好品。
【発明の詳細な説明】
【技術分野】
【０００１】
本発明は、香気成分を富化するための吸着システム、並びに、かかる吸着システムの運転方法に関する。本発明は、さらに、香気成分濃縮物、脱香気透過物、並びに、食品及び／又は嗜好品に関する。
【背景技術】
【０００２】
数多くの分野において、香気成分及び香気成分混合物に対する需要拡大が続いている。この場合、香気成分とは、ほとんど全ての食品、飲料及び天然素材に含まれ、多種多様な製品に添加することができる人間が知覚可能な味覚及び／又は嗅覚成分であると理解される。例えば、香気成分は、化粧品及びボディーケア用品、洗浄剤、消臭剤、香水等の製造、並びに、室内の芳香付け又は食品の香気プロファイルに影響を与えるために使用される。通常は、香気成分は、実用上及び流通上の理由から、香気成分濃縮物として、つまり、純物質として、又は、濃縮溶液、懸濁液又は分散物の形で提供され、使用前には、場合により希釈される。香気成分濃縮物は香気成分含有溶出液から取得でき、例えば、蒸留により濃縮される。
【０００３】
香気成分濃縮物の取得方法が例えばＥＰ２０７５３２１Ａ１
【特許文献１】から知られている。この吸着方法では、流体として、１つ又は複数の香気成分を含む水性香気が提供される。香気成分含有流体はその後に、ソーベント又は吸着材とも呼ぶことができる仕事室内に配置される収着剤によって案内することができる。その際、流体中に含まれる１つ又は複数の香気成分の少なくとも一部が収着剤に吸着する。吸着された香気成分は続いて適当な脱着剤によって収着剤から脱着させられ、富化により濃度が開始濃度よりも上昇した香気成分を含む香気成分濃縮物として捕集される。
【０００４】
周知の吸着方法及びそのために使用される吸着システムの欠点は、元の流体中に存在する非極性香気成分の比較的わずかな濃縮しか可能ではないという状態である。これによって、真正な香気成分濃縮物を、すなわち、極性香気成分も非極性香気成分も流体中の出発濃度と比べて可能な限り均等に富化されている香気成分濃縮物を得ることは初めから不可能である。
【発明の概要】
【発明が解決しようとする課題】
【０００５】
本発明の目的は、真正な香気プロファイルを可能な限り広範に維持しつつ香気成分の特に高度な富化を可能にする吸着システムを作り出することにある。本発明のその他の目的は、流体中に存在する香気成分の濃縮度を高めることを可能にする、かかる吸着システムの運転方法を示すこと、並びに、吸着システム内で使用するための、真正な香気プロファイルを可能な限り広範に維持しつつ香気成分の特に高度な富化を可能にする作業室を開発することにある。
【課題を解決するための手段】
【０００６】
これらの目的は、本発明によれば、請求項１の特徴を有する香気成分の富化用の吸着システムと、請求項３１に記載のかかる吸着システムの運転方法と、請求項５４に記載の香気成分濃縮物と、請求項５６に記載の脱香気透過物と、請求項５７の特徴を有する食品及び／又は嗜好品とによって達成される。本発明の適切なさらなる展開を含めた有利な形態が各従属請求項に提示されており、各発明態様の有利な形態は各その他の発明態様の有利な形態であると見なされる。
【発明の効果】
【０００７】
本発明の６１態様は、少なくとも１つの収着剤が静止相として内部に配置され、香気成分の添加のために、作業室を導通可能な香気成分含有流体を移動相として当てることが可能な少なくとも１つの作業室を備える、香気成分富化用の吸着システムに関する。本発明によれば、少なくとも１つの作業室の全長に対する平均断面厚の比率を最大で０．３とすることを想定している。すなわち、本発明によれば、吸着システムに、香気成分含有流体と共に貫流可能な１つ又は複数の吸着剤を内部に配置可能な少なくとも１つの作業室を設けることを想定している。その場合、１つ又は複数の作業室の全長に対する平均断面厚の比率が最大で０．３となるように少なくとも１つの作業室の形状が選択されている。比率が最大で０．３の場合、全長に対する平均断面厚の比率は例えば０．３、０．２、０．１、０．０９、０．０８、０．０７、０．０６、０．０５、０．０４、０．０３、０．０２、０．０１、０．００９、０．００８、０．００７、０．００６、０．００５、０．００４、０．００３、０．００２、０．００１、１．０×１０-4、１．０×１０-5又はそれ以下であると理解するものとし、相応する中間値は原則的に同時に開示されていると見なされる。これによって、可能な限り長く、比較的幅が狭いソーベント床を提供し、それによって、その都度使用される１つ又は複数の吸着剤及び流体中に存在する香気成分分子の結合特性に応じて、極性香気成分も非極性香気成分も可能な限り均等に収着剤に吸着させることが可能である。それに応じて、吸着システムを用いて、特に真正な香気成分濃縮物を、すなわち、元の流体中に存在する全ての香気成分が少なくとも主として、又は基本的に均質かつ低損失で富化された状態にある香気成分濃縮物を製造することが可能である。さらに、本発明による吸着システムを用いて、非常に大きな富化係数を達成することが可能である。原則的には、全ての作業室の全長に対する平均断面厚の比率が少なくとも１．０×１０-7になると想定することができる。
【０００８】
元の流体に対する香気成分濃縮物中の少なくとも１つの香気成分の濃縮ないしは富化係数は、原則的には、少なくとも１．０１、特に少なくとも１０、好ましくは少なくとも１００、より好ましくは少なくとも１０００、及び特に少なくとも１５０００とすることができる。例えば、少なくとも１つの香気成分の濃縮係数は、少なくとも２、５、１０、５０、１００、５００、１０００、１５００、２０００、２５００、３０００、３５００、４０００、４５００、５０００、５５００、６０００、６５００、７０００、７５００、８０００、８５００、９０００、９５００、１００００、１０５００、１１０００、１１５００、１２０００、１２５００、１３０００、１３５００、１４０００、１４５００、１５０００、１５５００、１６０００、１６５００、１７０００、１７５００、１８０００、１８５００、１９０００、１９５００、２００００、２５０００、３００００、３５０００、４００００、４５０００、５００００、５５０００、６００００、６５０００、７００００、７５０００、８００００、８５０００、９００００、９５０００、１０００００又はそれ以上とすることができ、相応する中間値は原則的に同時に開示されていると見なされる。すなわち、香気成分が再び流体中と同じ出発濃度になるように、香気成分濃縮物を対応する倍率で再希釈しなければならない。濃縮係数が大きくなればなるほど、必要な貯蔵及び搬送面積は小さくなり、香気成分濃縮物の以降の処理がそれだけ簡単になる。さらに、濃縮と共に溶媒の比率が低下し、その結果、ハラール規定に適応するエタノール無含有香気成分濃縮物も製造可能となる。エタノール含有流体に関する本公開公報の範囲内において、代替的又は追加的に想定しているのが、香気成分濃縮物中における少なくとも１つの香気成分の濃縮係数ないしは富化係数を流体のエタノール含有率に関して決定すること、すなわち、エタノール以外の少なくとも１つの香気成分について、流体中及び香気成分濃縮物中における濃度ｃ（単位：ｍｏｌ／ｌ又はｇ／ｌ）の比率ｃ香気成分：ｃエタノールを求め、相互に比較するということであり、この場合、香気成分濃縮物中における濃度ｃ（単位：ｍｏｌ／ｌ又はｇ／ｌ）の比率ｃ香気成分：ｃエタノールは、流体中及び香気成分濃縮物中における濃度ｃ（単位：ｍｏｌ／ｌ又はｇ／ｌ）の比率ｃ香気成分：ｃエタノールよりも大きく、少なくとも１つの香気成分については、少なくとも１．０１、特に少なくとも１０、好ましくは少なくとも１００、より好ましくは少なくとも１０００、特に少なくとも１５０００である。これによって、原則的には、第１香気成分濃縮物の総容量を流体に比べてほとんど減少させないか、同一に保つか、又は増加させることさえ可能であるが、しかしそれに反して、エタノールは少なくとも１つの別の香気成分に関しては減損させられているので、香気成分濃縮物中では、エタノール濃縮物に対する香気成分濃縮物の比率を流体中よりも大きくすることができる。濃縮係数のこの定義の意味においては、エタノールは原則的には流体の香気全体に貢献することができるにもかかわらず、エタノールは香気成分であるとは理解されていない。すなわち、想定しているのは、香気成分濃縮物中の少なくとも１つの香気成分の濃度は流体中よりも高くなるということと、及び／又は、少なくとも１つの香気成分が、香気成分濃縮物中の流体に関して、エタノールに対して富化された状態になるということ、すなわち、香気成分濃縮物中のエタノールは少なくとも１つの香気成分の濃度に対しては減損させられているということである。この場合、少なくとも２つの香気成分、複数の香気成分、多数の香気成分、大多数の香気成分、又は流体中に含まれる全ての香気成分が、少なくとも１．０１という各濃縮係数を有することを想定している。
【０００９】
本発明の範囲内では、平均断面厚とは、１つ又は複数の作業室の全長にわたっての断面厚の算術平均であると理解されよう。最も簡単な事例では、作業室の横断面は円形であり、その結果、断面厚は作業室の内径に相当する。しかし、一般的には、横断面形状は特定のものに限定されてはおらず、例えば、長方形、多角形、楕円形、不規則形等とすることができる。全長は、単一の作業室の場合、その長さないしは高さ（流動方向）から求められ、２つ以上の作業室の場合、全ての作業室の長さないしは高さを加算することによって求められる。少なくとも１つの作業室には、好ましくは少なくとも５０容量％まで、１つ又は複数の収着剤が充填されている。例えば、各作業室には、少なくとも５０容量％、５５容量％、６０容量％、６５容量％、７０容量％、７５容量％、８０容量％、８５容量％、９０容量％、９５容量％、９８容量％、９９容量％又はそれ以上まで、１つの収着剤又は２つ以上の収着剤の混合物を充填しておくことができる。
【００１０】
本発明の範囲内では、香気成分とは、原則的には、風味及び／又は芳香成分であると理解されよう。流体は、好ましくは、標準条件（ＳＡＴＰ、標準周囲温度及び圧力、２５℃／１．０１３バール）下では液体及び／又は気体である。流体中の香気成分の総含有率は約９９容積％〜０．０００１容積％ないしは１ｐｐｂ（１μｇ／ｋｇ）以下とすることができ、流体の全ての内容成分は当然常に必ず１００％まで補充される。本発明の範囲内では、別段の指示がない限りは、パーセント表示は容積パーセントであると理解されよう。原則的には、香気成分は流体中で溶解させ、及び／又は、懸濁ないしは分散させることができる。それに応じて、ｐｐｍ（１００万分率）及びｐｐｂ（１０億分率）による表示は原則的には質量濃度であると理解されよう。香気成分は原則的には流体中に溶解及び／又は懸濁ないしは分散させることができる。場合により、流体はエタノール含有率を０．０００１容量％〜９９容量％とすることができる。つまり、流体の総香気成分含有率又はエタノール含有率は、例えば、０．０００１容量％、０．００１容量％、０．０１容量％、０．１容量％、０．２容量％、０．３容量％、０．４容量％、０．５容量％、０．６容量％、０．７容量％、０．８容量％、０．９容量％、１容量％、２容量％、３容量％、４容量％、５容量％、６容量％、７容量％、８容量％、９容量％、１０容量％、１１容量％、１２容量％、１３容量％、１４容量％、１５容量％、１６容量％、１７容量％、１８容量％、１９容量％、２０容量％、２１容量％、２２容量％、２３容量％、２４容量％、２５容量％、２６容量％、２７容量％、２８容量％、２９容量％、３０容量％、３１容量％、３２容量％、３３容量％、３４容量％、３５容量％、３６容量％、３７容量％、３８容量％、３９容量％、４０容量％、４１容量％、４２容量％、４３容量％、４４容量％、４５容量％、４６容量％、４７容量％、４８容量％、４９容量％、５０容量％、５１容量％、５２容量％、５３容量％、５４容量％、５５容量％、５６容量％、５７容量％、５８容量％、５９容量％、６０容量％、６１容量％、６２容量％、６３容量％、６４容量％、６５容量％、６６容量％、６７容量％、６８容量％、６９容量％、７０容量％、７１容量％、７２容量％、７３容量％、７４容量％、７５容量％、７６容量％、７７容量％、７８容量％、７９容量％、８０容量％、８１容量％、８２容量％、８３容量％、８４容量％、８５容量％、８６容量％、８７容量％、８８容量％、８９容量％、９０容量％、９１容量％、９２容量％、９３容量％、９４容量％、９５容量％、９６容量％、９７容量％、９８容量％又は９９容量％とすることができ、相応する中間値は同時に開示されていると見なされる。同様に流体はエタノール無含有であると想定することができる。さらに、流体は０．０００１容量％〜９９．９９９９容量％の水を含むことを想定できる。さらに原則的に想定できるのは、流体は、エタノールの代替又はエタノールの追加として、１つ又は複数のアルコール、例えば、Ｃ1−Ｃ5−アルコール、特に、メタノール、プロパノール、イソプロパノール、ブタノール、イソブタノール及び／又はｔｅｒｔ−ブタノール、並びに、場合により、群��6−Ｃ20以上からの１つ又は複数の高級アルコールを含むことである。収着剤は単一の化合物ないしは化合物等級（単一品種）から、又は、２つ以上の化合物ないしは化合物等級（混合）の混合物からなるものとすることができる。原則的には、複数の収着剤に同時に流体を当てること、ないしは、複数の収着剤を同一の作業室内に同時に配置しておくことが可能である。同様に想定することができるのは、複数の収着剤を流動方向から見て前後に配置しておくこと、ないしは、それらの収着剤に順々に流体を当てることが可能であるということである。本発明の範囲内では、「収着」という概念は、原則的に、収着剤への香気成分全種類の物理的及び化学的堆積、特に、吸着及び吸収工程であると理解されたい。それに応じて、本発明の範囲内では、「脱着」という概念は、原則的に、香気成分収着剤が収着剤から離れる全ての逆過程であると理解されたい。
【００１１】
本発明による吸着システムを用いて、異なる香気成分含有流体を加工することができる。流体は、ワイン、ワイン含有飲料、フルーツワイン、フルーツワイン含有飲料、フルーツ含有レモネード、アイソトニック飲料、リフレッシュ飲料、ネクター、果実及び野菜ジュース及びフルーツ及び／又は野菜ジュース調製品、インスタント飲料、エネルギードリンク（エナジードリンク）アルコール含有フルーツエキス、アルコール含有乳飲料、アルコール含有エッセンス、アルコール含有抽出物、アルコール含有フルーツ飲料、アニスリキュール、アペリチーフ、スピリッツ及びワインベースのディジェスティブ及びカクテル、アクアビット、アラック、ナシのモスト、ブランデー、火酒、コニャック、キュラソー、蒸留飲料、ジュニーバ、ジン、蜂蜜酒、キルシュ、コムブラント、リキュール、リキュールワイン、健胃薬草酒、蜜酒、果実酒、フルーツブランデー、パールワイン、ペパーミントリキュール、米アルコール、日本酒、ラム、酒、スパークリングワイン風ドリンク、ワイン、シュナップス、ゼクト、スパークリングワイン、ソフトスピリッツ、スピリッツ、二番搾りワイン、ダイジェスティブリキュール、ダイジェスティブシュナップス、としょう酒、ヴァインブラント、ウイスキー、ウオッカ、フルーツ及び／又は野菜モスト、特に、グレープモスト、の群から１つのアルコール含有、又は少なくとも高脱アルコール度食品であるか、又は、これらの食品の１つの任意混合物から構成されることを想定しておくことができる。代替的に、流体は、ワイン、ワイン含有飲料、フルーツワイン、フルーツワイン含有飲料、フルーツ含有レモネード、アイソトニック飲料、リフレッシュ飲料、ネクター、果実及び野菜ジュース及びフルーツ及び／又は野菜ジュース調製品、インスタント飲料、エネルギードリンク（エナジードリンク）アルコール含有フルーツエキス、アルコール含有乳飲料、アルコール含有エッセンス、アルコール含有抽出物、アルコール含有フルーツ飲料、アニスリキュール、アペリチーフ、スピリッツ及びワインベースのディジェスティブ及びカクテル、アクアビット、アラック、ナシのモスト、ブランデー、火酒、コニャック、キュラソー、蒸留飲料、ジュニーバ、ジン、蜂蜜酒、キルシュ、コムブラント、リキュール、リキュールワイン、健胃薬草酒、蜜酒、果実酒、フルーツブランデー、パールワイン、ペパーミントリキュール、米アルコール、日本酒、ラム、酒、スパークリングワイン風ドリンク、ワイン、シュナップス、ゼクト、スパークリングワイン、ソフトスピリッツ、スピリッツ、二番搾りワイン、ダイジェスティブリキュール、ダイジェスティブシュナップス、としょう酒、ヴァインブラント、ウイスキー、ウオッカ、フルーツ及び／又は野菜モスト、特に、グレープモスト、の群から１つのアルコール含有又は無含有、又は少なくとも高脱アルコール度食品であるか、又は、これらの食品の１つの任意の混合物から構成される、ないしは、構成されないことを想定しておくことができる。さらに、流体は、シュロ科又はヤシ科、バラ科、カバノキ科、イネ科及び／又はマメ科の群の有用植物から得られる、又は得られることを想定しておくことができる。さらに、流体は西洋アブラナの群から選択できる。流体は、ココヤシ、アーモンド、米、カラスムギ及び／又はハシバミを含むか、又は、それらであることができる。代替的又は追加的に、流体は大豆を含むことができ、特に、大豆、大豆粉、大豆の芽、豆腐、豆乳、醤油、大豆油、大豆ケーキ、バイオディーゼル、特に、大豆メチルエステル、大豆エキス、大豆レシチン等を含むか、又は、それらとすることができる。「ワイン」という概念は、本公開公報の範囲内では、ブドウの木の発酵した果実に由来し、少なくとも５．０容量％のアルコールを含有する飲料であると理解されよう。「脱アルコールワイン」という概念は、それに応じて、アルコール含有率が５．０容量％〜０容量％の間のワイン飲料であると理解するものとし、アルコール含有率の低下は、原則的には、脱アルコール及び／又は発酵停止ないしは不完全発酵によって達成することができる。
【００１２】
さらに、流体は、流体媒質（ガス相及び／又は液体相）又はそれらの混合物とすることができる。さらに、流体は植物のエッセンスとすることができる。さらに、流体は、例えば、イチゴ、リンゴ、ラズベリー、オレンジ、グレープフルーツ、レモン、サクランボ、モモ、バナナ、ナシ、黒スグリ、コーヒー、紅茶、オニオン、ニンニク、ネギ、肉、米、牛乳、トマト、ミント、ワイン、フルーツワイン、マンゴー、パッションフルーツ又はその他の果物又は野菜の水相香気とすることができる。さらに、流体は、バジリコ、ジャコウソウ、マヨラナ、ローズマリー、セイボリー、サルビア、ラベンダー、ミント、メリッサ、セリ、特に、アニス、キャラウェイ、コリアンダー、ディル、パセリ、レビスチチカム、チャービル、セロリ等、及び、オニオン類、特に、ニンニク、リーキ、チャイブ及び野ニラの群から１つ又は複数の香味野菜を含むか、又は、それらの香味野菜であるか、又は、それらの香味野菜から得ることができるか、又は得られる。
【００１３】
さらに、流体は、個別に、及び、任意の組み合わせで、以下の群から選択され、ないしは、得られるか、又は、得ることができ、さらに、花、葉、皮、樹皮、根、精油、気化精油のような全ての植物部分、発酵製品、バクテリア処理製品、酵素処理製品、真菌処理（酵母）製品、天然発酵製品、貯蔵／熟成による熟成製品からの香気成分含有エキスは、全ての組み合わせを含めて、同時に開示していると見なされる。
上記群とは、下記のものである：針葉樹、マツ科（ピナセアエ）、クロトウヒ（ピセア．マリアナ）、シロトウヒ（ピセア．グラウカ）、カナダツガ（ツガ．カナデンシス）、ヒノキ科（クプレッサセアエ）、コモンジュニバー（ユニペルス．コムイス）、モクレン綱（マグノリオプシーダ）、バンレイシ科（アノナセアエ）、クロコショウ（クシロピア・アエチオピカ）、イランイランノキ（カナンガ・オドラタ）、ヒョウタンノキ（モノドラ・ミュスティカ）、トウシキミ科（シサンドラセアエ）、スターアニス（リリシウム・ヴェルム）、クスノキ科（ラウラセアエ）、セイロンニッケイ（シナモムム・ベルム）、トンキンニッケイ（シナモムム・カシア）、アニバ（アニバ・ロサエドラ）、クローブ（ディシペリウム・カリオフィラセウム）、真正ローレル（ラウルス・ノビリス）、サッサフラス（サッサフラス・アルビードゥム）、ニクズク科（ミュリスティカセアエ）、ニクズクの木（ミュリスティカ・フラグランス）、コショウ科（ピペラセアウエ）、メキシカンペッパーリーフ（ピーペル・アウリトム）、コショウ（ピーペル・ニグルム）、ジャワコショウ（ピーペル・クベーバ）、ヒハツ（ピーペル・ロングム）、タスマニアシキミモドキ、タスマニアコショウ（タスマニア・ランセオラータ）、単子葉植物、サトイモ科（アラセアエ）、ショウブ（アコルス・カラムス）、セキショウ（アコルス・グラミネウス）、ショウガ科（ジンギベラセアエ）、グリーンカルダモン（エレタリア・カルダモムム）、ギニアショウガ（アフラモムム・マレグエタ）、ブラックカルダモン（アモムム・スブラトム）、ガランガ（アルピニア・ガランガ）、マンゴーショウガ（クルクマ・アマーダ）、ターメリック（クルクマ・ロンガ）、ガジュツ（クルクマ・ゼドアリア）、バンウコン（カエムフェリア・ガランガ）、ショウガ（ジンギバー・オフィシナーレ）、ネギ科（アリアセアエ）、エシャロット（アリウム・アスカロニウム）、ネギ（アリウム・フィスツロスム）、リーキ（アリウム・ポルム）、ニンニク（アリウム・サティバム）、ワケギ属（アリウム・セパバルプロリフェルム）、ヒメニンニク（アリウム・スコロドプラスム）、チャイブ（アリウム・スケノプラスム）、ニラ（アリウム・ツベロスム）、ラムソン（アリウム・ウルシヌム）、サルトリイバラ（スミラカセアエ）、メキシカンサルサパリラア（スミラックス・アリストロキアエフォリア）、サルサパリラ（スミラックス・レゲーリ）、ラン科（オルキダセアエ）、バニラ（バニラ・プラニフォリア）、タヒチバニラ（バニラ・タヒテンシス）、バニラポンポナ、サレップ（各種のラン地上根茎）、アヤメ科（イリダセアエ）、サフラン（クロクス・サティバス）、カンゾウ（ポアセアエ又はグラミネアエ）、レモングラス（シンボポ・ゴンシトタタス）、東インドレモングラス（シンボポ・ゴンフレクソスス）、スイートグラス（ヒエロクロエオドラータ）、ベチバー（べチベリア・・ジザニオイデス）、広葉双子葉植物、オミナエシ科（バレリアナシエ）、真正セイヨウカノコソウ（バレリアナ・オフィシナリス）、ムラサキ科（ムラサキ科）、ルリジサ（ボラゴ・オフィシナリス）、ヒレハリソウ（シンフィトム・オフィシナーレ）、セリ科（アピアセアエ／ウンベリフェラエ）、ディル（アネトム・グラベオレンス）、インノド（アネトム・ソーワ）、トウキ（アンゲリカ・アルカンゲリカ）、パープルアンゲリカ（アンゲリカ・アトロプルプレア）、真正チャービル（アントリスクス・セレフォリウム）、真正セロリ（アピウム・グラベオレンス・ｖａｒ．ドルセ）、ブニウムペルシクム、真正キャラウェイ（カルム・カルビィ）、真正コリアンダー、コリアンダー（コリアンドゥルム・サチブム）、ミツバ（クリプトタエニア・ジャポニカ）、クミン（クミヌム・シミヌム）、ノコギリコリアンダー（エリンギウム・フォエティドゥム）、アサフェティダ（フェルーラ・アサフォエティダ）、フェンネル（フォエニクルム・ブルガーレ）、シルフィウム、キャラウェイ（ラセルピティウム・シーラル）、ラベージ（レビススティクム・オフィシナーレ）、ベールブルツ（メウム・アタマンティクム）、スイートシスリー（ミュルヒス・オドラータ）、パースニップ（パスティナカ・サティバ）、パセリ（ペトロセリヌム・クリスプム）、アニス（ピンピネラ・アニスム）、ピンピネラ・マヨール（ピンピネラ・マヨール）、ピンピネラ・サキシフレージ（ピンピネラ・サキシフレーガ）、アジョワン（トラキスメペルムム・アミ）、クラツヅラ科（ベルベナセアエ）、レモンバーベナ（アロイシア・シトロドーラ）、メキシコオレガノ（リッピア・グラベオレンス）、ヒユ科（アマランタセアエ）、アリタソウ（デュスファニア・アンブロシオイデス）、ヤマモモ科（ミュリカセアエ）、セイヨウヤチヤナギ（ミュリカ・ガーレ）、ラナンキュラス科（ラヌンクラセアエ）、真正ニオイフクロタネソウ（ニゲラ・サティバ）、クロタネソウ（ニゲラ・ダマスセナ）、アサ科（カナバセアエ）、アサ（カナビス・サティバ）、ツツジ科（エリカセアエ）、ウインターグリーン（ガウルテリア・プロクムベンス）、マメ科（ファバセアエ）、クマル（ディプテリクス・オドラータ）、ヒロハフサマメノキ（パルクラ・ビグロボサ）、タマリンド（タマリンドゥス・インディカ）、フェヌグリーク（トリゴネラフォエヌム・グラエクム）、レイリョウコウ（トリゴネラ・カエルレア）、フウチョウソウ科（カパラセアエ）、真正ケッパー（カパリス・スピノサ）、ノウゼンハレン科（トロパエオラセアエ）、キンレンカ（トロパエオルム・マユス）、タデ科（ポリゴナセアエ）、ヤナギタデ（ペルシカリア・ヒドロピーパー）、スイバ（ルメックス・アセトーサ）、フレンチスイバ（ルメックス・スクタータス）、キク科（アステラセアエ）、セイヨウノコギリソウ（アキレア・ミレフォリウム）、ノコギリソウ（アキレア・デコロランス）、ローマンカモミール（アンテミス・ノブリス）、ニガヨモギ（アルテミシア・アブシンティウム）、オウシュウヨモギ（アルテミシア・アブガリス）、ダバナ（アルテミシア・パレンス）、エストラゴン（アルテミシア・ドラクンクルス）、サザンウッド（アルテミシア・アブロタヌム）、キンセンカ（カレンドゥラ・オフィシナレス）、コストマリー（クリサンテムム・バルサミタ）、タンジー（クリサンテムム・ブルガリス）、ムカシヨモギ、ヒメムカシヨモギ（エリゲロン・カナデンシス）、カレープラント（ヘリクリスム・イタリクム）、オグルマ（ルナ・ヘレニウム）、カミール（マルトリカリア・カモミラ）、スイートゴールデンロッド（ソリダゴ・オドラ）、シオザキソウ（タゲテス・ミヌータ）、セイヨウタンポポ、タンポポ類（タラクサクム・オフィシナーレ）、アブラナ科（ブラシカセアエ、旧クルシフェラエ）、ガーデンクレス（レピディウム・サティブム）、クレソン（ナストリテウム・オフィシナーレ）、ホースラディッシュ（アルモラシアラ・パティフォリア）、スプーンワート（コクレアリア・オフィシナリス）、シロガラシ（シナピス・アルバ）、クロガラシ（ブラシカ・ニグラ）、ルッコラ、キバナスズシロ（エルーカ・サティバ）、ワサビ（エウトレーマ・ジャポニカ）、シソ科（ラミアセアエ）、ロックタイム、ロックカラミント（アシオス・アリピヌス、同義語：サトレイア・アシノス）、アニスヒソップ（アガスタ・ケフォエニクルム）、コリアミント、東アジアの巨大ヒソプ（アガスタケ・ルゴサ）、メキシコカワミドリ（アガスタケ・メキシカーナ）、ニンディ（アエオランタス・ヘリオトロポイデス及びアネオアンタス・プベッセンス）、スパニッシュタイム、ジャマイカタイム（プレクトランタス・アンボイニクス（Ｌｏｕｒ．）関連同義語：コレウス・アムボインクスＬｏｕｒ．プレクトランタス・アロマティクス Ｒｏｘｂ．）、ロックミント（クニラ・オリガノイデス）、真正ラベンダー（ラバンドゥラ・アングスフォリア）、スパイクラベンダー（ラバンドゥラ・ラティフォリア）、フレンチラベンダー（ラバンドゥラ・ストエカス）、セイヨウイヌゴマ、カッコウチョロギ（スタッキス・オフィシナリス）、チョロギ（スタッキス・オアフィニス）、ヨーロッパニガクサ（テウクリウム・スコロドニア）、ウオールジャーマンダー（テウクリウム・カマエドリス）、ヒソプ、真正ヒソプ（ヒサオプス・オフィシニアリス）、カキドオシ、カントリソウ（グレコーマ・ヘデラセア）、メグサハッカ、アメリカンペニーロイヤル（ヘデオマ・プレグロイデス）、ニオイニガクサ（ヒプティス・スアベオレンス）、ホアハウンド（マルビウム・ブルガーレ）、ヨーシュハッカ、クールミント（メンタ・アルベンシス）、アップルミント（メンタ・ロトンディフォリア）、スペアミント（メンタ・スピカタ）、パイナップルミント（メンタ・ロトンディフォリア・ｖａｒ．バリエガタ）、ホースミント、ナガバハッカ、ホワイトミント（メンタ・ロンギフォリア）、ペパーミント（メンタ・ピペリア）、イエルバブエナ（メンタ・ネモロサ及びメンタ・サティブス）、ウオーターミント（メンタ・アクアティカ）、カーリーミント（メンタ・スピカタ・ｖａｒ．クリスパ）、ベルガモンミント（メンタ・シトラータ）、ジンジャーミント（メンタ・ゲンティリス）、イングリッシュホースミント（メンタ・ビロッサ・ネルバタ）、ペニーロイヤルミント（メンタ・プレグルム）、セイヨウヤマハッカ、レモンバーム（メリッサ・オフィシナリス）、タイマツバナ（モナルデ・ディデュマ）、ヤグルマハッカ（モナルダ・フィストロサ）、レモンミント（モルダナ・シトリオドーラ）、キャットニップ（ネペタ・カタリア）、バジル、バジリコ（オシムム・バシリクム）、クレタハナハッカ（オリガヌム・ディク��ムヌス）、ミモザプーディカ（オシムム・ビリーデ）、オレガノ、野生マヨナラ、野生マジョラン、多年草マジョラン（オリガヌム・ブガーレ）、ギリシャオレガノ（オリガヌム・ブガーレ・ｓｕｂｓｐ．ヒルトム）、マジョラン、マヨナラ、１年草マジョラン（オリガヌム・マヨラーナ、同義語：マヨラーナ・ホルテンシス、）、シリアヒソプ（オリガヌム・シリアクム）、エゴマ（ペルラ・フルテッセンス）、マンネンロウ、ローズマリー（ロスマリヌス・オフィシナリス）、単純なサマーセイボリー、ガーデンサマーセイボリー、バジリコ、バイツクラウト（＝サマーセイボリー［オーストリア］）（サトレジャ・ホルテンシス）、マウンテンセイボリー、ウインターセイボリー（サトレジャ・モンタナ）、真正サルビア（サルビア・オフィシナリス）、メドーセージ（サルビア・プラテンシス）、クラリーセージ（サルビア・スクラレア）、タイム、ガーデンタイム、真正タイム（ティムス・ブルガリス）、クリーピングタイム（ティムス・セルピルム）、スパニッシュマジョラン（ティムス・マスティキーナ）、地中海セージ（ティンブラ・カピタータ）、フトモモ科（ミュルタセアエ）、グローブ、チョウジノキ（シジギウム・アロマティクム）、ギンバイカ（ミュルタス・コムニス）、ユーカリ（エウカリプタス）、ピメント（ピメンタ・ディオイカ）、サラムリーフ（シジギウム・ポリアントム）、ナス科（ソラナセアエ）、トウガラシ（カプシクム・アヌム）、カイエンヌ（カプシクム・アヌム・ｖａｒ．アクミナートム）、キダチトウガラシ、シネンセ属、アヒ・アマリージョ、ロコト、タデシコ科（カリオフィラセアエ）、カーネーション（ディアンタス・カリオフィルス）、スベリヒユ科（ポルトラカセアエ）、スベリヒユ（ポルトラカ・サティバ）、ミカン科（ルタセアエ）、ボロニア・メガステイグマ（ボロニア・メガステイグマ）、コブミカン（シトラス・ヒストリックス）、ハクセン（ディクタヌス・アルブス）、ヘンルーダ（ルタ・グラベオレンス）、サンショウ（ザントキシルム・ピペリトム）、ライム（シトラス・アウランティフォリア）、オオバゲッキツ（ベルゲナ・コエニギー）、アカネ科（ルビアセアエ）、セイヨウカワラマツバ（ガリウム・ベルム）、バラ科（ロサセアエ）、ロサ・スピノシマ（ロサ・スピノシマ）、ダマスクバラ（ロサ・ダマスケナ）、ロサ・ガリカ（ロサ・ガリカ）、イヌバラ（ロサ・カニーナ）、ハマナ
ス、ローズヒップ（ロサ・ルゴサ）、ノイバラ（ロサ・ムルティフローラ）、ロサ・モスカタ（ロサ・モスカタ）、スイートブライヤー（ロサ・エグランテリア）、プロバンスローズ（ロサ・ケンティフォリア）、ワレモコウ（サングイソルバ・オフィシナリス）、オランダワレモコウ又はサラダバーネット（サングイソルバ・ミノール）、ログベンシモツケソウ（フィルペンドゥラ・ブルガリス）、真正セイヨウナツユキソウ（フィルペンドゥラ・ウルマリア）、カタバミ科（オクサリダセアエ）、オクサリス・ビオラセア（オクサリス・ビオラセア）、コミヤマカタバミ（オクサリス・アセトセラ）、ゴマ科（ペダリアセアエ）、ゴマ（セサムム・インディクム）、フクロソウ科（ゲラニアセアエ）、ニオイテンジクアオイ（ペラルゴニウム・グラベオレンス）、ウルシ科（アナカルディアセアエ）、ブラジルコショウ、ピンクペッパー、ポアブル・ロゼ、ペッパーベリー（スキヌス・テレビンティフォリウス）、ペルー、ピンクペッパー、ポアブル・ロゼ、ペッパーベリー（スキヌス・モレ）、スマック（ルス・コリアリア）、スミレ科（ビオラセアエ）、ニオイスミレ（ビオラ・オドラータ）、オオバコ科（プランタギナセアエ）、シソクサ（リムノフィラ・アロマティカ）、（葉野菜類）、チシャ、レタス（ラクトカ・サティバ属．）、結球レタス、バタヴィア（ラクトカ・サティバ属．ｖａｒ．カピタータ属）、リーフレタス（ラクトカ・サティバ属・ｖａｒ．クリスパ属）、ロメインレタス（ラクトカ・サティバ属・ｖａｒ．ロングフォリア属）、ステムレタスロメインレタス（ラクトカ・サティバ属ｖａｒ．アウグスターナ）、コモンチコリー（チコリウム・インテュバス）、（葉野菜類）、チコリー（チコリウム・インテュブ・ｖａｒ．フォリオスム）、（種類：シュガーハット、ラディッキオ）、エンダイブ（チコリウム・エンディビア）、ルッコラ、ロボウガラシ（ディプロタクシス・テヌイフォリア又はエルーカ・サティバ）、フダンソウ（ベータ・ブルガリス・ｓｕｂｓｐ．ブルガリス）（アカザ科）、ホウレンソウ（スピナキア・オレラセア Ｌ．）（アカザ科）、ヨウサイ（イポモエア・アクアティカ  ＦＯＲＤＳＳＫ．）（ヒルガオ科）、ヤマホウレンソウ（アトリプレックス・ホルテンシス Ｌ．）、（アカザ科）、オランダガラシ（ナストリテウム・オフィシナーレ Ｒ．ＢＲ．）（アブラナ科）、スベリヒユ（ポルテュラーカ・ｓｕｂｓｐ．サティバ（ＫＡＷ．）（≡ＥＬ．）（スベリヒユ科）、マイナーズレタス（＝スプリングビュティー、冬スベリヒユ）（クレイトニア・ペルフォリアータ  ＤＯＮＮ．ＥＸ  ＷＩＬＬＤ）（スベリヒユ科）、ツルムラサキ、インディアンスピナッチ（バセラ・アルバ）、ツルナ、ハマジシャ（テトラゴニア・テトラゴニオイデス）、オランダセンンチ（アクメラ・オレラセア属）Ｒ．Ｋ．ＪＡＮＳＥＮ）（キク科植物）、シマツナソ（コルコルス・オリトリウス属）、アイスプラント（メッセンブリアテムム・クリスタリウム）（ハマミズナ科）、ワスレグサ、例えば、オレンジ色のワスレグサ（ヘメロカリス・ブルバ  Ｌ．）（ワスレグサ科）、スロトベリーブライト（ケノポディウム・カピタートム（Ｌ．）ＡＳＣＨ．）（アガサ科）、グッド・キングヘ���リー（ケノポディウム・ボヌスヘンリクス  Ｌ．）ＡＳＣＨ．）（アカザ科）、ブラッディドッグ（ルメックス）（タデ科）、サラダ用野菜、キャベツ、キャベツ（ブラシカ）、（アブラナ科植物）を参照、地中海キャベツ（Ｂ．フルティクローサ）、カラシナ又はインドマスタード又はブラウンマスタードが挙げられる（Ｂ．ユンセア）、セイヨウアブラナ又はルタバガ（Ｂ．ナプス）、スウェーデンカブ、ルタバガ、カブカンラン（Ｂ．ナプス・ｓｕｂｓｐ．ラピフェリア  ＭＴＺＧ）、セイヨウアブラナ（Ｂ．ナプス・ｓｕｂｓｐ．ナプス属）、シュニットコール（Ｂ．ナプス・ｓｕｂｓｐ．プブラリア属）、クロガラシ（Ｂ．ニグラ（属）ＫＯＣＨ）、野生カンラン（Ｂ．オレラセア属）、カリフラワー（Ｂ．オレラセア・ＶＡＲ．・ボトリティス属）、ロマネスコ（Ｂ．オレラセア・ｃｏｖａｒ．ボトリティス・ＶＡＲ．ボトリティス属）、ブロッコリー（Ｂ．オレラセア・ＶＡＲ．イタリカ・プレンク）、カブハボタン（Ｂ．オレラセア・ＶＡＲ．ゴンゴドーレス）、キャベツ（Ｂ．オレラセア・ｃｏｖａｒ．カピタータ属）、アカキャベツ（ブラシカ・オレラセア・ｃｏｖａｒ．カピタータ・ｖａｒ．ルブラ属）、シロキャベツ（ブラシカ・オレラセア・ｃｏｖａｒ．カピタータ・ＶＡＲ.アルバ属）、シュピッツコール、ヴィルジング、サボイキャベツ（ブラシカ・オレラセア・ｃｏｖａｒ．カピタータ・ＶＡＲ．サベリカ属）、メキャベツ（Ｂ．オレラセア・ＶＡＲ．ゲミフェラ ＤＣ）、チリメンキャベツ、「ムラサキキャベツ」（Ｂ．オレラセア・ＶＡＲ．サベリカ属）、アブラヤシの若葉（Ｂ．オレラセア・ＶＡＲ．パルミフォリア ＤＣ）、飼料用キャベツ（Ｂ．オレラセア・ＶＡＲ．メルドサ Ｔｈｅｌｌ）、ブラッシカ・ラパ（ブラッシカ・ラパ属）、ターニップラペ（Ｂ．ラパ・ｓｕｂｓｐ．オレイフェラ）、ハクサイ（Ｂ．ラパ・ｓｕｂｓｐ．ペキネンシス）、パクチー（Ｂ．ラパ・ｓｕｂｓｐ．キネンシス）、カブ、カブラ、カブナ、カブラナ、ホウサイ（Ｂ．ラパ・ｓｕｂｓｐ．ラパ）、茎カブ（純粋な葉物野菜として）、チョウセンアザミ、アーティチョーク（シナーラ・スコリムス）（キク科植物）、ズッキーニ（クルクビタ・ペポ・ｓｕｂｓｐ．ペポ・ｃｏｖａｒ．ギロモンティーナ）（カボチャ科）、カリフラワー（Ｂ．オレラセア・ＶＡＲ．ボトリティス属）、ブロッコリー（Ｂ．オレラセア・ｓｕｂｓｐ．イタリカ・プレンク）、ロマネスコ（Ｂ．オレラセア・ｃｏｖａｒ．ボトリティス・ｓｕｂｓｐ．ボトリティス属）、ユリ（リリウム  Ｌ．）ユリ科、ダリア（ダヒラＣＡＶ．）（キク科植物）、ケーパー（カパリス・スピノサ）（アブラナ属）、果物野菜、ウリ科、カボチャ亜科、スイカ属、スイカ（シトルルス・ラナタス（ＴＨＵＮＢ．）ＭＡＴＳＵＭ．＆ＮＡＫＡＩ．）、キュウリ（ククミス属）、ウリ（ククミス・メロ属）、ツノニガウリ（ククミス・メトリフェルス  Ｅ．ＭＥＹ．ＥＸ  ＮＡＵＤＩＮ）、キュウリ（ククミス・サティバス属）（キュウリのピクルス）、カボチャ及びズッキーニ（カボチャ属）を追加、セイヨウカボチャ、ズッキーニ、ペポカボチャ（Ｃ．ペポ属）、大型・北海道カボチャ（Ｃ．マキシマ）、ニホンカボチャ（Ｃ．モスカタ）、クロダメ��ボチャ（Ｃ．フィシフォリア）、ニガウリ（モモルディカ属）、ユウガオ（ラゲンナリア・シセラリア（ＭＯＬＩＮＡ）ＳＴＡＤＬ．）、ヘチマ（ルッファ属）、ハヤトウリ、チャヨテ＝センナリウリ（セキウム・エドゥレ（ＪＡＣＱ．）ＳＷ．）、トマト（ソラヌム・リコピシクム属）（ナス科）、トマィティーヨ（フィサリス・フィラデルフィカ）（ナス科）、パプリカ、ペペローニ、チリ（カプシクム属）（ナス科）、アマランサス（アマラントス属）（ヒユ科）、ナス（ソラヌム・メロンゲナ）、アボカド（ペリセア・アメリカーナＭＩＬＬ．）（クスノキ科）、オクラ（アベルモスカス・エスクレントス（属）ＭＯＥＮＣＨ．）（ゼニアオイ科）、パンノミ（アトロカルパス・アルティティス（ナス科）、ＰＡＲＫＩＮＳ．ＥＸ ＤＵ ＲＯＩ）ＦＯＳＢ．ＣＯＲＰ．ＳＴ．ＪＯＨＮ）（クワ科）、根菜、塊茎野菜、黄ニンジン、ニンジン（ダウクス・カロータ属・ｓｕｂｓｐ．サティバス）（セリ科）、アカビート、アカカブ（ブラシカ・ブルガリス・ｓｕｂｓｐ．ブルガリス）、ブラシカ、スウェーデンカブ、カブカンラン（ブラシカ・ナプス・ｓｕｂｓｐ．ラピフェラ）ブラシカ・ラパ、マイリューベ（ブラシカ・ラパ・ｓｕｂｓｐ．ラパ・ｖａｒ．マヤリス）、テルトウ子カブ（ブラシカ・ラパ・ｓｕｂｓｐ．ラパ・ｖａｒ．ピグマエア）、セイヨウワサビ（アルモラシア・ルスティカーナ ＧＡＥＲＴＮ．ＭＥＹ．＆ＳＣＨＲＢ．）、ハツカダイコン（ラファヌス・サティバス属・ｖａｒ．サティバス）ダイコン（ラファヌス・サティバス・ｖａｒ．ロンギピナトゥス）、クロフユダイコン（ラファヌス・サティバス・ｓｕｂｓｐ．ニゲル・ｖａｒ．ニゲル）、ワサビ（ワサビア・ジャポニカ  ＭＡＴＳＵＭ．）（アブラナ科植物）、ジャガイモ（ソラヌム・トゥベロスム属）（ナス科）、キクゴボウ（スコルゾネラ・ヒスパニカ属）（キク科植物）、パースニップ（パスティナカ・サティバ）（セリ科）、根パセリ（ペトロセリヌム・クリスプム・ｓｕｂｓｐ．ツベロスム）、セロリ（アピウム・グラベオレンス）、ルートチャービル又はセルフィーユルート（カエロフィルム・ブルボスム属）、レンコン（ネルンボ）、ヤマノイモ（ディアスコレア属）（ヤマノイモ科）、サツマイモ（イポモエア・バタータス属）（ヒルガオ科）、キクイモ（ヘリアントゥス・ツベロスス）（キク科植物）、球根野菜、ネギ属（ネギ科）、タマネギ（Ａ．セパ属）、冬タマネギ、春タマネギ（Ａ．フィストゥロスム属）、ニンニク（Ａ．サティブム属）、エシャロット（Ａ．アスカロニクム ＳＴＲＡＮＤ．）、リーキ、ニラネギ（Ａ．ポルム属）、ヒメニンニク（アリウム・ポルム・ｖａｒ．・セクティブム）、  ラムソン（アリウム・ウルシヌム）、豆果、特に：豆（植物）を参照、インゲンマメ属、ライマメ（ファセオルス・ルナトゥス属）、アオイマメ、テパリービーン（ファセオルス・アクチフォリウス Ａ．ＧＲＡＹ）、ベニバナインゲン（ファセオルス・コキネウス属）、インゲンマメ、エンドウ、ベニバナインゲンサヤインゲン（ファセオルス・ブルガリス属）、種類：キドニービーン、インゲンマメ、パールコーヒービーンズ、ウズラマメ、ピントビーンズ、クロマメ、ブラジル、シロマメ、アール谷マメ、ダ��ズ（属）Ｍｅｒｒｉｌ）、エンドウ（エンドウ属）、サヤエンドウ（ピスム・サティブム属・ｃｏｎｖａｒ．サティブム）、ウスイエンドウ、実エンドウ、スプリットエンドウ、グリーンピース、（ピスム・サティブム属・ｃｏｎｖａｒ．メドゥラレ Ａｌｆ．ｅｍｅｎｄ．Ｃ．Ｏ．ｌｅｈｍ）も含む、シュガーピー（ピスム・サティブム属・ｃｏｎｖａｒ．アクシフィウム Ａｌｆ．ｅｍｅｎｄ．Ｃ．Ｏ．Ｌｅｈｍ）、キヌサヤ、スナップエンドウ、オランダエンドウ、（シュガースナップエンドウ）、ジャイアントピー（ピスム・グランダ・スネイダ属、ｃｏｎｖａｒ．スナイドゥロ ｐ．スネイデリウム）、ウマゴヤシ（メディカゴ属）、コモンアルファルファ、アルファルファ（Ｍ．サティバ属）、ヒヨコマメ（シセル・アリエティヌム属）、レンズマメ、（レンス）（レンス・クリナリス  Ｍｅｄｉｋ．）、ルピナス（ルピヌス属）、ゾラマメ属（ビシア属）、ソラマメ、ブロードビーンズ、フィールドビーンズ（ビシア・ファーバー属）、レリンソウ属（ラテュルス属）、ガラスマメ（ラテュルス・サティブス属）、キュウコンエンドウ（ラテュルス・ツベロスス属）、モスビーンズ、マットマメ、（ビグナ・アコニティフォリア（Ｊａｃｑ．）Ｍａｒeｃｈａｌ）、アズキ（ビグナ・アングラリス（Ｗｉｌｌｄ.）Ｏｈｗｉ＆Ｈ．Ｏｈａｓｈｉ）、ケツルアズキ（ビグナ・ムンゴ（属）、Ｈｅｐｐｅｒ）、リョクトウ（ビグナ・ラディアタ（属）、Ｒ．Ｗｉｌｃｚｅｋ）、「モヤシ」、バンバラマメ（ビグナ・スブテラネ（属）、Ｖｅｒｄｃ．）、タケアズキ（ビグナ・ウンベラータ（Ｔｈｕｎｂ．）Ｏｈｗｉ＆Ｈ．Ｏｈａｓｈｉ）、ビグナ・ベクシラータ（属）Ａ．Ｒｉｃｈ.（ドイツ語名なし）、ビグナ・ウングイクラータ（属）Ｗａｌｐ．３つのｓｕｂｓｐ．：ジュロウササゲ（ビグナ・ウングイクラータ・ｓｕｂｓｐ．セスクイペンダリス）、ササゲ（ビグナ・ウングイクラータ・ｓｕｂｓｐ．ウングイクラータ）、ハタササゲ（ビグナ・ウングイクラータ・ｓｕｂｓｐ．シリンドゥリカ）、キマメ（カヤーヌス・カヤン（属）Ｍｉｌｌｓｐ．）、マクロツローマ、ゼオカルパマメ（マクロティローマ・ゲオカルプム（Ｈａｒｍｓ）Ｍａｒeｃｈａｌ＆Ｂａｕｄｅｔ）、ホースグラム（マクロティローマ・ウニフロルム（Ｌａｍ．）Ｖｅｒｄｃ．）、シカクマメ（プソフォカルプス・テラゴノロブス（属）Ｄ．Ｃ．）、アフリカヤムマメ（スフェノス
ティリス・ステノカルパ、Ｈｏｅｃｈｓｔ.ｅｘＡ．Ｒｉｃｈ．）Ｈａｒｍｓ）、フジマメ、アジマメ、ラブラブマメ（ラブラブ・プルプレウス（属）Ｓｗｅｅｔ）、クラスタマメ（シアモプシス・テラゴノロブス（属）Ｔａｕｂ.）、カナバリア、タチナタマメ（カナバリア・エンシフォルミス（属）ＤＣ．）、ナタマメ（カナバリア・グラディアータ（Ｊａｃｑ．ＤＣ．）、バティス（バティス属、アブラナ科植物）、シログアイ（エレオカリス・ドゥルシス）、タチアオイ（アテナエ・オフィシナリス属）（ゼニアオイ属）、ウィキョウ（フォレニクルム・ブルガーレ（属）Ｍｉｌｌ．）（セリ科植物）、アスパラガス（アスパラガス・オフィシナリス属）（アスパラガス科）、コモンルバーブ（レウム・ルハバルバルム）（タデ科）、イタドリ（ファロピア・ジャポニカ（Ｈｏｕｔｔ．）Ｒｏｎｓｅ Ｄｅｃｒ．）（タデ科）、コリアンダー（コリアンドルム・サティブム属）（セリ科植物）、キヌア（ケノポディウム・クイノア Ｗｉｌｄ）（アカザ属）、スウェーデンカブ（ブラシカ・ナプス）ルタバガを参照、ミズオジギソウ（ネプトゥニア・オレラセア Ｌｏｕｒ．）（オジギソウ属）、マニオック、マニドカ、カッサバ、カッサブ又はラテンアメリカではユカ（マニホット・エスクレンタ Ｋｒａｎｚ）（トウダイグサ科）、カタバミ、オカ又はヤム（オクサリス・トゥベロサ）（カタバミ科）、ウルーコ、メローコ又はオユコ（ウルルクス・トゥベロスス）（ツルムラサキ科）、マシュア、アニョ（トロパエオルム・トゥベロスム）（ノウゼンハレン科）、ヤーコン（スマラントゥス・ソンキオフォリウス）（キク科植物）、タケノコ、パームハート、ケイサイルイ、果実及び液果、アセロラ、アマナツ、アメリカヤマゴボウ、パイナップル、クサイチゴ、カスタードアップル、リンゴ、チョークベリー（アロニア）、アプリコット、アテモヤ、アボカド、ババコ、バナナ、ベルベリン、ベルガモット、ブルーベリー、ナシ、ブラジルグアバ（フェイジョア）、キイチゴ、ブッシュプラム、カムカム、チェリモヤ、クレメンタイン、ココロバ（ハマベブドウ）、クランベリー（ツルコケモモ）、ダッテル、ドリアン、マドロナ、イチゴ、イチジク、ザイフリボク、ガリアメロン、ガンダリア、ジューンベリー、ザクロ、グレープフルーツ、マミーサポーテ、グアナバナ、グアバ、野バラの実、ラズベリー、ニワトコ、ハニーメロン、ホンコンクムカット、ヒューガナツ、ラマ、ジャックフルーツ、ニホン干しブドウ、ジャワアップル、ジェニパポ、イナゴマメ、ジョスタベリー、ナツメ、カキ、ウチワサボテン、ケープグースベリー、カシア、サクランボ、チェリープラム、キワノ、キウイ、モンステラの実、カーネルチェリー、ブルーハックルベリー、クムカット、ランシー、ライム、ライチ、ロンガン、ナランジラ、マホニア、マメイアップル、マンダリン、マンゴー、マンゴスチン、ホワイトマルベリー、エジプトイチジク、ミラベル、ミスペル、クラウドベリー、ヤマモモ、ナラ、ナシ、ネクタリン、ビワ、ギュウシンリ、ネットメロン、ノニ、オレンジ、オリーブ、パウパウ、パパイヤ、パッションフルーツ（イエローグラナディラ、マラクヤ）、パッションフルーツ（パープルグラナディラ、マラクヤ）、ペピーノ、ドラゴンフルーツ（イエロー）、ドラゴンフルーツ（レッド）、モモ、スモモ、ポメロ、ビターオレンジ、カウベリー、マルメロ、ランブータン、グリーンゲージ、ガーネットベリー、サラク、スナジグミ、サントル、サポジラ、サツマイモ、モレロチェリー、アメリカスモモ、アサイ、カシス、ブラックマルベリー、ブラックサポジラ、オウシュウナナカマド、グースベリー、ストーンブランブル、スターアップル、スターフルーツ、スリナムチェリー、イエローパッションフルーツ、タマリロ、タマリンド、ウグリ、ローワン、オランダイチゴ、スイカ、ブドウ、シロスグリ、ミラクルベリー、レモン、カスタードアップル、プルーン、ワイルドプラム（イエロー）、タバコ（ニコチアナ）、ニシキギ科（セラストラセアエ）の植物１種類、特にカート（カタ・エドゥリス）、ヤシ科（アレカセナエ）の植物１種類、特にビンロウジュ（アレカ・カテク）、ワイン、乳製品（ヨーグルト、ケフィア、チーズ）、昆布茶、コーヒー、カカオ、茶、醤油、酸又はアルカリ処理製品、例えばココア、穀物製品、陸生動物の動物性製品、特に肉、脂肪、骨、骨髄、臓物、ミルク、乳製品、卵、及び／又は、魚、甲殻類、貝、淡水巻き貝、タコ、イカ、小エビ、カニ、イセエビ、魚卵、キャビア及びロブスターのような淡水又は海水動物。
【００１４】
流体は、さらに、溶液及び／又は懸濁液中に運ばれたタンパク質及び酵素、並びに、溶液及び／又は懸濁液中に運ばれた糖分（単糖類、二糖類、オリゴ糖類及び／又はポリマー糖（澱粉）を含むことができる。
【００１５】
流体は、さらに、溶液及び／又は懸濁液中に運ばれた植物物質（例えば、リグニン、ポリフェノール）を含むことができる。流体は、さらに、乾燥（スプレー乾燥機、冷凍乾燥機、ベルト乾燥機、ローラ乾燥機）、濃縮、ロースト（ドラムロースター、ベルトロースター、流動床ロースト）、消泡、液体のガス処理及び脱ガス、消臭（例えば、プレート蒸発器、落下膜式蒸発器、水蒸気蒸留、加湿、真空加湿）からのガスを含むこと、又はそれらのガスとすることができる。流体は、さらに、ガス洗浄器、生産設備（発酵槽、発酵工程、瓶詰工場）からの排気、生産設備（ホップ貯蔵器、麦芽貯蔵器）からの排気、生産工場、園芸店、造園業からの室内空気等に由来するものである。流体は、さらに、冷凍乾燥機からの水相、及び／又は、蒸発又はガス処理又は乾燥後の濃縮物を含むか、又はそれらとすることができる。
【００１６】
さらに、流体は、ハーブ、香辛料又はエキスから選択することができる。同様に、工業施設一般又は生産中間段階からのエキス、蒸気又はガス相、カカオ、チョコレート又は油の脱臭設備からの排気、同様に、室内、（パン焼き）オーブン、又は、乾燥装置（スプレー乾燥機、冷凍乾燥機）からの排気、例えば、ハーブ、卵、オニオン、インスタント食品（マッシュポテト、トウモロコシ、スープ、調理済み食品、キノコ、調理香気）、又は、蒸発濃縮設備（マーマレード製造、フルーツ調整品）、機械的設備（粉砕、圧縮、混合）、インスタントコーヒー製造工程（蒸気、乾燥設備）からのコーヒー香気、家畜小屋の排気、牧草乾燥臭（枯れ草製造）又は環境臭（例えば、森林、牧草地）も流体又は流体の一部であると想定しておくことができる。同様に、チーズ製造工程（フレッシュチーズ、乳清、チーズスプレッド、チーズ）からの香気相、燻蒸香気、ソーセージ製造、食肉加工時の煮沸水（鶏肉香気）、残部加工（動物の残部、脚、耳）、動物の骨、食肉残部、フライヤー排気、ハチミツ、酢、水解物、反応臭、魚、花、木材、樹皮、ナッツ、果物の外皮、根、芽、花糸、植物の部分、バニラビーンズ、針葉樹の葉、葉、木の実、及び／又は、生物学的方法（真菌類、バクテリア、酵素）によって発生するか、又は放出される香気も、常に単独又は全ての可能な組み合わせで考えられる。
【００１７】
その場合、流体は、流体媒質（ガス相及び／又は液体相）又はそれらの混合相とすることができる。流体は、さらに、溶液及び／又は懸濁液中に運ばれたタンパク質及び酵素、並びに、溶液及び／又は懸濁液中に運ばれた糖分（単糖類、二糖類、オリゴ糖類及び／又はポリマー糖（澱粉）を含むことができる。流体は、さらに、溶液及び／又は懸濁液中に運ばれた植物性素材（例えば、リグニン、ポリフェノール）を含むことができる。流体は、さらに、乾燥（スプレー乾燥機、冷凍乾燥機、ベルト乾燥機、ローラ乾燥機）、富化、ロースト（ドラムロースター、ベルトロースター、流動床ロースト）、消泡、液体のガス処理及び脱ガス、消臭（例えば、プレート蒸発器、落下膜式蒸発器、水蒸気蒸留、加湿、真空加湿）からのガスを含むこと、又はそれらのガスとすることができる。流体は、さらに、ガス洗浄器、生産設備（発酵槽、発酵工程、瓶詰工場）からの排気、生産設備からの排気、生産工場等からの室内空気等に由来するもの、及び／又は、真空ポンプのポンプ水とすることができる。流体は、さらに、冷凍乾燥機からの水相、及び／又は、蒸発又はガス処理又は乾燥後の濃縮物を含むこと、又はそれらとすることができる。
【００１８】
収着剤は、原則的には、イオン交換体、順相、極性結合相及び逆相の群から選択される、又は、それらの任意の混合物とすることができ、特に、ポリアロメート、ポリスチロール、ポリ（メタ）アクリレート、ポリプロピレン、ポリエステル、ポリテトラフルオロエチレン及び架橋ポリスチロール、特に、エチルビニルベンゾールとジビニルベンゾールの、ビニルピロリドンとジビニルベンゾールの、ビニルピリジンとジビニルベンゾールの、及び／又は、スチロールとジビニルベンゾールのコーポリマーが準備される。有利な収着特性は、官能基を有するモノマーを含む収着剤の使用によっても達成される。例えば、特に、スルホン酸群、第３級（例えば、メタクリルジエチルアミン）及び第４級アンモニウム群（例えば、フェニルトリメチルアンモニウム）、アミド（例えば、ベンズアミド）、アミン及びハロゲン変性アロメート、３−ピロリドン、２−ピロリドン、２−ピロリン、３−ピロリン、ピロール及び／又はピペラジンのような複素環式化合物、並びにハロゲン化脂肪族側鎖化合物が好適であることが証明されている。ゲル状ポリマーも使用することができる。原則的には、変性ポリアクリレート、特に、以下のモノマー、すなわち、アクリル酸、アクリルニトリル、及び、例えば、メチルメタアクリレート、メチルアクリレート、エチルアクリレート、２−クロルエチルビニルエーテル、２−エチルヘキシルアクリレート、ヒドロキシエチルメタアクリレート、ブチルアクリレート及びブチルメタアクリレートのようなアルキルアクリレートを含むモノマーを使用することもできる。代替的又は付加的に、ポリマー前駆体の熱分解によって形成され、それ自体が高多孔質炭素構造を有するＣＭＳソーベントがある（ＣＭＳ：炭素分子篩）。ＳＧＰＣソーベント（ＳＧＰＣ：球状黒鉛化カーボン）及びＧＣＢソーベント（ＧＣＢ：黒鉛化カーボンブラック）も使用可能である。代替物としては、２，６−酸化ジフェニレン系ポリマー、例えば、ポリ（２，６−ジフェニル−ｐ−酸化フェニレン）、又は、イミノ二酢酸塩官能性を有するポリマーがある。収着剤は例えば粉流体として使用し、対応する吸着床を作業室内に配置することができる。代替的又は付加的に、収着剤を一体として作業室内に置き、その中を貫流させることができる。
【００１９】
この収着剤を個別又は任意の組合せで用いることによって、香気成分の特に高度な吸着と、それと共に、特に大きな回収率が保証される。それに加えて、これによって、各流体及びそこに含まれる香気成分分子に応じて、収着剤を最適に選択される。好ましくは、ベースポリマーの重合化中に適切な反応剤によって、又は、同様の反応剤によるベースポリマーの後処理の後に、上記のポリマーを付加的に官能化して、望ましい収着特性を達成する。
【００２０】
一般的には、本公開公報の記述における「１つの」は不定冠詞であると読むものとし、従って、明確に反対の指示がなければ、常に「少なくとも１つの」とも読むものとする。
【００２１】
本発明の有利な形態において、吸着システムは、少なくとも２つの流体結合可能な作業室と、作業室を流通させて流体を搬送するための少なくとも１つのポンプ装置を含むことを想定している。少なくとも１つのポンプ装置と連結された２つ以上の作業室のこの流体結合によって、特に同じ容量の単独の作業室の場合とは違って、装入時の流速が明らかに上昇する。まず吸着システムの全長が長くなり、その結果、対応する回収係数の増大又は香気成分濃縮物中の最終濃度の高さを達成することができる。
【００２２】
本発明のその他の有利な形態においては、少なくとも１つのポンプ装置を作業室の上流に配置することを想定している。これによって、作業室に関する圧力低下の少なくとも一部を補償し、作業室を流通する流体の高い流速を確保することができる。代替的又は付加的に、少なくとも１つのポンプ装置を２つの作業室の間に配置することを想定している。これが、作業室の下流における圧力低下を補償し、ポンプ装置の下流に位置する作業室を流通する流体の高い流速を確保するための別の有利な可能性である。代替的又は付加的に、全ての作業室を２つのポンプ装置の間に流体的に配置すれば、それが有利であることが明らかになっている。これによって、作業室を流通する流動方向を逆転させることが簡単な方法で可能になる。それと共に、収着剤を１つの流動方向に装入し、逆の流動方向に排出することができる。同様に、少なくとも２つのポンプ装置を異なるように形成することを想定することができる。例えば、ポンプ装置の最大流量を変更することができる。同様に、ポンプ装置の少なくとも１つを無脈動のものとし、及び／又は、防爆性とし、及び／又は、可逆性搬送可能とすることを想定できる。
【００２３】
さらなる利点は、吸着システムが、少なくとも１つの作業室の中の貫流を制御可能及び／又は調節可能にする少なくとも１つの弁装置を含むことにある。これによって、１つ又は複数の作業室の中を通過する貫流の特に可変で必要に応じた許可、減量又は中断が可能になる。少なくとも１つの弁装置は、原則的には、手動及び／又は機械操作可能又は制御及び／又は調節可能に形成されている。本発明の範囲内では、原則的には、弁装置とは、流体流を止めるか又は通過させるが、しかし流体流の部分的減量を行うことはできない純粋な遮断装置でもあると理解されるものとする。例えば、少なくとも１つの弁装置は、多くの形態においては、逆止弁、ボール弁等とすることができる。すなわち、これらの遮断装置は能動的に制御する必要がなく、それによって、非常に経済的で、信頼性が向上する。
【００２４】
本発明のその他の有利な形態において想定しているのは、少なくとも１つの収着剤に香気成分含有流体を当てて、香気成分を収着剤に吸着させる吸着モードと、少なくとも１つの収着剤に流体脱着剤を当てて、収着剤に吸着された香気成分を脱着させる脱着モードで吸着システムを運転するように形成された制御装置を含むことにある。これによって、吸着システムの高度な自動化、又は少なくとも部分自動化が可能になり、その結果、香気成分濃縮物を連続的又は少なくとも半連続的に製造することができる。「形成される」という表現は、本発明の範囲内では、原則的には、何かに対する基本的な適性を有するだけではなく、対応して組込まれたハード及び／又はソフトウエアによって申告された各効果を規定通りの運転中にも実際に発揮する対象物に関するものである。制御装置は、上記の工程と、特に、発明の第2態様による方法の実施形態を実施するために組込まれたプロセッサ装置を有する。プロセッサ装置はこのために少なくとも１つのマイクロプロセッサ及び少なくとも１つのマイクロコントローラを有する。さらに、プロセッサ装置は、プロセッサ装置による実行時に上記の工程と、特に、発明の第2態様による方法の実施形態を実施するため、又は、吸着システムの対応する装置を適宜制御し、及び／又は、調節するために組込まれたプログラムコードを有することができる。プログラムコードはプロセッサ装置のデータメモリに記憶しておくことができる。
【００２５】
プロトン性溶媒、非プロトン性・非極性溶媒及び非プロトン性・極性溶媒の群から選択された脱着剤を準備することを想定することができる。これによって、吸着された香気成分分子の種類及び数並びに収着剤に対して脱着剤を最適化することができる。プロトン性溶媒とは、非プロトン性溶媒とは違ってプロトンを分離させること、及び／又は、水素架橋を形成することができる溶媒であると理解されるものとする。最も簡単な事例では、例えば、水素が使用される。その他の例としては、メタノール、エタノール、一次及び二次アミン、カルボン酸（例えば、ギ酸、酢酸）、一次及び二次アミド（例えば、ホルムアミド）、及び鉱酸（例えば、硫酸、硝酸、リン酸、ハロゲン水素酸）がある。非プロトン性・非極性溶媒は強脂溶性及び疎水性であり、一方、非プロトン性・極性溶媒は少なくとも１つの強極性官能基（例えば、カルボニル基、ニトロ基、ニトリル基）と、それと共に、双極子モーメントを有し、これによって、非プロトン性・非極性溶媒と比べると、極性成分の可溶性の改善が見られる。非プロトン性・非極性溶媒の例としては、アルカン、アルケン、アルキン、ベンゼン、トルオール、及び、脂肪族及び芳香族置換基を有するその他のアロメート、カルボン酸エステル、エーテル（ジメチルエーテル、ジエチルエーテル、エチルメチルエーテル）、テトラメチルシラン、ジクロロメタン、トリクロロメタン、テトラクロロ炭素、硫化炭素、超臨界二酸化炭素、及び、フッ素化、特に、過フッ素化炭化水素がある。非プロトン性・極性溶媒の例としては、ケトン（アセトン）、ラクトン（γ−ブチロラクトン）、ラクタム（Ｎ−メチル−２−ピロリドン）、ニトリル（アセトニトリル）、ニトロ化合物（ニトロメタン）、第三級カルボン酸アミド（ジメチルホルムアミド）、尿素誘導体（テトラメチル尿素、ジメチルプロピレン尿素）、スルホキシド（ジメチルスルホキシド）、スルホン（スルホラン）、及び炭酸エステル（ジメチル炭酸塩、エチレン炭酸塩）がある。
【００２６】
脱着剤として使用できるのは、例えば、メタノール、エタノール、プロパン−１−オール、ブタン−１−オール、ペンタン−１−オール、ヘキサン−１−オール、ヘプタン−１−オール、オクタン−１−オール、ノナン−１−オール、デカン−１−オール、ウンデカン−１−オール、ドデカン−１−オール、トリデカン−１−オール、テトラデカン−１−オール、ペンタデカン−１−オール、ヘキサデカン−１−オール、オクタデカン−１−オール、ヘキサコサン−１−オール、トリアコンタン−１−オール、プロパン−２−オール、ブタン−２−オール、２−メチルプロパン−１−オール、２−メチルプロパン−２−オール、ペンタン−２−オール、ペンタン−３−オール、２−メチルブタン−１−オール、３−メチルブタン−１−オール、２−メチルブタン−２−オール、３−メチルブタン−２−オール、２，２−ジメチルプロパン−１−オール、エタン−１，２−ジオール、プロパン−１，２−ジオール、プロパン−１，３−ジオール、ブタン−１，２−ジオール、ブタン−１，３−ジオール、ブタン−１，４−ジオール、ブタン−２，３−ジオール、ペンタン−１，５−ジオール、ヘキサン−１，６−ジオール、オクタン−１，８−ジオール、ノナン−１，９−ジオール、デカン−１，１０−ジオール、プロパン−１，２，３−トリオール、シクロペンタノール、シクロヘキサノール、プロプ−２−エン−１−オール、ブト−２−エン−１−オール、フェニルメタノール、（ヒドロキシメチル）ベンゾール、１−フェニルエタン−１−オール（１−ヒドロキシエチル）ベンゾール（Ｃ6Ｈ5ＣＨ（ＯＨ）ＣＨ3）、２−フェニルエタン−１−オール、（２−ヒドロキシエチル）ベンゾール（Ｃ6Ｈ5ＣＨ2ＣＨ2ＯＨ）、ジフェニルメタノール（Ｃ6Ｈ5）2ＣＨＯＨ）、トリフェニルメタノール（（Ｃ6Ｈ5）3ＣＯＨ）、酢酸エチル、ジクロロメタン、トリクロロメタン、テトラクロロ炭素、ジメチルエーテル、ジエチルエーテル、メチルエチルエーテル、水、水蒸気、無機酸、例えば、リン酸、塩酸等、カルボン酸、例えば、ギ酸、酢酸、乳酸、リンゴ酸、クエン酸、アスコルビン酸、酒石酸等、クロロゲン酸及びその誘導体、コーヒー酸、フェルラ酸、マレイン酸、苛性アルカリ溶液、例えば、ナトロン溶液、水酸化カリウム、Ｃａ（ＯＨ）2、リン酸のナトリウム又はカリウム塩、並びに、２つ以上の脱着剤の任意の混合物及び／又はグラジエントであり、可能な脱着剤の上記リストは限定するものではないと見なされる。
【００２７】
それに応じて、原則的には、少なくとも２つの脱着剤及び／又は１つの脱着剤グラジエントを連続的及び／又は段階的に、及び／又は、少なくとも２つの自由に相互混合不能な脱着剤のエマルジョンを想定することができる。これによって、保持及び分解の高度な制御が可能になり、その結果、選択的に全ての香気成分分子を同時又は連続的に、又は特定の順序で脱着させ、香気成分濃縮物として捕集することができる。２、３、４、５、６、７、８、９、１０又はそれ以上の脱着剤の混合と共に、２、３、４、５、６、７、８、９、１０又はそれ以上の脱着剤からの時間的連続的及び／又は段階的に変更される脱着剤グラジエントを使用することができる。同様に想定できるのが、少なくとも２つの自由に相互混合不能な脱着剤のエマルジョンを使用することである。エマルジョンとは、２つの自由に相互混合不能な液体の分散系であると理解されている。そこでは、脱着剤の１つが、その他の１つ又は複数の別の脱着剤が別の相（内部又は分散相も含む）として微細な小滴の形で内部に分配されている脱着剤を形成する。分散している粒子の寸法及び動力学的又は熱力学的安定性に応じて、粗分散系及びコロイド分散系と呼ばれる。エマルジョンの使用によって、装入容量がわずかな場合であっても極めて高速かつ完全な脱着が達成できるという利点が得られ、それによって、相応する真正かつ高濃度の香気成分濃縮物が得られる。例えば、香気成分はまず脱着剤としての水（場合により熱水）だけで脱着させられ、続いて、脱着剤としてのエタノールによって同じ装置部分から脱着させることができる。すなわち、脱着剤として、水・エタノール段階グラジエントを想定することができる。得られる脱着物は一緒に捕集されるか、又は、少なくとも２つに分画して捕集される。水によって脱着させられた一部は、そのエタノール含有量が微量であるか、エタノール無含有であるために、さらなる加工なしで、製品の、特に、そのエタノール含有率を上昇させてはならない製品の再香気付けに使用することができる。エタノールによって脱着させられた一部は場合により水で減損させ、新たな富化（高度富化）を行うことができる。
【００２８】
本発明の有利な形態において想定しているのは、脱着モードにおける脱着剤の流動方向を調節して、吸着モードにおいては脱着剤の流動方向を香気成分含有流体の流動方向とは逆にするように制御装置を形成することである。好ましくは、そのために制御装置を少なくとも１つのポンプ装置及び／又は少なくとも１つの弁と結合して、そのポンプ装置又は弁を操作して制御及び／又は調節を行う。
【００２９】
本発明のその他の有利な形態において、吸着モードでは香気成分含有流体に少なくとも２つの作業室を並行して導通させるように制御装置を形成することを想定している。これによって、作業室内に配置される吸着剤の特に高速な装入と、流体中に含まれる１つ又は複数の香気成分の高度な富化が可能になる。さらに、対応する高い圧力損失を伴う１つの長い作業室の代わりに、その全長の合計が１つの非常に長い作業室の全長に相当する２つ以上の作業室を使用することができる。さらに、このようにして、作業室の数及び形状を、例えば、流体量、流体ストリーム、及び流体とその内部に含まれる香気成分の組成に対して最適化することができる。代替的又は付加的に、脱着モードにおいては脱着剤に連続して少なくとも２つの作業室を導通させるように、制御装置を形成することを想定している。これによって、最小容量の脱着剤を使用して、脱着させられた香気成分の少なくとも基本的には完全な回収が可能になる。代替的又は付加的には、出口を介して脱着剤を吸着システムから搬出するように制御装置を形成してあり、それによって、脱着させられる香気成分又は脱着によって得られる香気成分濃縮物の簡単な除去が可能になることを想定している。さらに、代替的又は付加的に、脱着モードにおいては、異なる脱着剤に少なくとも２つの作業室を導通させるように、制御装置を形成することを想定している。例えば、作業室の第１作業室内では、主として非極性香気成分が吸着され、エタノール又はエタノール含有脱着剤によって脱着させられるが、一方、作業室の第2作業室内では、主として極性香気成分が吸着され、水又は水蒸気によって脱着させられる。これによって、相応する高い濃縮係数を有する流体の全ての関連香気成分の特に優れた少なくとも十分に完全な回収が可能になる。
【００３０】
さらなる利点が生じるのは、吸着システムが、少なくとも１つの作業室及び／又は流体及び／又は脱着剤及び／又は香気成分濃縮物の少なくとも一部を所定温度に調節することが可能な少なくとも１つの温度調節装置を含んでいる場合である。これによって、吸着及び／又は脱着特性を流体及び／又は望ましい香気成分濃縮物の組成に対して最適化することができる。例えば、１０℃、１５℃、２０℃、２５℃、３０℃、３５℃、４０℃、４５℃、５０℃、５５℃、６０℃、６５℃、７０℃、７５℃、８０℃、８５℃、９０℃、９５℃、１００℃、１０５℃、１１０℃、１１５℃、１２０℃、１２５℃、１３０℃、１３５℃、１４０℃又はそれ以上の温度が調節可能になるように温度調節装置を形成することができ、さらに、４０℃、４１℃、４２℃、４３℃、４４℃、４５℃、４６℃、４７℃、４８℃、４９℃、５０℃等のような中間値も同時に開示されていると見なされる。温度調節装置は原則的には相対加熱及び／又は冷却のために形成することができる。
【００３１】
温度調節装置が、内部に温度調節のために少なくとも領域ごとに少なくとも１つの作業室が配置される浸漬浴、及び／又はマイクロウエーブ装置、及び／又は高周波加熱装置、及び／又は誘導加熱装置、及び／又は電気加熱装置、及び／又は高温ガス、蒸気及び／又は高温液体装置、及び／又は加熱及び／又は冷却剤を当てることが可能な少なくとも１つの部屋、及び／又は加熱及び／又は冷却剤を当てるための吸着システムの少なくとも一部の二重又は多重壁構造を含むことによって、さらなる利点が生じる。これによって、最適な温度調節、並びに、場合により、既存のエネルギー源の使用が可能になり、その結果、エネルギー収支の改善並びに調達及び運転コストの低減を達成することができる。特に、吸着システムのいくつかの部分の二重壁構造は、対応する領域を加熱又は冷却剤によって効率的かつ迅速に望ましい温度に調節するのに適している。代替的又は付加的に、吸着システムの少なくともいくつかの部分を、必要に応じて加熱又は冷却剤の一部又は全部を充填する、又は貫流させることができる少なくとも１つの対応する寸法のタブ形容器の中に配置することができる。
【００３２】
本発明のその他の有利な形態においては、制御装置を温度調節装置と結合し、吸着モードと脱着モードでは温度調節装置の運転を変更できるように形成してある。これによって、特に大きな回収係数及び富化係数が達成可能になる。例えば、吸着モードでは脱着モードよりも温度をわずかに下げるように、その結果、吸着よりも高い温度で脱着を行えるように温度調節装置を形成することができる。反対に、多くの実施形態においては、脱着よりも高い温度で吸着を行うことが有益となることがある。
【００３３】
本発明の他の有利な形態においては、作業室１２内に配置される収着剤に吸着モードで吸着された、酢酸エチルエステル、酪酸エチルエステル、イソブタノール、酢酸イソアミル、２−メチルブタン−１−オール、３−メチルブタン−１−オール、ヘキサン酸エチル、２−酢酸フェニルエチル及び２−フェニルエタノールの群から少なくとも１つの香気成分の少なくとも２／３を脱着させるのに十分である脱着剤の容量Ｖ1が次数式（１）及び（２）、
【数１】
2018534049.tif 000003
【数２】
2018534049.tif 000004
に合致するように、少なくとも１つの作業室の断面積が選択されている。すなわち、Ｖ1が、平均断面積×０．０２５ｍ、０．０３０ｍ、０．０３５ｍ、０．０４０ｍ、０．０４５ｍ、０．０５０ｍ、０．０５５ｍ、０．０６０ｍ、０．０６５ｍ、０．０７０ｍ、０．０７５ｍ、０．０８０ｍ、０．０８５ｍ、０．０９０ｍ、０．０９５ｍ、０．１００ｍ、０．１０５ｍ、０．１１０ｍ、０．１１５ｍ、０．１２０ｍ、０．１２５ｍ、０．１３０ｍ、０．１３５ｍ、０．１４０ｍ、０．１４５ｍ、０．１５０ｍ、０．１５５ｍ、０．１６０ｍ、０．１６５ｍ、０．１７０ｍ、０．１７５ｍ、０．１８０ｍ、０．１８５ｍ、０．１９０ｍ、０．１９５ｍ、０．２００ｍ、０．２０５ｍ、０．２１０ｍ、０．２１５ｍ、０．２２０ｍ、０．２２５ｍ、０．２３０ｍ、０．２３５ｍ、０．２４０ｍ、０．２４５ｍ、０．２５ｍ、０．５０ｍ、０．７５ｍ、１．００ｍ、１．２５ｍ、１．５０ｍ、１．７５ｍ、２．００ｍ、２．２５ｍ、２．５０ｍ、２．７５ｍ、３．００ｍ、３．２５ｍ、３．５０ｍ、３．７５ｍ、４．００ｍ、４．２５ｍ、４．５０ｍ、４．７５ｍ、５．００ｍ、５．２５ｍ、５．５０ｍ、５．７５ｍ、６．００ｍ、６．２５ｍ、６．５０ｍ、６．７５ｍ、７．００ｍ、７．２５ｍ、７．５０ｍ、７．７５ｍ又は８．００ｍの値に合致するように、Ｖ1と少なくとも１つの作業室の平均断面積（単位：ｍ2）が相互に調整され、さらに、それに相応する中間値も同時に開示されていると見なされる。このようにして、少なくとも１つの作業室の形状を極めて簡単に構成して、上記の香気成分の少なくとも２／３の、従って、例えば６６．６モル％、６７モル％、６８モル％、６９モル％、７０モル％、７１モル％、７２モル％、７３モル％、７４モル％、７５モル％、７６モル％、７７モル％、７８モル％、７９モル％、８０モル％、８１モル％、８２モル％、８３モル％、８４モル％、８５モル％、８６モル％、８７モル％、８８モル％、８９モル％、９０モル％、９１モル％、９２モル％、９３モル％、９４モル％、９５モル％、９６モル％、９７モル％、９８モル％、９９モル％又は１００モル％の回収を確保することができる。この構成は、例えば、特に脱着剤又は脱着剤の一部としてのエタノールのような有機化合物との関連において、有益である。
【００３４】
本発明のその他の有利な形態においては、吸着システムは、香気成分含有流体に少なくとも１つの作業室を導通させるための第１流体通路と、脱着剤に少なくとも１つの作業室を導通させるための第2流体通路とを含む。吸着と脱着に別々の流体通路を選択されるので、このようにして吸着システムを特に柔軟に運転することができる。流体通路には例えば別々の導管系を割り当てることができる。
【００３５】
第１及び第2流体通路が異なる長さ及び／又は異なる平均断面積及び／又は異なる容量を有することによって、さらなる利点が生じる。これによって、有利なデッドスペース最小化、並びに、吸着システム又は各流体通路の溶離能力の異なる領域へ、異なる吸着能力の提供が可能になる。例えば、第2流体通路は第１流体通路の２倍の総容量を有しており、それによって、第１流体通路内ではその物理的特性のために十分に吸着できない、又はすべきではない成分を望ましい量だけ吸着することができる。それに加えて、ｐＨ値又は塩分含有率を第１及び／又は第2流体通路の前で変えること、又は、好ましくは各所定の設備部分において特定の成分が吸着されるように調整することができる。ｐＨ値は、原則的には、１から１４の範囲で変えることができ、値１．０、１．５、２．０、２．５、３．０、３．５、４．０、４．５、５．０、５．５、６．０、６．５、７．０、７．５、８．０、８．５、９．０、９．５、１０．０、１０．５、１１．０、１１．５、１２．０、１２．５、１３．０、１３．５、１４．０並びに相応する中間値を採用することができる。
【００３６】
吸着システムのさらなる有利な形態において、吸着システムは、少なくとも１つの作業室と流体結合可能な捕集容器及び／又は画分捕集器を含む。これによって、脱着によって得られた香気成分濃縮物を捕集容器で捕集し、又は、頻度及び／又は単独位置で、又は任意の方法で組合せられる調整された画分容量に応じて、香気成分濃縮物を収集して、特定の香気プロファイルを達成することが可能になる。
【００３７】
本発明のさらなる有利な形態において、吸着システムの少なくとも１つの作業室が、共通のハウジング内に入れ子式に配置され、少なくとも１つの吸着剤を配置するための少なくとも２つの流体相互接続流路を含むことを想定している。少なくとも１つの作業室のかかる「迷路形」構成は、僅かな必要スペースで可能な限り長い流体通路を提供するのに特に有利である。
【００３８】
さらなる利点は、吸着システムが、相互に独立して香気成分含有流体及び／又は脱着剤を貫流させることが可能な少なくとも２つの作業室を含むことによって生じる。これによって、吸着システムの連続的又は少なくとも半連続的な運転が可能になり、それによって、相応する高い処理能力が可能になる。
【００３９】
少なくとも１つの作業室がその縦軸に沿って変化する断面積を有することで、さらなる利点が生じる。作業室は、例えば、その縦軸に沿って、連続的又は不連続的又は段階的に縮小する横断面を有している。例えば、作業室は漏斗形又は縦断面を三角形又は台形に形成できる。作業室が、その縦軸に沿って断面積が縮小する領域と、その縦軸に沿って断面積が拡大する領域とを有することも想定している。代替的又は付加的に、吸着システムが平均断面積の異なる少なくとも２つの作業室を含むことを想定している。これによって、吸着システム内に局部的に異なる吸着能力を提供して、なお且つ真正な量比率で、各使用収着剤に吸着する香気成分を程度の差はあれうまく、さらに、好ましくは、少なくとも主として定量的に結合することが可能になる。例えば、装入方向から見て第１作業室は、装入方向に後続する１つ又は複数の作業室よりも狭く形成できる。これによって、比較的少量の収着剤に極めて効率的に結合できる香気成分を、少なくとも広範に、又は第１作業室内でだけで吸着することが可能になる。これと共に、これらの香気成分の最終濃度が高くなり、それにより、脱着後には、対応する大きな富化係数の香気成分濃縮物を得られる。主として、又は少なくとも基本的に、定量的に結合せるために比較的多量の収着剤を必要とする香気成分は、断面積の拡大及びそれに伴う吸着剤の量の局部的増加に基づいて、すなわち、吸着能力の向上によって、主として流動方向に後続する作業室内において、結合させられる。好ましくは、装入方向とは逆方向で行われる次の脱着工程では、断面積が拡大した領域からの結合特性が比較的劣化した香気成分は量的に正しい比率で溶解させられ、続いて幅が狭い方の作業室内に達し、そこで、結合性が比較的より優れた香気成分と共に脱着又は溶離させられる。それによって、各収着剤に対する結合力の優れた方の香気成分も、劣る方の香気成分も、流体に関する真正の量比率で、結果として生じる香気成分濃縮物中に存在している。
【００４０】
少なくとも１つの作業室の全長が少なくとも２．５ｍであり、及び／又は、少なくとも１つの作業室の平均断面厚が３ｍｍ〜６．０ｍの間であり、及び／又は、少なくとも１つの作業室の全長に対する平均断面厚の比率が最大０．０４であることにより、さらなる利点が生じる。全ての存在する作業室の全長が少なくとも２．５ｍであることは、特に、全長が２．５ｍ、３．０ｍ、３．５ｍ、４．０ｍ、４．５ｍ、５．０ｍ、５．５ｍ、６．０ｍ、６．５ｍ、７．０ｍ、７．５ｍ、８．０ｍ、８．５ｍ、９．０ｍ、９．５ｍ、１０．０ｍ、１０．５ｍ、１１．０ｍ、１１．５ｍ、１２．０ｍ、１２．５ｍ、１３．０ｍ、１３．５ｍ、１４．０ｍ、１４．５ｍ、１５．０ｍ、１５．５ｍ、１６．０ｍ、１６．５ｍ、１７．０ｍ、１７．５ｍ、１８．０ｍ、１８．５ｍ、１９．０ｍ、１９．５ｍ、２０．０ｍ、２１ｍ、２２ｍ、２３ｍ、２４ｍ、２５ｍ、２６ｍ、２７ｍ、２８ｍ、２９ｍ、３０ｍ、３１ｍ、３２ｍ、３３ｍ、３４ｍ、３５ｍ、３６ｍ、３７ｍ、３８ｍ、３９ｍ、４０ｍ、４１ｍ、４２ｍ、４３ｍ、４４ｍ、４５ｍ、４６ｍ、４７ｍ、４８ｍ、４９ｍ、５０ｍ、５１ｍ、５２ｍ、５３ｍ、５４ｍ、５５ｍ、５６ｍ、５７ｍ、５８ｍ、５９ｍ、６０ｍ、６１ｍ、６２ｍ、６３ｍ、６４ｍ、６５ｍ、６６ｍ、６７ｍ、６８ｍ、６９ｍ、７０ｍ、７１ｍ、７２ｍ、７３ｍ、７４ｍ、７５ｍ、７６ｍ、７７ｍ、７８ｍ、７９ｍ、８０ｍ、８１ｍ、８２ｍ、８３ｍ、８４ｍ、８５ｍ、８６ｍ、８７ｍ、８８ｍ、８９ｍ、９０ｍ、９１ｍ、９２ｍ、９３ｍ、９４ｍ、９５ｍ、９６ｍ、９７ｍ、９８ｍ、９９ｍ、１００ｍ又はそれ以上であると理解されよう。平均断面厚が３ｍｍ〜６．０ｍの間であることは、特に、平均断面厚又は内径が３ｍｍ、４ｍｍ、５ｍｍ、６ｍｍ、７ｍｍ、８ｍｍ、９ｍｍ、１ｃｍ、２ｃｍ、３ｃｍ、４ｃｍ、５ｃｍ、６ｃｍ、７ｃｍ、８ｃｍ、９ｃｍ、１０ｃｍ、１１ｃｍ、１２ｃｍ、１３ｃｍ、１４ｃｍ、１５ｃｍ、１６ｃｍ、１７ｃｍ、１８ｃｍ、１９ｃｍ、２０ｃｍ、２１ｃｍ、２２ｃｍ、２３ｃｍ、２４ｃｍ、２５ｃｍ、２６ｃｍ、２７ｃｍ、２８ｃｍ、２９ｃｍ、３０ｃｍ、３１ｃｍ、３２ｃｍ、３３ｃｍ、３４ｃｍ、３５ｃｍ、３６ｃｍ、３７ｃｍ、３８ｃｍ、３９ｃｍ、４０ｃｍ、４１ｃｍ、４２ｃｍ、４３ｃｍ、４４ｃｍ、４５ｃｍ、４６ｃｍ、４７ｃｍ、４８ｃｍ、４９ｃｍ、５０ｃｍ、５１ｃｍ、５２ｃｍ、５３ｃｍ、５４ｃｍ、５５ｃｍ、５６ｃｍ、５７ｃｍ、５８ｃｍ、５９ｃｍ、６０ｃｍ、６１ｃｍ、６２ｃｍ、６３ｃｍ、６４ｃｍ、６５ｃｍ、６６ｃｍ、６７ｃｍ、６８ｃｍ、６９ｃｍ、７０ｃｍ、７１ｃｍ、７２ｃｍ、７３ｃｍ、７４ｃｍ、７５ｃｍ、７６ｃｍ、７７ｃｍ、７８ｃｍ、７９ｃｍ、８０ｃｍ、８１ｃｍ、８２ｃｍ、８３ｃｍ、８４ｃｍ、８５ｃｍ、８６ｃｍ、８７ｃｍ、８８ｃｍ、８９ｃｍ、９０ｃｍ、９１ｃｍ、９２ｃｍ、９３ｃｍ、９４ｃｍ、９５ｃｍ、９６ｃｍ、９７ｃｍ、９８ｃｍ、９９ｃｍ、１．０ｍ、１．１ｍ、１．２ｍ、１．３ｍ、１．４ｍ、１．５ｍ、１．６ｍ、１．７ｍ、１．８ｍ、１．９ｍ、２．０ｍ、２．１ｍ、２．２ｍ、２．３ｍ、２．４ｍ、２．５ｍ、２．６ｍ、２．７ｍ、２．８ｍ、２．９ｍ、３．０ｍ、３．１ｍ、３．２ｍ、３．３ｍ、３．４ｍ、３．５ｍ、３．６ｍ、３．７ｍ、３．８ｍ、３．９ｍ、４．０ｍ、４．１ｍ、４．２ｍ、４．３ｍ、４．４ｍ、４．５ｍ、４．６ｍ、４．７ｍ、４．８ｍ、４．９ｍ、５．０ｍ、５．１ｍ、５．２ｍ、５．３ｍ、５．４ｍ、５．５ｍ、５．６ｍ、５．７ｍ、５．８ｍ、５．９ｍ又は６．０ｍ並びに相応する中間値であると理解されよう。断面厚は特に計画体積流量に応じて選択される。少なくとも１つの作業室の全長に対する平均断面厚の比率が最大０．０４であることは、それに対応する値は０．０４０、０．０３９、０．０３８、０．０３７、０．０３６、０．０３５、０．０３４、０．０３３、０．０３２、０．０３１、０．０３０、０．０２９、０．０２８、０．０２７、０．０２６、０．０２５、０．０２４、０．０２３、０．０２２、０．０２１、０．０２０、０．０１９、０．０１８、０．０１７、０．０１６、０．０１５、０．０１４、０．０１３、０．０１２、０．０１１、０．０１０、０．００９、０．００８、０．００７、０．００６、０．００５、０．００４、０．００３、０．００２、０．００１、０．０００５、０．０００１又はそれ以下であると理解されるものとし、相応する中間値も同時に開示していると見なされる。
【００４１】
他の形態において想定しているのは、香気成分含有流体の所定の工程温度及び所定の平均パーコレーション速度の場合は、少なくとも１つの作業室の全長及び平均断面厚が、少なくとも１つの収着剤の収着特性に応じて、酢酸エチルエステル、酪酸エチルエステル、イソブタノール、酢酸イソアミル、２−メチルブタン−１−オール、３−メチルブタン−１−オール、ヘキサン酸エチル、２−酢酸フェニルエチル及び２−フェニルエタノールの群からの流体中に含まれる少なくとも１つの香気成分が少なくとも２／３、すなわち、例えば、６６．６モル％、６７モル％、６８モル％、６９モル％、７０モル％、７１モル％、７２モル％、７３モル％、７４モル％、７５モル％、７６モル％、７７モル％、７８モル％、７９モル％、８０モル％、８１モル％、８２モル％、８３モル％、８４モル％、８５モル％、８６モル％、８７モル％、８８モル％、８９モル％、９０モル％、９１モル％、９２モル％、９３モル％、９４モル％、９５モル％、９６モル％、９７モル％、９８モル％、９９モル％又は１００モル％まで少なくとも１つの収着剤に吸着するように選択されることを想定している。全長及び平均断面厚に関する各値は簡単な標準的テストによって最適化することができ、その結果、上記の極性化合物の可能な限り広範かつ好ましくは基本的に完全な吸着が保証されている。
【００４２】
吸着システムが少なくとも２つの作業室を含み、さらに、少なくとも１つの作業室の容量を、少なくとも１つの収着剤に香気成分含有流体を当てるべき装入方向に関して下流に
位置する作業室よりも小さくすることで、さらなる利点が生じる。すなわち、吸着システムは、装入方向に前後に配置され、装入方向に容量が増大する２つ以上の作業室を有する。これによって、第１の、又は上流に位置する作業室内では、主として非極性香気成分を結合させ、第２の、又は下流に位置する作業室内では、主として極性香気成分を結合することが特に簡単に可能である。個々の作業室の容量比率は、その都度、装入可能な収着剤量及びその都度結合させるべき香気成分量と相関している。さらなる利点は、少なくとも２つの作業室において、異なる方式で、又は相互に独立して、収着を行えることにある。さらに、２段階又は多段階方式によって、特異的富化又は減損の対象となる香気成分にとって有利な付加的可能性が生じ、これによって、香気プロファイルの調整が可能である。さらに、２段階又は多段階方式によって、特に大きな富化が達成可能となる。１つの作業室だけでは、通常では、一方では、合理的な工程時間では大きな初期容量を受取りできず、他方では、個々の香気成分の富化係数は相応に大きくなっているが、得られるエキスの容量は極めて微量であった。例えば、一方では富化係数が３０００の場合は、吸着モードでは約３０００リットルを搬送して、作業室を導通させねばならなかったが、脱着モードで得られたエキスはわずか１リットルであった。しかし、２つ以上の作業室では、これが可能である。
【００４３】
吸着システムが、少なくとも１つの収着剤に流体脱着剤を当てることで得られる第１香気成分濃縮物の少なくとも一部を、少なくとも１つの透過物と、酢酸エチルエステル、酪酸エチルエステル、イソブタノール、酢酸イソアミル、２−メチルブタン−１−オール、３−メチルブタン−１−オール、ヘキサン酸エチル、２−酢酸フェニルエチル及び２−フェニルエタノールの群からの少なくとも１つの香気成分に対するエタノールの比率が第１香気成分濃縮物の場合よりも小さい少なくとも１つの第2香気成分濃縮物に分離可能にする高濃縮装置を含むことによってさらなる利点が生じる。この種の高濃縮装置は、それによって、第１香気成分濃縮物を出発材料として、１つ又は複数のその他の香気成分に関する相対的減損を伴う第2香気成分濃縮物の製造を可能にする。第１香気成分濃縮物が得られる第１富化段階によって、後続の高濃縮装置内における集中的な適用が可能になり、それと共に、ｌｏｇＰow値（ｎ−オクタノール水分配係数Ｋowの常用対数）＜１．５の難吸着性強極性香気成分の、例えば、フーゼルアルコール、酢酸エチルエステル等の損失の最小化又は完全な回避が可能になる。さらに、高濃縮装置によって第１香気成分濃縮物を２倍以上に富化可能にすることを想定できる。
【００４４】
特に有利なのは、第2香気成分濃縮物中の酢酸エチルエステル、酪酸エチルエステル、イソブタノール、酢酸イソアミル（３−酢酸メチルブチル）、２−メチルブタン−１−オール、３−メチルブタン−１−オール、ヘキサン酸エチル（ヘキサン酸エチルエステル）、２−酢酸フェニルエチル及び２−フェニルエタノールの群からの１つ又は複数の香気成分に対するエタノールの比率を第１香気成分濃縮物の場合より少なくとも２だけ下げるように高濃縮装置を形成した場合である。これが意味するのは、第2香気成分濃縮物中では、その都度のメタノール量又は濃度に関して少なくとも２倍の上記香気成分の１つ又は複数が存在していることを意味している。この係数は原則的には２を超えることもでき、例えば、３、４、５、６、７、８、９、１０、１１、１２、１３、１４、１５、１６、１７、１８、１９、２０、２１、２２、２３、２４、２５、２６、２７、２８、２９、３０、３１、３２、３３、３４、３５、３６、３７、３８、３９、４０、４１、４２、４３、４４、４５、４６、４７、４８、４９、５０、５１、５２、５３、５４、５５、５６、５７、５８、５９、６０、６１、６２、６３、６４、６５、６６、６７、６８、６９、７０、７１、７２、７３、７４、７５、７６、７７、７８、７９、８０、８１、８２、８３、８４、８５、８６、８７、８８、８９、９０、９１、９２、９３、９４、９５、９６、９７、９８、９９、１００又はそれ以上にできる。
【００４５】
高濃縮装置が、内部に静止相として少なくとも１つの収着剤を配置した少なくとも１つの作業室を含み、作業室内では、香気成分を蓄積するため、収着剤に、作業室を導通させ得る移動相として香気成分濃縮物を当て得ることによって、さらなる利点が生じる。すなわち、高濃縮装置も固体槽抽出装置として形成されており、それにより、第１香気成分濃縮物の第２及び以降の各濃縮は、流体相（香気成分濃縮物）と固体相（収着剤又はソーベント）との間で起こる純粋な物理工程によって、特に慎重に、さらに、大きな回収係数及び富化係数で実施可能である。
【００４６】
少なくとも１つの作業室の全長が少なくとも２．５ｍであり、及び／又は、少なくとも１つの作業室の平均断面厚が３ｍｍ〜６．０ｍの間であることによって、さらなる利点が生じる。高濃縮装置の全ての存在する作業室の全長が少なくとも２．５ｍであることは、特に、全長が２．５ｍ、３．０ｍ、３．５ｍ、４．０ｍ、４．５ｍ、５．０ｍ、５．５ｍ、６．０ｍ、６．５ｍ、７．０ｍ、７．５ｍ、８．０ｍ、８．５ｍ、９．０ｍ、９．５ｍ、１０．０ｍ、１０．５ｍ、１１．０ｍ、１１．５ｍ、１２．０ｍ、１２．５ｍ、１３．０ｍ、１３．５ｍ、１４．０ｍ、１４．５ｍ、１５．０ｍ、１５．５ｍ、１６．０ｍ、１６．５ｍ、１７．０ｍ、１７．５ｍ、１８．０ｍ、１８．５ｍ、１９．０ｍ、１９．５ｍ、２０．０ｍ、２１ｍ、２２ｍ、２３ｍ、２４ｍ、２５ｍ、２６ｍ、２７ｍ、２８ｍ、２９ｍ、３０ｍ、３１ｍ、３２ｍ、３３ｍ、３４ｍ、３５ｍ、３６ｍ、３７ｍ、３８ｍ、３９ｍ、４０ｍ、４１ｍ、４２ｍ、４３ｍ、４４ｍ、４５ｍ、４６ｍ、４７ｍ、４８ｍ、４９ｍ、５０ｍ、５１ｍ、５２ｍ、５３ｍ、５４ｍ、５５ｍ、５６ｍ、５７ｍ、５８ｍ、５９ｍ、６０ｍ、６１ｍ、６２ｍ、６３ｍ、６４ｍ、６５ｍ、６６ｍ、６７ｍ、６８ｍ、６９ｍ、７０ｍ、７１ｍ、７２ｍ、７３ｍ、７４ｍ、７５ｍ、７６ｍ、７７ｍ、７８ｍ、７９ｍ、８０ｍ、８１ｍ、８２ｍ、８３ｍ、８４ｍ、８５ｍ、８６ｍ、８７ｍ、８８ｍ、８９ｍ、９０ｍ、９１ｍ、９２ｍ、９３ｍ、９４ｍ、９５ｍ、９６ｍ、９７ｍ、９８ｍ、９９ｍ、１００ｍ、又はそれ以上であると理解されよう。平均断面厚が３ｍｍ〜６．０ｍの間であることは、特に、平均断面厚又は内径が３ｍｍ、４ｍｍ、５ｍｍ、６ｍｍ、７ｍｍ、８ｍｍ、９ｍｍ、１ｃｍ、２ｃｍ、３ｃｍ、４ｃｍ、５ｃｍ、６ｃｍ、７ｃｍ、８ｃｍ、９ｃｍ、１０ｃｍ、１１ｃｍ、１２ｃｍ、１３ｃｍ、１４ｃｍ、１５ｃｍ、１６ｃｍ、１７ｃｍ、１８ｃｍ、１９ｃｍ、２０ｃｍ、２１ｃｍ、２２ｃｍ、２３ｃｍ、２４ｃｍ、２５ｃｍ、２６ｃｍ、２７ｃｍ、２８ｃｍ、２９ｃｍ、３０ｃｍ、３１ｃｍ、３２ｃｍ、３３ｃｍ、３４ｃｍ、３５ｃｍ、３６ｃｍ、３７ｃｍ、３８ｃｍ、３９ｃｍ、４０ｃｍ、４１ｃｍ、４２ｃｍ、４３ｃｍ、４４ｃｍ、４５ｃｍ、４６ｃｍ、４７ｃｍ、４８ｃｍ、４９ｃｍ、５０ｃｍ、５１ｃｍ、５２ｃｍ、５３ｃｍ、５４ｃｍ、５５ｃｍ、５６ｃｍ、５７ｃｍ、５８ｃｍ、５９ｃｍ、６０ｃｍ、６１ｃｍ、６２ｃｍ、６３ｃｍ、６４ｃｍ、６５ｃｍ、６６ｃｍ、６７ｃｍ、６８ｃｍ、６９ｃｍ、７０ｃｍ、７１ｃｍ、７２ｃｍ、７３ｃｍ、７４ｃｍ、７５ｃｍ、７６ｃｍ、７７ｃｍ、７８ｃｍ、７９ｃｍ、８０ｃｍ、８１ｃｍ、８２ｃｍ、８３ｃｍ、８４ｃｍ、８５ｃｍ、８６ｃｍ、８７ｃｍ、８８ｃｍ、８９ｃｍ、９０ｃｍ、９１ｃｍ、９２ｃｍ、９３ｃｍ、９４ｃｍ、９５ｃｍ、９６ｃｍ、９７ｃｍ、９８ｃｍ、９９ｃｍ、１．０ｍ、１．１ｍ、１．２ｍ、１．３ｍ、１．４ｍ、１．５ｍ、１．６ｍ、１．７ｍ、１．８ｍ、１．９ｍ、２．０ｍ、２．１ｍ、２．２ｍ、２．３ｍ、２．４ｍ、２．５ｍ、２．６ｍ、２．７ｍ、２．８ｍ、２．９ｍ、３．０ｍ、３．１ｍ、３．２ｍ、３．３ｍ、３．４ｍ、３．５ｍ、３．６ｍ、３．７ｍ、３．８ｍ、３．９ｍ、４．０ｍ、４．１ｍ、４．２ｍ、４．３ｍ、４．４ｍ、４．５ｍ、４．６ｍ、４．７ｍ、４．８ｍ、４．９ｍ、５．０ｍ、５．１ｍ、５．２ｍ、５．３ｍ、５．４ｍ、５．５ｍ、５．６ｍ、５．７ｍ、５．８ｍ、５．９ｍ又は６．０ｍ並びに相応する中間値であると理解されよう。断面厚さは特に計画容積流量に応じて選択される。
【００４７】
代替的又は付加的に、長さ２ｍ〜４ｍの作業室縦方向区間が有する容量Ｖ2が、第2香気成分濃縮物の最終容量と合致するように、少なくとも１つの作業室の形状を選択されることを想定している。これによって、作業室内の形状を、第2香気成分濃縮物が有するべき、又は、第１香気成分濃縮物の濃縮の目標とすべき最終又は希望容量に最適化できる。容量Ｖ2と最終容量の間には最大±１０％までの偏差を想定できる。
【００４８】
高濃縮装置が、好ましくはパーコレーション速度少なくとも２０ｍｌ／（ｍｉｎ×ｃｍ2）で香気成分濃縮物に少なくとも１つの作業室をポンプ導通するように構成された少なくとも１つのポンプ装置を含むことにより、さらなる利点が生じる。これによって特に精密な工程管理が可能になる。少なくとも２０ｍｌ／（ｍｉｎ×ｃｍ2）のパーコレーション速度とは、例えば、２０ｍｌ／（ｍｉｎ×ｃｍ2）、２５ｍｌ／（ｍｉｎ×ｃｍ2）、３０ｍｌ／（ｍｉｎ×ｃｍ2）、３５ｍｌ／（ｍｉｎ×ｃｍ2）、４０ｍｌ／（ｍｉｎ×ｃｍ2）、４５ｍｌ／（ｍｉｎ×ｃｍ2）、５０ｍｌ／（ｍｉｎ×ｃｍ2）、５５ｍｌ／（ｍｉｎ×ｃｍ2）、６０ｍｌ／（ｍｉｎ×ｃｍ2）、６５ｍｌ／（ｍｉｎ×ｃｍ2）、７０ｍｌ／（ｍｉｎ×ｃｍ2）、７５ｍｌ／（ｍｉｎ×ｃｍ2）、８０ｍｌ／（ｍｉｎ×ｃｍ2）、８５ｍｌ／（ｍｉｎ×ｃｍ2）、９０ｍｌ／（ｍｉｎ×ｃｍ2）、９５ｍｌ／（ｍｉｎ×ｃｍ2）、１００ｍｌ／（ｍｉｎ×ｃｍ2）又はそれ以上並びに相応する中間値であると理解されよう。
【００４９】
高濃縮装置が、相互に流体結合可能な少なくとも２つの作業室を含み、さらに、流体に作業室を導通させるための少なくとも１つのポンプ装置を、１つの作業室の上流及び／又は２つの作業室の間に配置し、及び／又は、全ての作業室を２つのポンプ装置の間に流体的に配置することによって、さらなる利点が生じる。少なくとも１つのポンプ装置と接続された２つ以上の作業室の流体結合によって、特に同じ容量の単独の作業室の場合とは違って、装入時の流速の明白な上昇が達成される。それに加えて、吸着システムの全長が延び、その結果、第２又はその他の各香気成分濃縮物中において、相応する回収係数の増大又は高い最終濃度を達成することができる。
【００５０】
少なくとも１つの収着剤に流体脱着剤を当てて、収着剤に吸着された香気成分を、香気成分が富化された香気成分濃縮物として脱着させるように、高濃縮装置を形成することによって、さらなる利点が生じる。このようにして、第２又はその他の各香気成分濃縮物を、脱着剤によって、高濃縮装置の溶出液として取得することが可能である。脱着剤は、原則的には、上記の第１香気成分濃縮物の取得時と同じ脱着剤、すなわち、流体純物質並びに２つ以上の脱着剤の任意の混合物及び／又はグラジエントとすることができる。さらに、高濃縮装置の脱着剤は、第１香気成分濃縮物の取得時と同じ脱着剤／脱着剤混合物又は同じ脱着剤グラジエントとすることができる。代替的に、別の脱着剤／脱着剤混合物又は別の脱着剤グラジエントを想定することもできる。これにより、例えば、高濃縮装置用の脱着剤として水又は水蒸気を使用することによって、例えば、溶媒交換の意味における香気成分濃縮物からのエタノールの少なくとも広範な除去が可能である。代替的に、高濃縮装置では（においても）、第２又はその他の各香気成分濃縮物の取得のために、脱着剤としてエタノール又はエタノール含有脱着剤混合物を使用できる。
【００５１】
高濃縮装置が、高濃縮装置の少なくとも１つの領域を所定温度に温度調節可能な少なくとも１つの温度調節装置を含むことで、さらなる利点が生じる。これにより、高濃縮装置の吸着及び／又は脱着特性を、第１香気成分濃縮物及び／又は望ましい第2香気成分濃縮物の組成に最適化できる。例えば、温度が１０℃、１５℃、２０℃、２５℃、３０℃、３５℃、４０℃、４５℃、５０℃、５５℃、６０℃、６５℃、７０℃、７５℃、８０℃、８５℃、９０℃、９５℃、１００℃、１０５℃、１１０℃、１１５℃、１２０℃、１２５℃、１３０℃、１３５℃、１４０℃又はそれ以上に調節可能になるように、温度調節装置を形成することができ、例えば４０℃、４１℃、４２℃、４３℃、４４℃、４５℃、４６℃、４７℃、４８℃、４９℃、５０℃等の中間値は同時に開示していると見なせる。温度調節装置は原則的には相対加熱及び／又は冷却用として形成できる。
【００５２】
高濃縮装置が、流体及び／又は少なくとも１つの脱着剤及び／又は第１及び／又は第2香気成分濃縮物のｐＨ値を調整及び／又は変更できる調量装置を含むことで、さらなる利点が生じる。このようにして、酸性又はアルカリ性香気成分の特異的判別を行うことが可能である。かかる香気成分の非限定例としては、流体によって決まるが、以下のものがある。
−  アミン（第１級、第２級、第３級、例えば、モノメチルアミン、ジメチルアミン、トリメチルアミン、モノエチルアミン、ジエチルアミン、トリエチルアミン等）
−  アルカロイド（例えば、ヒグリンのようなピロリジン・アルカロイド）
−  ステロイド・アルカロイド（例えば、ソラニン）
−  ピリジン・アルカロイド（例えば、ニコチン、アナバシン）
−  ピペリジン・アルカロイド（例えば、ピペリン）
−  トロパン・アルカロイド（例えば、ヒヨスチアミン、スコポラミン、コカイン）
−  キノリン・アルカロイド（例えば、キニン、キニジン）
−  イソキノリン・アルカロイド（例えば、モルフィン、コデイン、パパベリン、ベルべリン、ツボクラリン）
−  インドール・アルカロイド（例えば、アジマリン、エルゴタミン、ヨヒンビン、レセルピン、ストリキニン）
−  プリンアルカロイド（例えば、コフェイン、テオフィリン、テオブロミン）
−  非環式窒素含有アルカロイド（例えば、エフェドリン、メスカリン）
−  クラーレ・アルカロイド（例えば、トキシフェリン、ツボクラリン、アルクロニウム）
−  麦角アルカロイド（例えば、エルゴタミン、エルゴメトリン）
−  アヘン剤（例えば、モルフィン、コデイン、テバイン、パパベリン、ノスカピン、クリプトピン）
−  ビンカ・アルカロイド（例えば、ビンクリスチン、ビンブラスチン）
−  アスパラギン酸又はリシン誘導アルカロイド（例えば、ニコチン、ルピニン）
−  グリシン誘導アルカロイド（例えば、コフェイン、テオフィリン、テオブロミン）
−  ヒスチジン誘導アルカロイド（例えば、ピロカルピン）
−  オルニチン誘導アルカロイド（例えば、ヒヨスチアミン、スコポラミン、コカイン）
−  フェニルアラニン又はチロシン誘導アルカロイド（例えば、コルヒチン、モルフィン、コデイン、パパベリン、ツボクラリン、ベルベリン）
−  トリプトファン誘導アルカロイド（例えば、エルゴタミン、エルゴメトリン、アジマリン、レセルピン、ストリキニン）
−  カルボン酸含有化合物（例えば、ギ酸、酢酸等）
【００５３】
流体及び／又は脱着剤に、流体及び／又は脱着剤中に少なくとも一部が溶解する少なくとも１つの成分を所定量だけ添加した場合に、さらなる利点が生じる。すなわち、流体には、標準条件下では好ましくは固体で、流体中に少なくとも一部が溶解する少なくとも１つの成分を添加する。それに応じて、２、３、４又はそれ以上のかかる成分を添加できる。標準条件とは、本発明の範囲内では、圧力１，０００バール（１００，０００Ｎ／ｍ2）で温度２９８．１５Ｋ（２５．００℃；７７．００°Ｆ）であると理解されよう。代替的又は追加的に、純粋な溶媒又は溶媒混合物を使用するのでなく、溶剤に、標準条件下では好ましくは固体で、脱着剤中で少なくとも一部が溶解する少なくとも１つの成分を添加する。脱着剤は原則的には溶液、エマルジョン又は懸濁液とすることができる。本発明は、その１つ又は複数の成分の溶解によって、特定の香気成分の吸着及び／又は脱着挙動並びにクロマトグラフィ分離挙動に特異的に影響を与えられるという認識に依拠している。流体中のその１つ又は複数の成分の濃度上昇と共に、収着剤への特定の香気成分分子の吸着度が高くなり、それによって、特異的な富化および収率の改善が達成される。脱着剤中のその１つ又は複数の成分の濃度上昇と共に、収着剤からの特定の香気成分分子の脱着度が高くなり、それによって、他の香気成分からこれら香気成分の回収率を特に高め、分離を簡単にすることが可能になる。
【００５４】
その１つ又は複数の成分はあらゆる適当な形態で添加することができる。例えば、その１つ又は複数の成分は乾燥形態で、ないしは、粉末として添加することができる。同様に、その少なくとも１つの成分はまず一部又は全部を溶解させるか、又は懸濁させ、続いて、溶液又は懸濁液の形態で脱着剤に添加することを想定することができる。溶液の場合は、可能な限り高濃縮の、好ましくは飽和又は過飽和溶液を製造し、脱着剤に添加して、容量増加を可能な限り最小限に保つのが好ましい。さらに、原則的には、その少なくとも１つの成分を小分けにして添加することと、その場合、１回分の分量は一定又は可変を選択可能であることを想定できる。
【００５５】
本発明の有利な形態では、その成分は、無機塩、有機塩、モノマー糖、オリゴマー糖、ポリマー糖、砂糖代用品、人工甘味料、無機酸、有機酸、無機塩基及び有機塩基を含む群から選択する。かかる成分の非限定的例としては、ＮａＣｌ、ＫＣｌ、（ＮＨ4）2ＳＯ4、酢酸ナトリウム、酢酸銅、クエン酸、クエン酸ナトリウム、アミノ酸、グルコース、果糖、サッカロース、澱粉、アミロース、カラメル、転化糖、デクストロース、ソルビット、マンニトール、イソマルト、マルチトール、マルチトールシロップ、ラクチトール、キシリトール、エリトリトール、アセスルファム、アスパルテーム、アスパルテーム・アセスルファム・塩、チクロ、ネオヘスペリジン、ネオテーム、サッカリン、スクラロース、ステビオシド、タウマチン、ＮａＯＨ、ＫＯＨ、Ｃａ（ＯＨ）2、リン酸塩及びリン酸水素、例えば、（Ｋ／Ｎａ）3ＰＯ4、（Ｋ／Ｎａ）2ＨＰＯ4、（Ｋ／Ｎａ）2Ｈ2ＰＯ4、二リン酸塩、ポリリン酸塩、炭酸塩及び炭酸水素の群から選択する。代替的又は追加的に、標準条件下では脱着剤中で発熱溶解する成分を選択することを想定できる。発熱溶解とは、本発明の範囲内では、成分が自然発生的に自由エンタルピーＧを減少させつつ脱着剤中で溶解することであると理解されたい。これによって、成分を溶解させるための脱着剤の加熱およびその他の措置を不要にできることが有利なことから、特に迅速かつ簡単な工程実施が可能になる。
【００５６】
この少なくとも１つの成分は、少なくとも０．１ｇ／ｌ、特に少なくとも１ｇ／ｌ、及び、好ましくは少なくとも１０ｇ／ｌの量で脱着剤に添加することができる。原則的には、その成分の濃度と共に、その１つ又は複数の香気成分の回収率及び達成可能富化係数が上昇する。少なくとも０．１ｇ／ｌの量とは、例えば、０．１ｇ／ｌ、０．２ｇ／ｌ、０．３ｇ／ｌ、０．４ｇ／ｌ、０．５ｇ／ｌ、０．６ｇ／ｌ、０．７ｇ／ｌ、０．８ｇ／ｌ、０．９ｇ／ｌ、１．０ｇ／ｌ、２ｇ／ｌ、３ｇ／ｌ、４ｇ／ｌ、５ｇ／ｌ、６ｇ／ｌ、７ｇ／ｌ、８ｇ／ｌ、９ｇ／ｌ、１０ｇ／ｌ、１５ｇ／ｌ、２０ｇ／ｌ、２５ｇ／ｌ、３０ｇ／ｌ、３５ｇ／ｌ、４０ｇ／ｌ、４５ｇ／ｌ、５０ｇ／ｌ、５５ｇ／ｌ、６０ｇ／ｌ、６５ｇ／ｌ、７０ｇ／ｌ、７５ｇ／ｌ、８０ｇ／ｌ、８５ｇ／ｌ、９０ｇ／ｌ、９５ｇ／ｌ、１００ｇ／ｌ又はそれ以上であると理解され、相応する中間値は同時に開示していると見なされる。代替的又は追加的に、その少なくとも１つの成分は、脱着剤の含水率がその総容量に関して最大９４％になる量で添加することを想定しておく。これによっても、その１つ又は複数の香気成分の回収率及び達成可能富化係数を上昇させることができる。本発明の範囲内では、別段の指示がない限りは、パーセント表示は容積パーセントであると理解されたい。含水率最大９４％とは、それに応じて、容量パーセントで９４％、９３％、９２％、９１％、９０％、８９％、８８％、８７％、８６％、８５％、８４％、８３％、８２％、８１％、８０％、７９％、７８％、７７％、７６％、７５％、７４％、７３％、７２％、７１％、７０％、６９％、６８％、６７％、６６％、６５％、６４％、６３％、６２％、６１％、６０％、５９％、５８％、５７％、５６％、５５％、５４％、５３％、５２％、５１％、５０％、４９％、４８％、４７％、４６％、４５％、４４％、４３％、４２％、４１％、４０％、３９％、３８％、３７％、３６％、３５％、３４％、３３％、３２％、３１％、３０％、２９％、２８％、２７％、２６％、２５％、２４％、２３％、２２％、２１％、２０％、１９％、１８％、１７％、１６％、１５％、１４％、１３％、１２％、１１％、１０％、９％、８％、７％、６％、５％、４％、３％、２％、１％又はそれ以下であると理解されたい。
【００５７】
少なくとも１つの作業室を、少なくとも領域ごとに、ネジ形及び／又はらせん形及び／又はジグザグ形及び／又は蛇行形に形成することで、さらなる利点が生じる。これにより、上記のように一方では比較的長く、他方では比較的薄い少なくとも１つの作業室は特にコンパクトに形成されることで、吸着システム又は高濃縮装置内に特に簡単に組込むことができる。
【００５８】
本発明の第2態様は、第１態様による吸着システムの運転方法であって、少なくとも１つの収着剤を静止相として吸着システムの少なくとも１つの作業室内に配置し、香気成分含有流体を移動相として貫流させ、その結果、流体中に含まれる香気成分の少なくとも一部が収着剤に吸着し、少なくとも１つの作業室の全長に対する平均断面厚の比率は最大０．３である、吸着システムの運転方法に関する。これにより、可能な限り長く、好ましくは幅が狭いソーベント床を提供して、流体中に含まれる香気成分分子の少なくとも一部の吸着のために使用し、それにより、その都度使用される１つ又は複数の吸着剤及び流体中に存在する香気成分分子の結合特性に応じて、極性香気成分も非極性香気成分も可能な限り均質に収着剤に吸着させられる。それに応じて、この方法によって、特に真正な香気成分濃縮物を、すなわち、元の流体中に存在する全ての香気成分が少なくとも主として、又は基本的に均質かつ低損失で富化された状態にある香気成分濃縮物を製造することが可能である。さらなる特徴及びその利点は、第１態様の説明から読み取るものとし、第１態様の有利な形態は第2態様の有利な形態でもあり、その逆でもあると見なす。
【００５９】
この方法を一般的に実施可能であるのは、全ての適当な工程温度では、例えば、−１００℃〜＋２００℃の間の温度で、従って、例えば、−１００℃、−９５℃、−９０℃、−８５℃、−８０℃、−７５℃、−７０℃、−６５℃、−６０℃、−５５℃、−５０℃、−４５℃、−４０℃、−３５℃、−３０℃、−２５℃、−２０℃、−１５℃、−１０℃、−５℃、０℃、＋５℃、＋１０℃、＋１５℃、＋２０℃、＋２５℃、＋３０℃、＋３５℃、＋４０℃、＋４５℃、＋５０℃、＋５５℃、＋６０℃、＋６５℃、＋７０℃、＋７５℃、＋８０℃、＋８５℃、＋９０℃、＋９５℃、＋１００℃、＋１０５℃、＋１１０℃、＋１１５℃、＋１２０℃、＋１２５℃、＋１３０℃、＋１３５℃、＋１４０℃、＋１４５℃、＋１５０℃、＋１５５℃、＋１６０℃、＋１６５℃、＋１７０℃、＋１７５℃、＋１８０℃、＋１８５℃、＋１９０℃、＋１９５℃、＋２００℃又はそれ以上であり、＋８０℃、＋８１℃、＋８２℃、＋８３℃、＋８４℃、＋８５℃、＋８６℃、＋８７℃、＋８８℃、＋８９℃、＋９０℃等のような中間値は同時に開示していると見なす。これより高い工程温度は、多くの例では、収着剤の装入及び／又は排出を促進できる。さらに、工程温度は方法中に１回又は数回変えられ得る。
【００６０】
この方法が原則的に実施可能であるのは、全ての適当な工程圧では、例えば、約０バール〜約１５バールの間の圧力では、従って、例えば、０．０００１バール、０．００１バール、０．０１バール、０．１バール、０．２バール、０．３バール、０．４バール、０．５バール、０．６バール、０．７バール、０．８バール、０．９バール、１バール、２バール、３バール、４バール、５バール、６バール、７バール、８バール、９バール、１０バール、１１バール、１２バール、１３バール、１４バール、１５バール又はそれ以上である。さらに、工程圧力は方法中に１回又は数回変えることが可能である。
【００６１】
本発明の有利な形態においては、流体として、少なくとも一部に、脱アルコールワインの香気成分含有蒸留物及び／又は香気成分含有膜透過物の使用を想定している。これにより、異なる脱アルコール法によって取得した流体を香気成分回収及び富化に有利に使用できる。代替的又は付加的に、エタノール含有率が０容量％〜５０容量％の間の流体を使用することを想定している。エタノール含有率０容量％〜５０容量％とは、特に、エタノール含有率が、０容量％、１容量％、２容量％、３容量％、４容量％、５容量％、６容量％、７容量％、８容量％、９容量％、１０容量％、１１容量％、１２容量％、１３容量％、１４容量％、１５容量％、１６容量％、１７容量％、１８容量％、１９容量％、２０容量％、２１容量％、２２容量％、２３容量％、２４容量％、２５容量％、２６容量％、２７容量％、２８容量％、２９容量％、３０容量％、３１容量％、３２容量％、３３容量％、３４容量％、３５容量％、３６容量％、３７容量％、３８容量％、３９容量％、４０容量％、４１容量％、４２容量％、４３容量％、４４容量％、４５容量％、４６容量％、４７容量％、４８容量％、４９容量％又は５０容量％並びに相応する中間値であると理解されたい。これにより、例えば、ブドウ圧搾工場内に存在するか、又はそこで製造される様々な流体を、本発明による方法の範囲内で処理し、香気成分濃縮物の製造に使用できる。
【００６２】
平均パーコレーション速度が少なくとも２０ｍｌ／（ｍｉｎ×ｃｍ2）の流体に、少なくとも１つの作業室を導通させることにより、さらなる利点が生じる。これによって特に精密な工程管理が可能になる。パーコレーション速度は少なくとも２０ｍｌ／（ｍｉｎ×ｃｍ2）とは、例えば、２０ｍｌ／（ｍｉｎ×ｃｍ2）、２５ｍｌ／（ｍｉｎ×ｃｍ2）、３０ｍｌ／（ｍｉｎ×ｃｍ2）、３５ｍｌ／（ｍｉｎ×ｃｍ2）、４０ｍｌ／（ｍｉｎ×ｃｍ2）、４５ｍｌ／（ｍｉｎ×ｃｍ2）、５０ｍｌ／（ｍｉｎ×ｃｍ2）、５５ｍｌ／（ｍｉｎ×ｃｍ2）、６０ｍｌ／（ｍｉｎ×ｃｍ2）、６５ｍｌ／（ｍｉｎ×ｃｍ2）、７０ｍｌ／（ｍｉｎ×ｃｍ2）、７５ｍｌ／（ｍｉｎ×ｃｍ2）、８０ｍｌ／（ｍｉｎ×ｃｍ2）、８５ｍｌ／（ｍｉｎ×ｃｍ2）、９０ｍｌ／（ｍｉｎ×ｃｍ2）、９５ｍｌ／（ｍｉｎ×ｃｍ2）、１００ｍｌ／（ｍｉｎ×ｃｍ2）又はそれ以上並びに相応する中間値であると理解されたい。
【００６３】
本発明の有利な形態においては、香気成分含有流体に、少なくとも２つの作業室を並行して導通させることを想定している。この形態は、作業室内に配置されるソーベント又は収着剤の特に迅速な装入を短い工程操作手順で可能にし、それにより、この方法は特に迅速に、高い費用対効果で、少なくとも半自動又は準自動で実施可能である。さらに、吸着剤に対する分配クロマトグラフ効果の制御を向上させ、極性香気成分と非極性香気成分との強い空間的分離を防止できる。これが、後続の脱着において取得可能な香気成分濃縮物の真正度を付加的に向上させる。同時に大きな濃縮係数が達成され、それにより、対応する高富化香気成分濃縮物が入手可能になる。さらに、少なくとも２つの作業室中には異なる収着剤又は異なる収着剤混合物を入れて、流体中に含まれる香気成分種が改善され、可能な限り完全な吸着を保証できる。同じ装入能力を有する単独の作業室を使用した場合に可能だったのと同程度になるように、総容量を縮小、なしいしはソーベント装入量を低減した複数の作業室を使用できる。それと共に、作業室に対する圧力低下が減少し、それにより、差圧を下げて作業ができる。これは、例えば、費用対効果の向上したポンプ装置の使用を可能にすると共に、収着剤の摩耗の減少に繋がり、それにより、相応するコスト削減が達成可能となる。付加的に、この方法は、作業室及びその内部に含まれる香気成分収着剤の各選択される数及び種類に関して、異なる流量に適合できる。代替的又は付加的に、重力方向とは逆に香気成分含有流体に少なくとも１つの作業室を導通させることを想定している。すなわち、１つ又は複数の作業室は可能な限り垂直に配置して、下から上に流体を貫流させる。これが流体中に含まれる香気成分の吸着を改善する。
【００６４】
代替的又は付加的に、流体に少なくとも２つの作業室を連続して導通させることを想定しており、好ましくは、少なくとも１つの下流に位置する作業室の方が、少なくとも１つの上流に位置する作業室よりも大きな容量を有する。すなわち、装入方向に前後して配置される２つ以上の作業室を連続して流体が貫流し、さらに、作業室の容量は装入方向に増大している。これによって、第１の、又は上流に位置する作業室内では主として非極性香気成分を結合させ、第２の、又は下流に位置する作業室内では主として極性香気成分を結合することが特に簡単になる。個々の作業室の容量比率は、装入可能な各ソーベント量及び装入すべき各香気成分量と相関している。さらなる利点は、少なくとも２つの作業室において、異なる方式で、又は相互に独立して、脱着を行えることにある。さらに、２段階又は多段階方式によって、特異的富化又は減損の対象となる香気成分にとって有利な付加的可能性が生じ、これにより、香気プロファイルの調整が可能となる。さらに、２段階又は多段階方式により、特に大きな富化係数の達成が可能になる。１つの作業室だけでは、通常、一方では、合理的な工程時間では大きな初期容量を受取りできず、他方では、個々の香気成分の富化係数は相応して大きくなってはいるが、得られるエキスの容量は極めて微量であった。例えば、一方では富化係数が３０００の場合、吸着モードでは約３０００リットルを作業室に導通させる必要があったが、脱着モードでは得たエキスは僅か１リットルであった。しかし、上記方式で連続して装入が行われる２つ以上の作業室では、これが可能となる。
【００６５】
流体の貫流時に、少なくとも１つの香気成分含有作業室内の温度を、少なくとも１つの下流に位置する作業室内の温度より高い値に調節することで、さらなる利点が生じる。これにより吸着特性を最適に調整でき、その結果、特に真正な香気成分濃縮物が大きな回収係数で得られる。
【００６６】
本発明のその他の有利な形態においては、流体からの香気成分の少なくとも一部の吸着後に、収着剤に脱着剤を当て、それにより、収着剤に吸着した香気成分の少なくとも一部を脱着させて、さらなる利点が生じる。これにより、香気成分を含む香気成分濃縮物の形態で吸着香気成分の回収が可能となる。
【００６７】
香気成分含有流体とは逆の流動方向に、脱着剤に少なくとも１つの作業室を導通させることで、さらなる利点が生じる。すなわち、１つ以上の作業室又はその内部に配置される収着剤を装入時に使用された流動方向とは逆方向に排出するため、流体が貫流する。これが、各収着剤に吸着した全ての香気成分の少なくとも基本的には完全な回収を確保し、それにより、元の流体中に含まれる香気成分の富化された形態で相応した完全な回収が達成される。代替的又は付加的に、脱着剤に連続して少なくとも２つ作業室を導通させることを想定している。よって、少なくとも２つの作業室内で各収着剤に吸着した香気成分の少なくともほぼ完全な回収が確保される。代替的又は付加的に、差圧を高めて流体の流動方向とは逆方向に脱着剤をポンプ搬送することを想定している。これは、吸着又は装入と脱着又は排出との間の切替えを簡単な方法で可能にする。付加的に、脱着剤を、内部に含まれる脱着された香気成分と共に、作業室を流通後に、流体内又は流体主ストリーム内に流入させ、流体主ストリーム内で希釈し、別の作業室に導くことが可能となる。これにより、下流に位置する１つ又は複数の作業室に、元の流体に比べて香気成分が富化された流体を当てることができ、それにより、下流に位置する１つ又は複数の作業室内で、（一層）強力な富化を相応する大きな濃縮係数で達成できる。
【００６８】
本発明のその他の有利な形態においては、重力方向に少なくとも１つの作業室に香気成分含有流体を導通することを想定している。すなわち、１つ又は複数の作業室は可能な限り垂直に配置して、上から下に流体を脱着剤と共に貫流させる。これが流体中に含まれる香気成分の吸着を改善し、それにより、相応して高濃縮された真正な香気成分濃縮物が得られる。
【００６９】
少なくとも１つの作業室を導通させる際に、脱着剤グラジエントを利用すること、及び／又は、同じ作業室から香気成分を段階的収着するために溶媒交換を利用すること、及び／又は、異なる脱着剤に異なる作業室を導通させること、及び／又は、容量の異なる脱着剤に異なる作業室を導通させることにより、さらなる利点が生じる。これが、個々の香気成分の富化係数が特に増大している特に真正な香気成分濃縮物の製造、又は、代替的に、香気成分濃縮物の組成の特異的調整を選択的に可能にして、例えば、それにより、望ましい香気成分は望ましくない香気成分に対して富化されるのに対して、望ましくない香気成分は全く又はほんの僅かな範囲でしか回収又は富化されない。同様に、これにより、好ましくはエタノールの一部又は全部が他の溶媒、特に水と交換されるある種の溶媒交換が可能となる。
【００７０】
異なる温度調節が行われた脱着剤に異なる作業室を導通させれば、さらなる利点が生じる。例えば、第１作業室に、室温（２５℃）に調節された脱着剤を当て、第2作業室に、室温よりも高温（例えば、５０℃、７５℃、１００℃又はそれ以上）の脱着剤を当てて、特定の脱着特性を達成できる。代替的又は付加的に、少なくとも１つの所定領域だけに脱着剤を当て、それにより、特定の香気成分又は香気成分群又は香気成分画分だけを選択的に脱着できるようにして、得られる香気成分収着剤物の香気プロファイルを特異的に調整することを想定している。代替的又は付加的に、少なくとも１つの作業室に、標準圧力より高い圧力下にある脱着剤を当てることを想定している。これによっても、特定の脱着特性を達成できる。
【００７１】
少なくとも２つの脱着画分を収集することで、さらなる利点が生じる。このことは、２、３、４、５，６、７、８、９、１０、１１、１２、１３、１４、１５、１６、１７、１８、１９、２０又はそれ以上の画分を収集することを意味する。２つ以上の画分の一部又は全部を一体化させて、香気成分濃縮物を製造する。これが特に有利なのは、複数の作業室に、場合により異なる脱着剤を当て、全ての香気成分の可能な限り完全な回収を確保する場合である。逆に、原則的には、１つ又は複数の画分を廃棄するか、又は一部だけを香気成分濃縮物に結合させて、香気プロファイルの調整を達成することももちろん可能である。同様に、１つだけ、又は複数の脱着画分に対して、さらなる富化段階において、高度濃縮を行うことを想定できる。
【００７２】
エタノール、水、水蒸気及びエタノール・水混合物の群からの少なくとも１つの脱着剤を使用することで、さらなる利点が生じる。これにより、特に、香気成分濃縮物のパラメータである富化係数、回収率及びエタノール含有率に特異的に影響を与えられる。ノンアルコール食品及び／又は嗜好品と混合できる香気成分濃縮物は、その香気プロファイルを改善するため、元々極めて微量のエタノールしか含まないか、又はエタノールを実質的に含まず、その結果、香気成分濃縮物の添加量を増やしても、食品及び／又は嗜好品のエタノール含有率の関連上昇は皆無又は少なくとも皆無であることから、特に、水及び／又は水蒸気を脱着剤とし使用することにより、エタノール含有率が特に低い（例えば、＜０．１容量％＜０．０４５容量％以下の）ノンアルコール食品及び／又は嗜好品の製造がさらに簡素化される。
【００７３】
流体中の出発濃度に関して、酢酸エチルエステル、酪酸エチルエステル、イソブタノール、酢酸イソアミル、２−メチルブタン−１−オール、３−メチルブタン−１−オール、ヘキサン酸エチル、２−酢酸フェニルエチル及び２−フェニルエタノールの群からの１つ又は複数の香気成分の回収率が少なくとも２／３であり、及び／又は、流体中の出発濃度に関して、酢酸エチルエステル、酪酸エチルエステル、イソブタノール、酢酸イソアミル、２−メチルブタン−１−オール、３−メチルブタン−１−オール、ヘキサン酸エチル、２−酢酸フェニルエチル及び２−フェニルエタノールの群からの少なくとも３０モル％の１つ又は複数の香気成分が回収され、及び／又は、流体中の出発濃度に関して、酢酸エチルエステル、酪酸エチルエステル、イソブタノール、酢酸イソアミル、２−メチルブタン−１−オール、３−メチルブタン−１−オール、ヘキサン酸エチル、２−酢酸フェニルエチル及び２−フェニルエタノールの群からの１つ又は複数の香気成分の濃度が少なくとも１０倍に、つまり、例えば、１０、１１、１２、１３、１４、１５、１６、１７、１８、１９、２０、２１、２２、２３、２４、２５、２６、２７、２８、２９、３０、３１、３２、３３、３４、３５、３６、３７、３８、３９、４０、４１、４２、４３、４４、４５、４６、４７、４８、４９、５０、５１、５２、５３、５４、５５、５６、５７、５８、５９、６０、６１、６２、６３、６４、６５、６６、６７、６８、６９、７０、７１、７２、７３、７４、７５、７６、７７、７８、７９、８０、８１、８２、８３、８４、８５、８６、８７、８８、８９、９０、９１、９２、９３、９４、９５、９６、９７、９８、９９、１００倍又はそれ以上に高められている香気成分濃縮物を製造することで、さらなる利点が生じる。これによって、極性香気成分の少なくとも広範な回収及び可能な限り強力な濃縮も確保される。
【００７４】
本発明のその他の有利な形態においては、流体として、少なくとも部分脱アルコールワインの香気成分含有蒸留物及び／又は香気成分含有膜透過物を使用し、第１香気成分濃縮物のメタノール量を、脱アルコール前のワインのメタノール量の最大１／１０とすることを想定している。これによって、脱アルコールワインのエタノール含有率の関連上昇に繋がることなく脱アルコールワインの香気プロファイルを改善するため、ノンアルコールワインに比較的小容量を添加すべき香気成分濃縮物の製造が可能になる。それと共に、残留エタノール含有率が０．１容量％未満、特に最大０．０４５容量％で、なお且つ、ワインに人工又は天然又は天然同一香気を添加しなくても、例えば、普通のアルコール含有ワインに匹敵する真正な香気プロファイルを、特に、ワインからは取得されなかった香気を有するワインを製造することもできる。対照的に、ワインに添加されたブドウ圧搾固有原料及び製品由来の全ての香気成分濃縮物は回収できる。エタノール量最大１／１０とは、特に、その脱アルコール前の出発ワインのエタノール量に関するエタノール量が１／１０、１／２０、１／３０、１／４０、１／５０、１／６０、１／７０、１／８０、１／９０、１／１００、１／１１０、１／１２０、１／１３０、１／１４０、１／１５０、１／１６０、１／１７０、１／１８０、１／１９０、１／２００、１／３００、１／４００、１／５００、１／６００、１／７００、１／８００、１／９００、１／１０００、１／１１００、１／１２００、１／１３００、１／１４００、１／１５００、１／１６００、１／１７００、１／１８００、１／１９００、１／２０００、１／２１００、１／２２００、１／２３００、１／２４００、１／２５００、１／２６００、１／２７００、１／２８００、１／２９００、１／３０００、１／３１００、１／３２００、１／３３００、１／３４００、１／３５００、１／３６００、１／３７００、１／３８００、１／３９００、１／４０００、１／４１００、１／４２００、１／４３００、１／４４００、１／４５００、１／４６００、１／４７００、１／４８００、１／４９００、１／５０００又はそれ以下であると理解されたい。
【００７５】
香気成分濃縮物のエタノール含有率を好ましくは水の添加によって０．５容量％〜４０容量％の間に値に調整することで、さらなる利点が生じる。エタノール含有率は、例えば、０．５容量％、１．０容量％、１．５容量％、２．０容量％、２．５容量％、３．０容量％、３．５容量％、４．０容量％、４．５容量％、５．０容量％、５．５容量％、６．０容量％、６．５容量％、７．０容量％、７．５容量％、８．０容量％、８．５容量％、９．０容量％、９．５容量％、１０．０容量％、１０．５容量％、１１．０容量％、１１．５容量％、１２．０容量％、１２．５容量％、１３．０容量％、１３．５容量％、１４．０容量％、１４．５容量％、１５．０容量％、１５．５容量％、１６．０容量％、１６．５容量％、１７．０容量％、１７．５容量％、１８．０容量％、１８．５容量％、１９．０容量％、１９．５容量％、２０．０容量％、２０．５容量％、２１．０容量％、２１．５容量％、２２．０容量％、２２．５容量％、２３．０容量％、２３．５容量％、２４．０容量％、２４．５容量％、２５．０容量％、２５．５容量％、２６．０容量％、２６．５容量％、２７．０容量％、２７．５容量％、２８．０容量％、２８．５容量％、２９．０容量％、２９．５容量％、３０．０容量％、３０．５容量％、３１．０容量％、３１．５容量％、３２．０容量％、３２．５容量％、３３．０容量％、３３．５容量％、３４．０容量％、３４．５容量％、３５．０容量％、３５．５容量％、３６．０容量％、３６．５容量％、３７．０容量％、３７．５容量％、３８．０容量％、３８．５容量％、３９．０容量％、３９．５容量％又は４０．０容量％に調整できる。エタノール含有率の調整により、高濃縮装置内での第１香気成分濃縮物のさらなる一部又は完全処理の際における１つ又は複数の脱着剤の望ましい装入特性の達成を確保できる。
【００７６】
少なくとも１つの作業室から第１香気成分濃縮物の少なくとも一部を、高濃縮装置により、少なくとも１つの香気成分減損透過物と、少なくとも１つの第2香気成分富化香気成分濃縮物とに分離することで、さらなる利点が生じる。香気成分減損透過物は選択的に廃棄するか、又は、透過物の添加によってその香気プロファイルを全く又は少なくとも基本的に変化させられないアルコール飲料の製造に使用できる。第１香気成分濃縮物に比べて大幅に富化された第2香気成分濃縮物は、そのエタノール含有率を高めずに、ノンアルコール食品及び又は嗜好品の香気プロファイルの調整に特に好適に使用できる。代替的又は付加的に、第2香気成分濃縮物は、その他の食品及び嗜好品、香水等に香気付けするために使用できる。さらに、第１香気成分濃縮物の少なくとも一部を第2香気成分濃縮物の少なくとも一部と混合して、第３香気成分濃縮物を作ることを想定できる。
【００７７】
香気成分濃縮物の付加的な富化が、香気成分濃縮物に、移動相として作業室を導通させる香気成分濃縮物の香気成分が堆積する高濃縮装置の少なくとも１つの作業室を導通させることで可能になる。
【００７８】
香気成分濃縮物に、全長が少なくとも２．５ｍの少なくとも１つの作業室を導通させること、及び／又は、平均パーコレーション速度が少なくとも２０ｍｌ／（ｍｉｎ×ｃｍ2）の香気成分濃縮物に、少なくとも１つの作業室を導通させることで、さらなる利点が生じる。極性香気成分も非極性香気成分も、少なくとも大部分の回収が可能になり、それによって、真正な香気成分プロファイルが得られ、この方法に相応して経済的に実施可能となる。
【００７９】
高濃縮装置の収着剤に流体脱着剤を当て、収着剤に吸着した香気成分を第2香気成分濃縮物として脱着させ、そこで、好ましくは、酢酸エチルエステル、酪酸エチルエステル、イソブタノール、酢酸イソアミル、２−メチルブタン−１−オール、３−メチルブタン−１−オール、ヘキサン酸エチル、２−酢酸フェニルエチル及び２−フェニルエタノールの群からの１つ又は複数の香気成分を第１香気成分濃縮物に比べて好ましくは少なくとも１０倍に富化し、さらに、上記の香気成分のどれが存在し、存在する場合に、それを富化できるかどうかは、当然ながら流体の組成によって決まるので、さらなる利点が生じる。それと共に、元の流体から、第１香気成分濃縮物より高濃縮され、香気成分が４００、４５０、５００、５５０、６００、６５０、７００、７５０、８００、８５０、９００、９５０、１０００、１０５０、１１００、１１５０、１２００、１２５０、１３００、１３５０、１４００、１４５０、１５００、１５５０、１６００、１６５０、１７００、１７５０、１８００、１８５０、１９００、１９５０、２０００倍又はそれ以上に富化されている第2香気成分濃縮物を製造可能であり、ここで、相応する中間値は同時に開示いていると見なす。
【００８０】
エタノール、水、水蒸気及びエタノール・水混合物の群から少なくとも１つの脱着剤を使用することで、さらなる利点が生じる。これにより、特に、香気成分濃縮物のパラメータである富化係数、回収率及びエタノール含有率に特異的に影響を与えられる。特に、ノンアルコールワインと混合できる香気成分濃縮物は、その香気プロファイルを改善するため、元々極めて微量のエタノールしか含まない、又はエタノールを実質的に含んでおらず、その結果、香気成分濃縮物の添加量を増やしても、エタノール含有率の関連上昇は皆無又は少なくとも皆無であるから、水及び／又は水蒸気を脱着剤として使用することで、エタノール含有率が特に低い（例えば、＜０．１容量％＜０．０４５容量％以下の）ノンアルコールワインの製造がさらに簡素化される。
【００８１】
流体として、少なくとも部分脱アルコールワインの香気成分含有蒸留物及び／又は香気成分含有膜透過物を使用し、第2香気成分濃縮物のメタノール量を脱アルコール前のワインのメタノール量を最大１／１０とすることで、さらなる利点が生じる。これにより、脱アルコールワインのエタノール含有率の関連上昇に繋がることなく脱アルコールワインの香気プロファイルを改善するには、ノンアルコールワインに相応のほんの小容量だけ添加すればよい香気成分濃縮物が製造可能になる。それと共に、残留エタノール含有率が０．１容量％未満、特に最大０．０４５容量％で、なお且つ、ワインに人工又は天然又は天然同一香気を添加しなくても、例えば、普通のアルコール含有ワインに匹敵する真正な香気プロファイルを、特に、ワインからは取得されなかった香気を有するワインも製造できる。対照的に、ワインに添加されたブドウ圧搾固有原料及び製品由来の全ての香気成分濃縮物は回収できる。最大１／１０のエタノール量とは、特に、脱アルコール前のワインのエタノール量に対するエタノール量が１／１０、１／２０、１／３０、１／４０、１／５０、１／６０、１／７０、１／８０、１／９０、１／１００、１／１１０、１／１２０、１／１３０、１／１４０、１／１５０、１／１６０、１／１７０、１／１８０、１／１９０、１／２００、１／３００、１／４００、１／５００、１／６００、１／７００、１／８００、１／９００、１／１０００、１／１１００、１／１２００、１／１３００、１／１４００、１／１５００、１／１６００、１／１７００、１／１８００、１／１９００、１／２０００、１／２１００、１／２２００、１／２３００、１／２４００、１／２５００、１／２６００、１／２７００、１／２８００、１／２９００、１／３０００、１／３１００、１／３２００、１／３３００、１／３４００、１／３５００、１／３６００、１／３７００、１／３８００、１／３９００、１／４０００、１／４１００、１／４２００、１／４３００、１／４４００、１／４５００、１／４６００、１／４７００、１／４８００、１／４９００、１／５０００又はそれ以下であると理解されたい。
【００８２】
流体中の出発濃度に関して、酢酸エチルエステル、酪酸エチルエステル、イソブタノール、酢酸イソアミル、２−メチルブタン−１−オール、３−メチルブタン−１−オール、ヘキサン酸エチル、２−酢酸フェニルエチル及び２−フェニルエタノールの群からの１つ又は複数の香気成分の回収率が少なくとも２／３であり、及び／又は、流体中の出発濃度に関して、酢酸エチルエステル、酪酸エチルエステル、イソブタノール、酢酸イソアミル、２−メチルブタン−１−オール、３−メチルブタン−１−オール、ヘキサン酸エチル、２−酢酸フェニルエチル及び２−フェニルエタノールの群からの少なくとも３０モル％の１つ又は複数の香気成分が回収され、及び／又は、流体中の出発濃度に関して、酢酸エチルエステル、酪酸エチルエステル、イソブタノール、酢酸イソアミル、２−メチルブタン−１−オール、３−メチルブタン−１−オール、ヘキサン酸エチル、２−酢酸フェニルエ
チル及び２−フェニルエタノールの群からの１つ又は複数の香気成分の濃度が少なくとも１０倍に、従って、例えば、１０、１１、１２、１３、１４、１５、１６、１７、１８、１９、２０、２１、２２、２３、２４、２５、２６、２７、２８、２９、３０、３１、３２、３３、３４、３５、３６、３７、３８、３９、４０、４１、４２、４３、４４、４５、４６、４７、４８、４９、５０、５１、５２、５３、５４、５５、５６、５７、５８、５９、６０、６１、６２、６３、６４、６５、６６、６７、６８、６９、７０、７１、７２、７３、７４、７５、７６、７７、７８、７９、８０、８１、８２、８３、８４、８５、８６、８７、８８、８９、９０、９１、９２、９３、９４、９５、９６、９７、９８、９９、１００倍又はそれ以上に富化されている第2香気成分濃縮物を製造することで、さらなる利点が生じる。これにより、極性及び非極性香気成分の少なくとも広範な回収及び可能な限り強力な濃縮が確保される。
【００８３】
第１香気成分濃縮物、第2香気成分濃縮物、香気成分含有流体、脱香気透過物並びに食品及び／又は嗜好品からなる群からの少なくとも２つを混合した場合に、さらなる利点が生じる。すなわち、第１香気成分濃縮物、第2香気成分濃縮物（高濃縮段階）、香気成分含有流体（香気成分濃縮物製造用の出発材料）、脱香気透過物並びに食品及び／又は嗜好品の群からの２、３、４又は５を相互に混合して、望ましい最終製品を製造する。混合は例えばバッチ処理を経ての手作業により、又は、連続インライン処理において自動的に行うことができる。原則的には、第１香気成分濃縮物及び／又は第2香気成分濃縮物及び／又は香気成分含有流体及び／又は脱香気透過物及び／又は食品及び／又は嗜好品の総容量又は１つ又は複数の画分を混合することを想定できる。これにより、望ましい香気成分プロファイルの調整並びに望ましい食品及び／又は嗜好品の製造の特に柔軟性のある可能性が得られる。食品及び／又は嗜好品は、例えば、ワイン、タバコ、タバコ製品およびコーヒーの群から選択できる。混合の目標は、低アルコールワインが、選択された香気成分に関して、非アルコール出発製品又は同等の非アルコール低減ワインに相応する香気プロファイルを取得するように、実際の香気プロファイルと目標の香気プロファイルとの間の、例えば、アルコール０．０容量％、アルコール０．５容量％、アルコール５容量％、アルコール７．５容量％の低アルコールワインの間の「香気ギャップ」を満たすこと、又は補償することにある。代替的に、混合の目標は、特定の香気成分に特定のバランスを作り出して、望ましい香気プロファイルを作り出すことにある。ワインの場合、例えば、アルコール含有率０．０容量％、０．５容量％、２．５容量％又は５容量％の極低アルコールワインの香気プロファイルを混合によって調整し、それによって、極低アルコールワインの実際の香気プロファイルを出発点として、脱アルコール度がそれほど強くなく、相応して脱香気度もそれほど強くないワイン、又は、アルコール含有率低減なしの普通のアルコール含有ワインに相応して、特定の香気成分のバランス調整を行うと共に、混合された極低アルコールワイン中の高関連性香気成分の結果的な総濃度が、微弱脱アルコール又は非脱アルコールワイン中での相応濃度に合致するようにする。
【００８４】
本発明の第３態様は、少なくとも１つの収着剤を充填可能な、第１態様による吸着システム用の作業室に関する。本発明によれば、作業室の全長に対する平均断面厚の比率を最大０．３とすることを想定している。これから生じる特徴及びその利点は第１の説明から読み取るものとし、第１態様の有利な形態は第３態様の有利な形態でもあり、その逆であるとも見なされる。
【００８５】
本発明の第４態様は、第１態様による吸着システムを用いて、及び／又は、第2態様による方法によって香気成分含有流体から得られる、及び／又は、得られる香気成分濃縮物に関する。元々流体中に含まれる香気成分は少なくとも広範に均質に富化されることから、香気成分濃縮物は、選択的に流体の真正な複製品であるか、又は、特定の香気成分がその他の香気成分に対して減損されている流体の調整複製品である。これにより、食品及び嗜好品の、特に、コーヒー、コーヒー製品、タバコおよびタバコ製品、ノンアルコールワイン、又はワイン風味の食品および嗜好品の特に柔軟な香気付けが可能になり、さらに、香気成分濃縮物は原則的には単独で、又は室内用芳香剤、香水等の製造にも使用できる。例えば、香気成分濃縮物は以下の食品及び嗜好品の香気付けに使用できる。
【００８６】
ノンアルコール飲料；飲料の調製用製剤；ノンアルコールカクテル混合飲料；ノンアルコールカクテル；フルーツジュース入りノンアルコール飲料；カクテル用ノンアルコール基本ベース；ノンアルコールワイン；アペリチーフ、ノンアルコール；香気付け炭酸含有飲料；脱アルコールワイン、ノンアルコールワイン；スムージー；ノンアルコールフルーツ飲料；シャーベット飲料；シャーベット；飲料の形のシャーベット；部分冷凍リフレッシュ飲料［スラッシュドリンク］；フルーツベースの低温冷却飲料；ワイン、ノンアルコール；ワイン、脱アルコール；ワイン、ノンアルコール；ノンアルコール飲料；脱アルコール飲料；リフレッシュ飲料；ノンアルコールフルーツ飲料；ノンアルコールフルーツエキス；フルーツから製造された飲料；よく冷したフルーツ飲料；フルーツ飲料；アルコール無しフルーツ飲料；フルーツ飲料及びフルーツジュース；フルーツネクター；フルーツジュース；果肉入りフルーツジュース；フルーツジュース飲料；フルーツジュース濃縮物；フルーツシロップ；フルーツベースの飲料；炭酸含有ジュース； 濃縮フルーツジュース；濃縮果実ジュース；モスト［発酵／非発酵］；飲料として使用するための果実ジュース；ジュース；ミックスフルーツジュース；グレープジュース；グレープジュース飲料；フルーツジュースが主成分の飲料；アルコール飲料；飲料の調製用アルコール製剤；アルコール含有ゼリー飲料；炭酸含有アルコール飲料；アペリチーフ；低アルコール含有率飲料；スピリッツ及びリキュール；ワイン；スピリッツ；アルコール低減ワイン；シャンペン；フルーツワイン；自然発泡ワイン；果実発泡ワイン；ロゼワイン；赤ワイン；発泡ワイン；ゼクト；スイートワイン；テーブルワイン；グレープワイン；酒粕ワイン；料理用ワイン；アルコール含有率上昇ワイン；ワイン含有飲料［炭酸割りワイン］；白ワイン；アルコポップ；アルコール含有フルーツエキス；フルーツ入りアルコール含有飲料；アルコールミックス飲料；アルコールパンチ；ボール（飲料）；カクテル及びワインパンチ、コーヒー、コーヒー含有飲料および食品、タバコ及びタバコ製品、特に、ニコチン低減ないしはニコチンフリータバコ製品。なお、このリストは限定的なものではない。
【００８７】
香気成分濃縮物は、第１及び第２態様による第１香気成分濃縮物、第１香気成分濃縮物の１つ又は複数の画分、第２香気成分濃縮物、第２香気成分濃縮物の１つ又は複数の画分、又は、第１と第2香気成分濃縮物の混合物ないしは第１及び／又は第2香気成分濃縮物の１つ又は複数の画分の混合物とされる。さらなる特徴及びその利点は、第１及び第2態様の説明から読取れるものとし、第１及び第2態様の有利な形態は第４態様の有利な形態でもあり、その逆とも見なされる。
【００８８】
本発明の第５態様は、第１態様による吸着システムを用いて、及び／又は、第2態様にかかる方法によって得られる、及び／又は得られる脱香気透過物に関する。吸着システム又は方法によって流体中に含まれる香気成分の少なくとも広範な回収が可能なことから、透過物はそれに相応して大きく減損させられ、人間にとっては少なくともほぼ無臭である。従って、脱香気透過物を、香気プロファイルが変化してはならない食品及び嗜好品の製造に使用できるのは有利である。適当な食品及び嗜好品のリストは第４態様に含まれており、本態様に対しても適用可能である。第１香気成分濃縮物又は第１香気成分濃縮物の１つ又は複数の画分の製造により、そして第2香気成分濃縮物又は第2香気成分濃縮物の１つ又は複数の画分の製造により、又は、第１及び第2態様による第１及び／又は第2香気成分濃縮物ないしは第１及び／又は第2香気成分濃縮物の１つ又は複数の画分を製造する際に発生する透過物の混合物の製造によって、透過物は得ることができる、及び／又は得られる。さらなる特徴及びその利点はその他の発明態様の説明から読取れるものとし、その他の発明態様の有利な形態は上位の発明態様の有利な形態でもあり、その逆であるとも見なされる。
【００８９】
本発明の第６態様は、第４態様による香気成分濃縮物及び／又は第５態様による脱香気透過物の群からの１つ又は複数と少なくとも１つの食品及び／又は嗜好品との混合によって得ることができる、及び／又は得られる食品及び／又嗜好品に関する。
【００９０】
食品及び／又は嗜好品は、ワイン、ワイン含有食品及び／又は嗜好品、タバコ、タバコ製品、特に、電子タバコ用低ニコチン又はニコチンフリータバコ製品、コーヒー及びコーヒー含有食品及び嗜好品の群からの１つ又は複数から選択されることを想定できる。
【００９１】
本発明のさらなる形態では、食品及び／又は嗜好品は低アルコール又はノンアルコールである。「低アルコール」及び「ノンアルコール」という概念は国により定義の違いがあることから、ここで「低アルコール」と言うのは、食品及び嗜好品が最大１容量％、好ましくは最大０．７容量％のアルコールを含む場合である。「アルコール」という概念は、本公開公報の範囲内では、別段の指示がない限り、一般的にはエタノールであると理解されたい。アルコール含有率最大０．５容量％とは、それに応じて、エタノール含有率が０．５０容量％、０．４９容量％、０．４８容量％、０．４７容量％、０．４６容量％、０．４５容量％、０．４４容量％、０．４３容量％、０．４２容量％、０．４１容量％、０．４０容量％、０．３９容量％、０．３８容量％、０．３７容量％、０．３６容量％、０．３５容量％、０．３４容量％、０．３３容量％、０．３２容量％、０．３１容量％、０．３０容量％、０．２９容量％、０．２８容量％、０．２７容量％、０．２６容量％、０．２５容量％、０．２４容量％、０．２３容量％、０．２２容量％、０．２１容量％、０．２０容量％、０．１９容量％、０．１８容量％、０．１７容量％、０．１６容量％、０．１５容量％、０．１４容量％、０．１３容量％、０．１２容量％、０．１１容量％、０．１０容量％、０．０９９容量％、０．０９８容量％、０．０９７容量％、０．０９６容量％、０．０９５容量％、０．０９４容量％、０．０９３容量％、０．０９２容量％、０．０９１容量％、０．０９０容量％、０．０８９容量％、０．０８８容量％、０．０８７容量％、０．０８６容量％、０．０８５容量％、０．０８４容量％、０．０８３容量％、０．０８２容量％、０．０８１容量％、０．０８０容量％、０．０７９容量％、０．０７８容量％、０．０７７容量％、０．０７６容量％、０．０７５容量％、０．０７４容量％、０．０７３容量％、０．０７２容量％、０．０７１容量％、０．０７０容量％、０．０６９容量％、０．０６８容量％、０．０６７容量％、０．０６６容量％、０．０６５容量％、０．０６４容量％、０．０６３容量％、０．０６２容量％、０．０６１容量％、０．０６０容量％、０．０５９容量％、０．０５８容量％、０．０５７容量％、０．０５６容量％、０．０５５容量％、０．０５４容量％、０．０５３容量％、０．０５２容量％、０．０５１容量％、０．０５０容量％、０．０４９容量％、０．０４８容量％、０．０４７容量％、０．０４６容量％、０．０４５容量％、０．０４４容量％、０．０４３容量％、０．０４２容量％、０．０４１容量％、０．０４０容量％、０．０３９容量％、０．０３８容量％、０．０３７容量％、０．０３６容量％、０．０３５容量％、０．０３４容量％、０．０３３容量％、０．０３２容量％、０．０３１容量％、０．０３０容量％、０．０２９容量％、０．０２８容量％、０．０２７容量％、０．０２６容量％、０．０２５容量％、０．０２４容量％、０．０２３容量％、０．０２２容量％、０．０２１容量％、０．０２０容量％、０．０１９容量％、０．０１８容量％、０．０１７容量％、０．０１６容量％、０．０１５容量％、０．０１４容量％、０．０１３容量％、０．０１２容量％、０．０１１容量％、０．０１０容量％、０．００９容量％、０．００８容量％、０．００７容量％、０．００６容量％、０．００５容量％、０．００４容量％、０．００３容量％、０．００２容量％、０．００１容量％又はそれ以下であるか、又は完全にエタノール無含有である。これと共に、この種の食品及び／又は嗜好品は、独特の香気プロファイルを有するにもかかわらず、エタノールのあらゆる摂取が禁止されている諸国においても製造又は取引することができる。
【００９２】
本発明のもう１つの態様は、第１２態様による方法及び／又は第１３態様による装置において使用するための収着剤であって、置換及び／又は非置換フェニルエテン及びジビニルベンゼンモノマーを有するポリマーを含む収着剤に関する。すなわち、本発明によれば、収着剤は、次化学式
【化１】
2018534049.tif 000005
の１つのモノマー並びに次化学式
【化２】
2018534049.tif 000006
【化３】
2018534049.tif 000007
【化４】
2018534049.tif 000008
の１つ又は複数のモノマーを含むか、又は、それらのモノマーからなり、個々のモノマーはそれぞれ置換とすることも、非置換とすることも想定している。本発明による吸着剤によって、香気成分含有流体から、それぞれが真正な嗅覚印象を与える相応する香気成分富化香気成分濃縮物及び香気成分減損透過物が得られる。技術水準から周知の収着剤とは異なり、本発明による収着剤は、極性香気成分の形成も可能にし、それにより、極性香気成分も非極性香気成分も均質に富化ないし減損させられる。さらに、極性香気成分及び風味成分も完全又は少なくとも大部分脱着できる。従って、本発明による収着剤によって、着色料及び風味成分、特に、苦みを持つものも、流体から除去し、収着剤に富化させ、最後に脱着後に濃縮物として提供することに成功している。収着剤の総重量に対するフェニルエテン及びジビニルベンゼンモノマーの割合の選択によって、並びに、ジビニルベンゼンモノマーに対するフェニルエテンモノマーの比率の選択によって、どんな場合でも真正な香気成分濃縮物を製造できるように、濃縮物の組成又は個々の香気成分の富化係数に影響を与えられる。例えば、収着剤の総重量に対するフェニルエテンモノマーの質量分率は、１％、２％、３％、４％、５％、６％、７％、８％、９％、１０％、１１％、１２％、１３％、１４％、１５％、１６％、１７％、１８％、１９％、２０％、２１％、２２％、２３％、２４％、２５％、２６％、２７％、２８％、２９％、３０％、３１％、３２％、３３％、３４％、３５％、３６％、３７％、３８％、３９％、４０％、４１％、４２％、４３％、４４％、４５％、４６％、４７％、４８％、４９％、５０％、５１％、５２％、５３％、５４％、５５％、５６％、５７％、５８％、５９％、６０％、６１％、６２％、６３％、６４％、６５％、６６％、６７％、６８％、６９％、７０％、７１％、７２％、７３％、７４％、７５％、７６％、７７％、７８％、７９％、８０％、８１％、８２％、８３％、８４％、８５％、８６％、８７％、８８％、８９％、９０％、９１％、９２％、９３％、９４％、９５％、９６％、９７％、９８％又は９９％とすることができ、一方、収着剤の総重量に対するジビニルベンゼンモノマーの質量分率は、９９％、９８％、９７％、９６％、９５％、９４％、９３％、９２％、９１％、９０％、８９％、８８％、８７％、８６％、８５％、８４％、８３％、８２％、８１％、８０％、７９％、７８％、７７％、７６％、７５％、７４％、７３％、７２％、７１％、７０％、６９％、６８％、６７％、６６％、６５％、６４％、６３％、６２％、６１％、６０％、５９％、５８％、５７％、５６％、５５％、５４％、５３％、５２％、５１％、５０％、４９％、４８％、４７％、４６％、４５％、４４％、４３％、４２％、４１％、４０％、３９％、３８％、３７％、３６％、３５％、３４％、３３％、３２％、３１％、３０％、２９％、２８％、２７％、２６％、２５％、２４％、２３％、２２％、２１％、２０％、１９％、１８％、１７％、１６％、１５％、１４％、１３％、１２％、１１％、１０％、９％、８％、７％、６％、５％、４％、３％、２％又は１％とすることができる。好ましくは、収着剤はポリスチレン・ジビニルベンゼンコーポリマーであり、原則的には、静的、交互、ブロック及びグラフトコーポリマーを想定しておくことができる。さらに、コーポリマーは変性されているか、又は置換モノマーを含み、それによって、例えば、塩基性又は酸性特性を提供することを想定しておくことができる。場合により、酸性基及びアルカリ性基に加えて、望ましい用途に応じて、特に、極性香気成分に対する望ましい収着特性をポリマーに対して与えるその他のモノマー、又はポリマー中に包含可能な化合物も想定している。
【００９３】
本発明のさらなる特徴は、請求項、図面及び図面の説明から明らかになる。すでに説明において挙げた特徴及び特徴の組合せ、並びに、以下の図面の説明で挙げる、及び／又は、図面だけに示した特徴及び特徴の組合せは、本発明の範囲を逸脱することなく、示された各組合せだけでなく、その他の組合せでも使用可能である。それと共に、図面に明示的に表示又は説明されてはいないが、しかし、分離された特徴の組合せによって、説明された実施形態から生じ、作り出すことが可能な本発明の実施形態も包含及び開示していると見なす。元々案出された独立請求項の全てを必ずしも有していない実施形態及び特徴の組合せも開示しれていると見なす。さらに、特に、請求項の後方参照に示された特徴の組合せを超えるか、又はそれらの特徴の組合せを逸脱する前述及び後述の実施形態によって開示しれていると見なす実施形態及び特徴の組合せが存在する。
【図面の簡単な説明】
【００９４】
【図１】本発明の１つの実施例による吸着システムの概略図。
【図２】吸着モードで運転を行う本発明のもう１つの実施例による吸着システムの概略図。
【図３】脱着モードで運転を行う図２に示した本発明による吸着システムの概略図。
【図４】本発明のもう１つの実施例による吸着システムの概略図。
【図５】本発明のもう１つの実施例による吸着システムの概略図。
【図６】本発明のもう１つの実施例による吸着システムの概略図。
【図７】共通のハウジング内に入れ子式に配置された少なくとも２つの流体相互接続流路を備える１つの作業室の略断面図。
【図８】共通のハウジング内に入れ子式に配置された少なくとも４つの流体相互接続流路を備える１つの作業室の略断面図。
【図９】本発明のもう１つの実施例による吸着システムの概略図。
【図１０】本発明のもう１つの実施例による吸着システムの概略図。
【図１１】異なる形状を有する４つの作業室の略断面図。
【図１２】本発明のもう１つの実施例による吸着システムの概略図。
【図１３】本発明のもう１つの実施例による吸着システムの概略図。
【図１４】本発明のもう１つの実施例による吸着システムの概略図。
【図１５】本発明のもう１つの実施例による吸着システムの概略図。
【図１６】本発明のもう１つの実施例による吸着システムの概略図。
【図１７】細分された作業室の略断面図。
【図１８】ＤＩＮフランジの略平面図。
【図１９】分離底が開口内に溶接されているＤＩＮフランジの略平面図。
【図２０】分離底の略平面図。
【図２１】分離底が開口部上方のシールの中心に挿入されているＤＩＮフランジの略平面図。
【図２２】らせん形作業室の概略図。
【図２３】湾曲部ごとに１つのポンプ装置を備えた複数のジグザグ形配置作業室の概略図。
【図２４】湾曲部一つおきに１つのポンプ装置を備えた複数のジグザグ形配置作業室の概略図。
【図２５】ポンプ装置を備えていない蛇行形作業室の概略図。
【図２６】本発明のもう１つの実施例による吸着システムの概略図。
【図２７】本発明による高濃縮装置の概略図。
【図２８】本発明のもう１つの実施例による吸着システムの概略図。
【図２９】本発明による吸着システムのもう１つの実施例の概略図。
【図３０】香気成分濃縮物の製造のための工程順序の簡略フローチャート。
【図３１】タバコから香気成分濃縮物を製造するための工程順序の簡略フローチャート。
【発明を実施するための形態】
【００９５】
図１は、本発明の第１実施例に係る吸着システム１０を示したものである。図示された吸着システム１０は、香気成分含有流体から香気成分濃縮物として香気成分を分離するための工程管理であって、一方では、香気成分濃縮物又はエキス中における香気成分の特に高度な富化を、他方では、真正な香気プロファイルの維持を保証する工程管理を可能にする。この目的のために、図示実施例の吸着システム１０は、第１流体通路を形成する導管系１３を介して相互に流体接続され、それぞれ静止相としての収着剤を充填された３つの作業室１２を含む。作業室１２は、原則的には、カラム又は抽出セルとも呼ばれ、図示実施例においては、それぞれ、同一の形状寸法の円筒形を有する。それと共に、全ての作業室１２は、その各々の縦軸Ｌに沿って、一定の断面厚を有する。さらに、３つの作業室１２に代わって、１つだけ、又は２、又は４、又はそれ以上の作業室１２を想定することもできる。本実施例において、全ての作業室１２には、同一の単一品種スチロール・ジビニルベンゾールコーポリマーが充填されている。本公開公報の範囲内では、「単一品種」とは、収着剤として、一般的には例えば、ポリアロメート、ポリスチロール、ポリ（メタ）アクリレート、ポリプロピレン、ポリエステル、ポリテトラフルオロエチレン及び架橋ポリスチロールの群からの化合物、特に、エチルビニルベンゾールとジビニルベンゾールの、ビニルピロリドンとジビニルベンゾールの、ビニルピリジンとジビニルベンゾールの、及び／又は、スチロールとジビニルベンゾールのコーポリマーを使用できることを意味するものではない。同様に、イオン交換体を想定しておくこともできる。有利な収着特性は、官能基を有するモノマーを含む収着剤の使用によっても達成される。例えば、特に、スルホン酸群、第３級（例えば、メタクリルジエチルアミン）及び第４級アンモニウム群（例えば、フェニルトリメチルアンモニウム）、アミド（例えば、ベンズアミド）、アミン及びハロゲン変性アロメート、３−ピロリドン、２−ピロリドン、２−ピロリン、３−ピロリン、ピロール及び／又はピペラジンのような複素環式化合物、並びにハロゲン化脂肪族側鎖化合物が好適であることが証明されている。ゲル状ポリマーも使用することができる。原則的には、変性ポリアクリレート、特に、以下のモノマー、すなわち、アクリル酸、アクリルニトリル、及び、例えば、メチルメタアクリレート、メチルアクリレート、エチルアクリレート、２−クロルエチルビニルエーテル、２−エチルヘキシルアクリレート、ヒドロキシエチルメタアクリレート、ブチルアクリレート及びブチルメタアクリレートのようなアルキルアクリレートを含むモノマーを使用することもできる。代替的又は付加的に、ポリマー前駆体の熱分解によって形成され、それ自体が高多孔質炭素構造を有するＣＭＳソーベントがある（ＣＭＳ：炭素分子篩）。ＳＧＰＣソーベント（ＳＧＰＣ：球状黒鉛化カーボン）及びＧＣＢソーベント（ＧＣＢ：黒鉛化カーボンブラック）も使用可能である。代替物としては、２，６−酸化ジフェニレン系ポリマー、例えば、ポリ（２，６−ジフェニル−ｐ−酸化フェニレン）、又は、イミノ二酢酸塩官能性を有するポリマーがある。
【００９６】
この収着剤を個別又は任意の組合せで用いて、香気成分の特に高度な吸着と、それと共に、特に高い回収率が確保される。それに加えて、これによって、各流体及びそこに含まれる香気成分分子に応じて、収着剤を最適に選択される。好ましくは、ベースポリマーの重合化中に適切な反応剤によって、又は、同様の反応剤によるベースポリマーの後処理の後に、上記ポリマーを付加的に官能化して、望ましい収着特性を達成する。
【００９７】
しかし、作業室１２の少なくとも１つに２つ以上の収着剤の混合物を充填して、及び／又は、異なる作業室に異なる収着剤又は収着剤の混合物を充填して、固有かつ処理すべき各流体に適合させた固有の吸着挙動を達成することを想定できる。３つの作業室１２を合体させて、作業室１２の合計総全長に対する平均断面厚の比率が０．３未満であることから、特に長く、同時に比較的薄いソーベント床が利用可能になる。
【００９８】
さらに、吸着システム１０は、作業室１２の前、中間及び後に配置される合計４つのポンプ装置１４を含む。
【００９９】
作業室１２内に配置される収着剤の装入のためには、吸着システム１０は吸着モードで運転する。そのために、香気成分含有流体を移動相として入口１６から導管系１３中に搬入し、ポンプ装置１４を用いて矢印Ａに従って連続して作業室１２を導通させる。
【０１００】
香気成分含有流体は、例えば、コーヒー製造ないしは二次加工工程に由来するものとできる。これには、例えば、以下のものが好適である：
−  コーヒーの製造及び／又は加工工程（例えば、粉砕工程）中のガス相；
−  香気含有ガス状ＣＯ2、特に、ＣＯ2フロストの濃縮又は凍結、及びコーヒー中への返還目的の後続する加工によって取得されるコーヒー香気；
−  例えば、空気、窒素、不活性ガス又はＣＯ2による特異的ガス化、及び後続するこの相からの香気の除去によって取得されるコーヒー香気；
−  コーヒーと水が接触すると同時に作り出される香気成分含有水相（コーヒーエキス）；
−  異なる技術の適用によって、例えば、蒸気又は真空の適用及び後続の濃縮によってコーヒーエキスから除去される香気；
−  ロースト及び粉砕されたコーヒーが抽出装置（パーコレータ）内で熱水及び／又は蒸気と接触すると同時に取得されるコーヒー香気；
−  パーコレータをすでに出ているコーヒーエキスに対する蒸気の適用によって取得されるコーヒー香気； 
−  コーヒーと水のスラリーから取得されるコーヒー香気；
−  パーコレータをすでに出ているコーヒーエキスに対する蒸気の適用によって取得されるコーヒー香気； 
−  水からコーヒーエキスを抽出するための装置、例えば、膜ろ過、蒸発装置、又はスピニングコーン装置のような蒸留装置から取得されるコーヒー香気；
−  冷凍濃縮によって、特に、その際生じる氷相から取得されるコーヒー香気；
−  ポンプ封水からの香気成分含有水相；
−  乾燥工程（例えば、スプレー乾燥、アグロメレーション又は凍結乾燥）からの香気成分含有水相。
この場合、任意の組み合わせも原則的には同時に含まれている。
【０１０１】
代替的又は追加的に、流体は、ワイン製造工程ないしはワインの二次加工工程に由来するものである。ワインの脱アルコールのために分画蒸留又はスピニングコーン法を使用する場合は、例えば、様々な画分（例えば、ヘッド画分及び／又は中間画分）、並びに、香気含有ポンプ封水を、本吸着システム１０の流体出発材料として使用できる。代替的に、落下式膜蒸発器からのエタノール含有相を使用できる。それにより取得される香気成分濃縮物は例えば脱アルコールワインに戻すことができる。
【０１０２】
さらに、ワインの脱ガス時又はガスによる脱アルコール時には、香気成分含有流体が生じることがあり、本吸着システム１０によって処理できる。それにより取得される香気成分濃縮物は例えば脱アルコール製品に戻すことができる。
【０１０３】
ワインの脱アルコールのために透過工程を使用する場合は、最終製品の混合のために使用できる少なくともほぼノンアルコールの香気成分含有相と、同様に香気を含むアルコール含有相とが生じる。アルコール含有相は二次脱アルコール工程に供給して、低アルコールないしはノンアルコールワインとの混合を可能にしなければならない。アルコール含有・香気成分含有流体相自体も、本発明による吸着システム１０によって、内部に含まれる香気の回収に使用でき、この相の以降の脱アルコール加工段階では、例えば、蒸留、スピニングコーン又は落下式膜蒸発器によって生じる流体にも使用できる。
【０１０４】
代替的又は追加的に、本発明による吸着システム１０によって、タバコ香気濃縮物、特に、低ニコチンないしはニコチンフリータバコ香気濃縮物を製造するため、流体はタバコエキスにできる。このエキスを直接使用し、吸着システム１０によって加工して、香気成分及びアルカロイド（例えば、ニコチン）又はニコチンフリーの香気成分だけを抽出できる。タバコエキス又はその他の着色エキスを香気成分濃縮物製造用の香気成分含有流体として使用すべき場合は、吸着剤に当てる前に、流体を事前に膜ろ過し、及び／又は活性炭によって処理し、それによって、非揮発性着色成分を除去することを推奨する。代替的に、準備措置として流体の蒸留又は高真空供給を行って、非揮発性成分、特に、着色成分を分離できる。タバコエキスからタバコ香気濃縮物中に移送すべきアルカロイドの量の調整は、例えば、流体のｐＨ値調整によって行う。追加的に、本発明による方法の適用時には、香気濃縮物中に移行する溶性固形成分は皆無であるか、又は微量である。それによって、タバコエキスの燃焼又は蒸発時に発生する有害残渣（タール）の減量が達成される。
【０１０５】
流体を移動相として入口１６を介して配管系１３内に持ち込み、ポンプ装置１４によって矢印Ａの方向に連続して作業室１２を導通させて、流体中に存在する香気成分は収着剤に吸着する。出口１８を介して脱香気流体ないしは透過物を導管系１３から除去する。
【０１０６】
必要に応じて、吸着システム１０を導通させる前の流体のエタノール含有率は、少なくとも０．５容量％の値及び／又は最大５０容量％の値に調整することを想定できる。これによって特に高い回収率が可能になり、それに加えて、特に「真正な」香気成分濃縮物が、すなわち、極性香気成分も非極性香気成分も少なくとも基本的には均質に富化されている香気成分濃縮物が得られる。エタノール含有率は、原則的には、エタノール又はエタノールリッチな溶媒混合物の添加によって、及び／又は、例えば、水のようなエタノール無含有溶媒の添加によって、又は、エタノールプアな溶媒混合物の添加によって、必要な値に調整する。例えば、エタノール含有率は、０．５容量％、１．０容量％、１．５容量％、２．０容量％、２．５容量％、３．０容量％、３．５容量％、４．０容量％、４．５容量％、５．０容量％、５．５容量％、６．０容量％、６．５容量％、７．０容量％、７．５容量％、８．０容量％、８．５容量％、９．０容量％、９．５容量％、１０．０容量％、１０．５容量％、１１．０容量％、１１．５容量％、１２．０容量％、１２．５容量％、１３．０容量％、１３．５容量％、１４．０容量％、１４．５容量％、１５．０容量％、１５．５容量％、１６．０容量％、１６．５容量％、１７．０容量％、１７．５容量％、１８．０容量％、１８．５容量％、１９．０容量％、１９．５容量％、２０．０容量％、２０．５容量％、２１．０容量％、２１．５容量％、２２．０容量％、２２．５容量％、２３．０容量％、２３．５容量％、２４．０容量％、２４．５容量％、２５．０容量％、２５．５容量％、２６．０容量％、２６．５容量％、２７．０容量％、２７．５容量％、２８．０容量％、２８．５容量％、２９．０容量％、２９．５容量％、３０．０容量％、３０．５容量％、３１．０容量％、３１．５容量％、３２．０容量％、３２．５容量％、３３．０容量％、３３．５容量％、３４．０容量％、３４．５容量％、３５．０容量％、３５．５容量％、３６．０容量％、３６．５容量％、３７．０容量％、３７．５容量％、３８．０容量％、３８．５容量％、３９．０容量％、３９．５容量％、４０．０容量％、４０．５容量％、４１．０容量％、４１．５容量％、４２．０容量％、４２．５容量％、４３．０容量％、４３．５容量％、４４．０容量％、４４．５容量％、４５．０容量％、４５．５容量％、４６．０容量％、４６．５容量％、４７．０容量％、４７．５容量％、４８．０容量％、４８．５容量％、４９．０容量％、４９．５容量％又は５０．０容量％に調整することができ、相応する中間値は同時に開示していると見なす。好ましくは、エタノール含有率は約１．５容量％と約１０容量％の間の値に調整する。代替的に、流体はエタノール無含有とすることもできる。同様に、原則的には、エタノール含有率は調整しないで、その都度存在する形態で、又は、０％の含有率を含めた、その都度の所与のエタノール含有率で使用することを想定できる。
【０１０７】
排出のために、続いて吸着システム１０を脱着モードに切替える。このために、脱着剤、例えば、水、エタノール又はエタノール／水混合物を入口１６’から導管系１３内に搬入し、可逆ポンプ装置１４を用いて、矢印Ｂが示す逆方向に、連続して作業室１２を導通させる。脱着剤の導通時には、収着剤に結合した香気成分は再び脱着し、その結果、出口１８’において香気成分濃縮物が得られ、導管系１３から除去される。
【０１０８】
個々の作業室１２の流体結合と、前、中間及び後に配置された可逆ポンプ装置１４を用いて、装入時及び排出時には、容量が同一の単独の作業室１２の使用時に可能と考えるより明らかに大きな流速上昇が達成される。それに加えて、脱着時には、作業室１２の比較的小さな直径又は断面積に相応した少量の脱着剤を使用することができ、それによって、脱着剤の必要量を低減させつつ香気成分の濃度を高めることが達成される。さらに、特に長いソーベント床を使用して、極性香気成分も非極性香気成分も可能な限り定量的に吸着し、それによって、相応して真正な香気成分濃縮物と可能な限り香気無含有の透過物を得ることが有利である。
【０１０９】
原則的には、香気成分濃縮物中における脱着剤とは異なる最大５つの香気形成香気成分の質量分率が、流体中におけるその相応質量分率とは±５０％異なっていること、及び／又は、流体に関して、脱着剤とは異なる各香気成分が、香気成分濃縮物中の脱着剤とは異なる各他の香気成分との個別比較において、それぞれ、質量に関して最大１．４９倍に富化されていることが、本発明の範囲内では有利である。これによって、特に「真正な」香気成分濃縮物の提供が、すなわち、元の流体中に存在していた香気全体を形成する全て又は少なくとも５つの香気成分が−例えば、極性又は沸点のような物理特性とは無関係に−少なくとも基本的には香気成分濃縮物中で富化されている香気成分濃縮物の提供が可能になり、その結果、特に、１つ又は複数の香気成分の濃度が少なくとも基本的には再び流体中におけるその元の濃度になるように、香気成分濃縮物が再希釈された場合は、香気成分濃縮物のセンサ特性は流体のセンサ特性と同じになる。流体中又は香気成分濃縮物中に存在する全ての香気成分の中から流体の香気全体に大きく貢献する２、３、４、又は５の香気成分が香気成分濃縮物中で可能な限り均質に富化され、その結果、流体中及び香気成分濃縮物中でのその質量関連濃度は、一対比較法においては、最大で１％、２％、３％、４％、５％、６％、７％、８％、９％、１０％、１１％、１２％、１３％、１４％、１５％、１６％、１７％、１８％、１９％、２０％、２１％、２２％、２３％、２４％、２５％、２６％、２７％、２８％、２９％、３０％、３１％、３２％、３３％、３４％、３５％、３６％、３７％、３８％、３９％、４０％、４１％、４２％、４３％、４４％、４５％、４６％、４７％、４８％、４９％又は５０％の違いがある。流体中に存在する香気成分のどれが最大５つの香気形成香気成分であるのかは、標準的テストの枠内の専門家には周知の方法によって判定できる。例えば、定型的香気値決定、又は再組合せを含むオミッションテストを参照されたい。原則的には、香気成分濃縮物中では、適用された元の流体に関して、第１群の香気成分を、第2群の１つ又は複数の風味成分又は香気成分との比較において、１．４９倍以下に富化することも想定することができる。１．４９倍以下とは、１．４９、１．４８、１．４７、１．４６、１．４５、１．４４、１．４３、１．４２、１．４１、１．４０、１．３９、１．３８、１．３７、１．３６、１．３５、１．３４、１．３３、１．３２、１．３１、１．３０、１．２９、１．２８、１．２７、１．２６、１．２５、１．２４、１．２３、１．２２、１．２１、１．２０、１．１９、１．１８、１．１７、１．１６、１．１５、１．１４、１．１３、１．１２、１．１１、１．１０、１．０９、１．０８、１．０７、１．０６、１．０５、１．０４、１．０３、１．０２、１．０１、１．００、０．９９、０．９８、０．９７、０．９６、０．９５、０．９４、０．９３、０．９２、０．９１、０．９０、０．８９、０．８８、０．８７、０．８６、０．８５、０．８４、０．８３、０．８２、０．８１、０．８０、０．７９、０．７８、０．７７、０．７６、０．７５、０．７４、０．７３、０．７２、０．７１、０．７０、０．６９、０．６８、０．６７、０．６６、０．６５、０．６４、０．６３、０．６２、０．６１、０．６０、０．５９、０．５８、０．５７、０．５６、０．５５、０．５４、０．５３、０．５２、０．５１又は０．５０倍であると理解されたい。第１群の香気成分は、例えば、ブチル酸エチル、ブチル酸エチルメチル−２、カルボン酸メチル、リナロール、アルファ−イオノン、ベータ−イオノン、デルタ−デカラクトン、２Ｅ−ヘクセノール、２Ｅ−ヘキセナール、ヘキサナール、ベータ−ダマセノン、オクタナール、ヌートカトン、ｐ−メンテンチオール−１，８、ベンズアルデヒド、ガンマ−デカラクトン、酸化リナロール、フルフリルチオール−２、４−ビニルグアヤコール、異性体イソプロピルメトキシピラジン、異性体エチルジメチルピラジン、インドール、ジャスモン酸メチル、ジャスミンラクトン、二硫化ジプロピル、三硫化ジプロピル、二硫化メチルプロピル、Ｌ−メントール、メントン、Ｌ−カルボン、酢酸イソアミル、２−アセチル−１−ピロリン、２Ｅ、４Ｚ−デカジエナール、３，５−ジメチルトリチオラン、シトラール、カリオフィレン、１−オクテン−３−オール、１−オクテン−３−オン、ヒドロキシベンジルアセトン、シス−３−ヘキセノール、３Ｚ−ヘキセノール、ブチル酸メチル、ゲラニオール、エチル−２Ｅ、４Ｚ−デカジエノアート、８−メルカプト−ｐ−メント−１−エン−３−オン、２Ｅ、４Ｚ、７Ｚ−トリデカトリエナール、２Ｅ、５Ｚ−ウンデカルジエナール、ノナナール、４−オカノリド、５−オクタノリド、フェニルエタノール、ワインラクトン及びメントフロラクトンの群から選択される。第2群の香気成分は、例えば、Ｃ１−Ｃ５−アルコール、好ましくは、メタノール、エタノール、プロパノール、イソプロパノール、ブタノール、２−メチルブタン−１−オール、３−メチルブタン−１−オール、ジアセチル、アセトアルデヒド、フルフラール、フルフリルアルコール、フェノール、アセトイン、硫化ジメチル、メチルメルカプタン、乳酸及び酢酸から選択される。すなわち、香気成分濃縮物中では、流体に関して、親水性香気成分（第2群）に比べて疎水性香気成分の相対富化はゼロであるか、又は可能な限り小さくして（例えば、≦±５０％）、それによって、その極性とは無関係に、流体中に元々存在する全ての香気成分が可能な限り均等均質に富化された状態の香気成分濃縮物を製造することを特に想定できる。それに応じて、流体中に含まれる香気成分は透過物中では相応にさらに均等に減損させられ、その結果、透過物は、弱められてはいるが、さらに真正な風味及び香気成分プロファイルを有するか、又は人間にとってほぼ又は完全に無臭であるから、原則的には、技術水準より改善された香気成分減損透過物も製造できる。
【０１１０】
代替的又は付加的に、香気成分濃縮物中における少なくとも２つ及び好ましくは少なくとも３つの香気成分の質量分率を、流体中におけるその相応質量分率とは最大±５０％違え、さらに、香気成分の少なくとも１つ（第１群から選択）を疎水性とし、少なくとももう１つの香気成分（第2群から選択）を親水性とすることを想定している。これにより、極性及び非極性香気成分が可能な限り均等に富化された状態の特に「真正な」香気成分濃縮物の提供が可能となる。
【０１１１】
元の流体に比べた香気成分濃縮物中の少なくとも１つの香気成分の濃縮又は富化係数は、原則的には、少なくとも１．０１、特に少なくとも１０、好ましくは少なくとも１００、より好ましくは少なくとも１０００、特に少なくとも１５０００とできる。例えば、少なくとも１つの香気成分の濃縮係数は、１．０１、１．０２、１．０３、１．０４、１．０５、１．０６、１．０７、１．０８、１．０９、１．１０、１．１１、１．１２、１．１３、１．１４、１．１５、１．１６、１．１７、１．１８、１．１９、１．２０、１．２１、１．２２、１．２３、１．２４、１．２５、１．２６、１．２７、１．２８、１．２９、１．３０、１．３１、１．３２、１．３３、１．３４、１．３５、１．３６、１．３７、１．３８、１．３９、１．４０、１．４１、１．４２、１．４３、１．４４、１．４５、１．４６、１．４７、１．４８、１．４９、１．５０、１．５１、１．５２、１．５３、１．５４、１．５５、１．５６、１．５７、１．５８、１．５９、１．６０、１．６１、１．６２、１．６３、１．６４、１．６５、１．６６、１．６７、１．６８、１．６９、１．７０、１．７１、１．７２、１．７３、１．７４、１．７５、１．７６、１．７７、１．７８、１．７９、１．８０、１．８１、１．８２、１．８３、１．８４、１．８５、１．８６、１．８７、１．８８、１．８９、１．９０、１．９１、１．９２、１．９３、１．９４、１．９５、１．９６、１．９７、１．９８、１．９９、２、５、１０、５０、１００、５００、１０００、１５００、２０００、２５００、３０００、３５００、４０００、４５００、５０００、５５００、６０００、６５００、７０００、７５００、８０００、８５００、９０００、９５００、１００００、１０５００、１１０００、１１５００、１２０００、１２５００、１３０００、１３５００、１４０００、１４５００、１５０００、１５５００、１６０００、１６５００、１７０００、１７５００、１８０００、１８５００、１９０００、１９５００、２００００、２５０００、３００００、３５０００、４００００、４５０００、５００００、５５０００、６００００、６５０００、７００００、７５０００、８００００、８５０００、９００００、９５０００、１０００００又はそれ以上とすることができ、相応する中間値は原則的には同時に開示しれていると見なされる。すなわち、香気成分を流体中のようなその出発濃度に戻すために、香気成分濃縮物は相応する倍率で再希釈しなければならない。代替的又は追加的に、本公開公報の範囲内では、エタノール含有流体について、香気成分濃縮物中の少なくとも１つの香味料成分の濃縮ないしは富化係数を流体のエタノール含有率に関して決定すること、つまり、エタノール以外の少なくとも１つの香気成分について、流体中と香気成分濃縮物中での濃度ｃ（単位：モル／ｌ又はｇ／ｌ）の比率ｃ香味成分：ｃエタノールを決定して、相互に比較し、その場合、香気成分濃縮物中での比率ｃ香味成分：ｃエタノールの方が流体中での比率ｃ香味成分：ｃエタノールよりも大きく、少なくとも１つの香気成分については、１．０１、特に、少なくとも１０、好ましくは、少なくとも１００、より好ましくは、少なくとも１０００、特に、少なくとも１５０００となることを想定している。これによって、原則的には、第１香気成分濃縮物の総容量は、流体との比較においては、ほんのわずかに減少するか、又は基本的には不変であるか、又は増加することもあるが、しかし、エタノールが少なくとも１つの別の香気成分に関して減損していることから、それに反して、香気成分濃縮物中では、エタノール濃度に対する香味成分濃度の比率を流体中よりも大きくできる。濃縮係数のこの定義の意味において、エタノールは原則的には流体の総香気を増大させるので、エタノールは香気成分であるとは理解されない。すなわち、香気成分濃縮物中の少なくとも１つの香気成分の濃度は流体中よりも高く、及び／又は、少なくとも１つの香気成分は、香気成分濃縮物中の流体に関して、エタノールよりも富化されており、つまり、香気成分濃縮物中のエタノールは少なくとも１つの香気成分の濃度に対して減損していることが想定される。その場合、少なくとも２つの香気成分、複数の香気成分、多数の香味成分、大多数の香味成分又は全ての香味成分は各々少なくとも１．０１の濃縮係数をもつことを想定できる。
【０１１２】
濃縮係数が大きくなるほど、必要な貯蔵及び搬送面積は小さくなり、香気成分濃縮物の以降の処理がそれだけ簡単になる。同様に、濃縮係数が大きければ、粉末状又はカプセル入り香気の製造も簡単になる。さらに、濃縮と共に溶媒の比率が低下し、その結果、ハラール規定に適応するエタノール無含有香気成分濃縮物も製造可能となる。
【０１１３】
原則的には、脱着剤が、流体中に含まれる香気成分と同じ化合物であることは想定できる。この場合、濃縮物又は透過物中における香気成分の富化及び減損についての意味ある発言はそもそも不可能なことから、香気成分濃縮物中における富化度の決定に際して、当該の香気成分は好ましくは考慮の対象外とする。例えば、元の流体は香気成分としてエタノールを含み得るが、その結果、脱着剤としてエタノールを使用する際に、好ましくはこの化合物を上述した質量分率の判定に含めることはない。代替的に、この場合、元の流体と香気成分濃縮物との間の濃縮係数の算出には、エタノールに関しての１つ又は複数の香気成分の相対富化を考慮に入れられる。
【０１１４】
図２は本発明のもう１つの実施例による吸着システム１０の原理図である。吸着システム１０は、香気成分濃縮物中におけるエキス濃度の同時最大化を伴う特に高い装入速度に最適化されている。この目的のために、吸着システム１０は、３つの作業室１２及び４つのポンプ装置１４と共に、複数の制御及び／又は調節可能な弁装置２０、２０’、並びに、上述した実施例とは構造が異なる導管系１３を含む。強調したいのは、この場合にも、違った数の作業室１２、ポンプ装置１４及び弁装置２０を当然想定している。
【０１１５】
図２の吸着システム１０は吸着運転時のものであり、装入に使用される流動方向は矢印で示してある。作業室１２内に配置される収着剤を装入するため、香気成分含有流体は新たに入口１６から導管系１３内に搬入され、しかしポンプ装置１４を用いて並行して全ての作業室１２を導通させられる。この目的のため、弁装置２０は開かれ、一方、符号２０’の弁装置は閉じられる。ポンプ装置及び／又は弁装置２０、２０’の制御及び／又は調節、並びに、吸着モードと脱着モード間の切替えは、制御装置（図示せず）が行う。それと共に、流体中に含まれる香気成分は、３つの作業室１２に充填された収着剤に同時に吸着する。その後、脱香気成分流体又は透過物は、出口１８を介して導管系１３から除去される。
【０１１６】
香気成分の脱着については、脱着モードで運転中の吸着システム１０の原理を示した図３に従って説明する。脱着モードでは、符号２０’の弁装置２０が開かれ、一方、符号２０の弁装置が閉じられる。入口１６’から、脱着剤が矢印に従って導管系１３内にポンプ搬送され、可逆ポンプ装置１４を用いて、逆搬送方向に連続して作業室１２を導通させられる。脱着剤の導通によって、収着剤に結合した香気成分は再び脱着し、その結果、出口１８’において香気成分濃縮物が得られ、導管系１３から除去される。すなわち、収着剤の装入は、第１実施例とは違って、並行して行われ、一方、排出又は脱着は新たに連続して行われる。これにより、香気成分濃縮物中におけるエキス濃度の同時最大化を伴う特に高い装入速度が可能となる。
【０１１７】
図４は本発明のもう１つの実施例による吸着システム１０の原理図である。吸着システム１０は、流体相互接続され、間接的又は直接的に前後に配置された第１作業室１２ａと第2作業室１２ｂとを含む。ここでは、原則的に、作業室１２ａ、１２ｂを別々のハウジング内又は共通のハウジング内に配置することを想定している。共通のハウジング内へ配置する場合は、さらに、作業室１２ａ、１２ｂを流体透過性分離底等によって互いに分離して、作業室１２ａ、１２ｂ内に配置される収着剤の混合を防止するのは想定内である。本実施例では、作業室１２ｂに、いわゆる順相及び／又は極性結合相が収着剤として充填されている。順相とは、例えば、主として極性ＯＨ基における吸着プロセスを分離するのに利用する変性又は非変性シリカゲル又は酸化アルミニウムである。極性結合相も通常は同様に、特定の官能基をもつ鎖に結合されたシリカゲルをベースとする。それにより、これら収着剤の極性度は様々である。分離はそれぞれ異なるメカニズムにより生じ、通常は、いくつかの効果（分子量排除、吸着、分配、イオン交換）の組合せによる。
【０１１８】
作業室１２ａには、それに対して、いわゆる逆相が収着剤として充填されている。逆相（ｒｅｖｅｒｓｅｄ  ｐｈａｓｅｓ）の場合、極性関係は順相とは「逆」である。通常は、このため、非極性側鎖をシリカゲル基質又はポリマーに結合させる。それにより、非極性側鎖は疎水性挙動を示す。鎖の長さが増大するにつれて、相の非極性度が上昇する。分離メカニズムは主として分子間力に基づいている。香気成分が相の炭化水素鎖に類似すればするほど、収着剤との相互作用は増大し、逆相への吸着が改善される。
【０１１９】
すなわち、吸着モードで装入するためには、重力に逆らって、香気成分含有水性流体に、入口１６及びポンプ装置１４を介し、作業室１２ｂを導通させ、空気含有物があれば除去する。順相／極性層は、その場合、主に極性香気成分を保持し、一方、非極性香気成分は少なくとも一部がさらに作業室１２ａ内に達する。脱香気流体は、その後に出口１８を介して吸着システム１０から除去される。弁装置２０は吸着モードでは開いており、一方、弁装置２０’は閉じている。
【０１２０】
脱着モードでは、弁装置２０は閉じられ、一方、弁装置２０’は開かれる。弁装置２０”は必要に応じて開閉できる。入口１６’を介して、第１脱着剤、例えば、エタノール、又は、第１脱着剤混合物を導入し、重力方向に作業室１２ａ、１２ｂを導通させて、３つの捕集容器２２ａ〜ｃを備えた画分捕集器２２へ送ることができる。３つの捕集容器２２ａ〜ｃは３つの弁装置２０ａ〜ｃを介して相互に独立して開閉し、必要に応じて該当する画分を捕集できる。捕集容器の数及び方式は変更可能である。
【０１２１】
第１脱着剤に対して代替的又は付加的に、第2脱着剤、例えば、水に、もう１つの入口１６”を介して、又は、第2脱着剤混合物に、導管系１３を介して、作業室１２ａ、１２ｂを導通できる。弁装置２０、２０’及び２０”の相応する開閉によって、第１脱着剤及び第2脱着剤にも、重力に逆らって作業室１２ｂを、続いて作業室１２ａを導通させて、又は、重力によって作業室１２ａを、続いて作業室１２ｂを導通させられる。
【０１２２】
第１及び第2脱着剤の連続的又は段階的グラジエントを作り出して、吸着された香気成分の特定の脱着挙動を達成することも一般的に可能である。さらに、まず脱着剤の少なくとも１つを上から下に、つまり、重力によって、導通させて、又は、作業室１２ａ、１２ｂの１つを重ね、続いて、もう一方の脱着剤に、作業室１２ａ、１２ｂを、下から上の逆方向に、又は、重力に逆らって導通させることも一般的に可能である。これにより、特に急激に溶解した画分を取得及び捕集できる。さらに、３、４、５、６、又はそれ以上の脱着剤を混合物及び／又はグラジエントとして使用できることは当然であろう。
【０１２３】
吸着システム１０は、それと共に、特に可変的で、必要に応じた工程管理を可能にする。付加的に、タイプの異なる収着剤を、つまり、少なくとも１つの順相／極性相及び少なくとも１つの逆相を作業室１２ａ、１２ｂ内で使用することで、吸着効果と分配クロマトグラフィ効果との組合せによる香気成分の分離の改善が可能になる。それと共に、吸着システム１０内での異なる収着剤の結合固有保持能力に基づく香気成分の分離を実施できる。その場合、特定の画分の分離は、例えば、逆相（作業室１２ａ）中へのその侵入度に応じて行える。同様に、特定の画分の分離を順相（作業室１２ｂ）上におけるその保持時間に応じて行える。
【０１２４】
図５は本発明のもう１つの実施例による吸着システム１０の原理図である。吸着システム１０の基本的構造は、図４に示した吸着システム１０の構造と同じである。上記実施例とは違い、本吸着システム１０は、異なる香気成分を分画するため、合計４つの作業室１２ａ〜ｄを含む。４つの作業室１２ａ〜ｄは、この実施例においては、同一の収着剤又は収着剤混合物を充填され、それにより、流体からの香気成分を吸着効果と分配クロマトグラフィ効果との組合せによって分配する４つのゾーンを形成する。
【０１２５】
あるいは、作業室１２ａ〜ｄには異なる収着剤又は収着剤混合物を充填することもでき、少なくとも１つの吸着剤は順相及び／又は極性結合相の群から、少なくとも１つの別の収着剤は逆相の群から選択される。さらに、吸着システム１０は、相応して数を増やした相互に独立して制御及び／又は調節可能な弁装置２０、２０’、２０”を含み、必要に応じて吸着モードと脱着モードとの間で切替えられる。特に、本吸着システム１０を用いて、各作業室１２ａ〜ｄに個別に香気成分を装入し、排出が可能となる。それによって、例えば、作業室１２ｃ内で吸着された香気成分だけ、又は、作業室１２ａ、１２ｂ及び１２内で吸着された香気成分だけを脱着させることが可能となり、その結果、同時にデッドスペースを減少させつつ特に柔軟な工程管理を行うことが可能となる。
【０１２６】
図６は本発明のもう１つの実施例による吸着システム１０の原理図である。吸着システム１０の基本的構造は図５との関連で記載した吸着システム１０の構造と類似のものである。デッドスペースを最小限にするため、ここに示した吸着システム１０は、香気成分含有流体を導通させるのに設けられた導管系１３と共に、１つ又は複数の脱着剤を導通させるのに設けられ、導管系１３より容量又は横断面が大きい第2導管系１３’を含む。すなわち、相応して第１及び第2流体通路を形成する２つの導管系１３、１３’が使用され、平均直径が比較的大きく、平均断面積がかなり大きい方の導管系１３を装入に使用し、平均直径が比較的小さく、平均断面積がかなり小さい方の導管系１３’を排出に使用する。これにより、特に高濃縮の香気成分濃縮物が得られる。この前の実施例とのもう１つの違いは、原則的には任意選択であると見なし、数と配置が異なることを想定できる追加のポンプ装置１４ａ〜ｃである。ポンプ装置１４ａ〜ｃは各々作業室１２ａ〜ｃの間に配置されており、流体の処理能力又は作業室１２ａ〜ｃ内に配置される香気成分を含む収着剤の装入速度を高める。さらに、脱着剤用に設けられた導管系１３’は、吸着モードで一般的に閉じられ、相互に独立して切替えられ、作業室１２ａ〜ｄから個別又は融合画分を取得できる追加の弁装置２０’’’を含む。弁装置２０’’’は、非常に簡単な形態では、逆止弁又はボール弁とできる。すなわち、これらの遮断装置は圧力差によって自動的に切替えられるが、しかし能動的制御を行う必要がなく、従って、非常に費用効果及び信頼性が向上する。
【０１２７】
図７は、共通のハウジング２６内に入れ子式で配置された２つの流体相互接続流路２４ａ、２４ｂを有する作業室１２の略縦断面図である。ハウジング２６は、内部流路２４ｂを囲んでいる外部流路２４ａの壁によって形成されている。内部流路２４ｂは、流体又は脱着剤が作業室１２内に入り、外部流路２４ａの合流点まで導かれる際に通る入口１６に通じている。ここで、各流体は方向転換し、流路２４ａを介して出口１８に流れ、そこで再び作業室１２を出る。それと共に、作業室１２は、流動方向に見て、内部流路２４ｂから外部流路２４ａへの移行部が段階的に拡大しており、その結果、外部流路２４ａ内に配置される収着剤（混合物）への結合が弱まり、化学変化する香気成分は、なお且つ、限度容量が大きい方の外部流路２４ａにより確実に捕集できる。別な表現をとると、収着剤の貫流又は貫流可能面積と、従って、その能力は入口１６から出口１８の方向に拡大する。これにより、特に真正な香気成分濃縮物が取得可能となる。
【０１２８】
原則的には、作業室１２又は流路２４ａ、２４ｂの一部又は全部には、相互に独立して、同じ種類又は性状の１つ又は複数の収着剤を充填できる。流路２４ａ、２４ｂには、タイプの異なる収着剤を、例えば、順相及び逆相を充填することを想定しておくこともできる。さらに、流体を出口１８から導入及び入口１６から導出することも当然想定しておける。作業室１２は、全長に対する平均断面厚の比率が最大０．３以下である可能な限り長く、同時に比較的「薄い」流動路を特に簡単かつ拡大縮小が容易な方式で提供する。外部流路２４ａの断面積又は厚さは、基本的には、内部流路２４ｂの断面積を除いた作業室１２の断面積と同じである。
【０１２９】
図８は、共通のハウジング２６内に入れ子式に配置された少なくとも４つの流体相互接続流路２４ａ〜ｄを備えた作業室１２の略断面図である。本実施例においても、１つの流路から次の流路２４ａ〜ｄへの各移行部では、断面積が段階的に拡大している。作業室１２は、これによって、全長に対する平均断面厚の比率が最大０．０３以下である可能な限り長く、同時に「薄い」流動路を特に簡単かつ拡大縮小が容易な方式で提供する。流路２４ａ〜ｄの数は必要に応じて変更でき、その結果、３つ、５つ、又はそれ以上も想定できる。設けられる入れ子式の流路２４の数が多くなればなるほど、作業室１２の流動路の断面推移が漏斗の形に近くなってくる。代わりに、２つ以上の流路２４を入れ子式ではなく、並列に配置することも想定しておける。
【０１３０】
図９は本発明のもう１つの実施例による吸着システム１０の原理図である。水相とも呼ばれる香気成分含有流体は、まず吸着モードで入口１６から連続的に供給され、ポンプ装置１４を用いて導管系１３内に搬入され、全ての作業室１２ａ〜ｃ又は内部に配置される収着剤を重力方向と逆に並行して貫流する。作業室１２ａ〜ｃの入口と出口との間の圧力差は約４バールである。出口１８を介して、脱香気成分水相は再び導管系１３から除去される。
【０１３１】
脱着モードでは、ポンプ装置１４’を用いて入口１６の圧力を僅かに高くして、弁装置２０ａを開き、一方、弁装置２０ｂ、２０ｃを閉じることによって、脱着剤、例えば、水を、入口１６’及び導管系１３’を介して、間隔を空けてゆっくりと第１作業室１２内に導入する。それによって、収着剤に吸着した香気エキスはポンプ装置で水相に戻され、流量及び容量が減少したことから、大きく希釈され、その結果、流体中における脱着剤の濃度では、少なくとも基本的には、下流に位置する作業室１２ｂ、１２ｃ内におけるすでに吸着した香気成分の脱着には不十分となる。すなわち、香気成分含有流体（水相）は香気付けされるか、又は、すでに吸着し、再び脱着させられた香気成分を富化され、下流に位置する作業室１２ｂ、１２ｃに導かれ、そこで再び各ソーベント床上に捕集される。作業室１２ａ〜ｃ（抽出セル）及びその各々の容量は、好ましくは、個々の作業室１２にとっての装入時間が可能な限り短くなるように選択される。
【０１３２】
上記プロセスは次の作業室１２ｂの場合も類似しており、続いて、下流に位置する各その他の作業室１２ｃ等についても繰り返され、その結果、流動方向に関して最後の作業室（ここでは１２ｃ）内に集まる香気成分が増加することになる。弁装置２０、２０’は必要に応じて開閉し、それによって、脱着プロセスを支援し、香気成分含有流体が利用されずに出口１８から出るのを防止できる。それと共に、流動方向に見て最後の作業室１２ｃには、非常に短時間で非常に多量の香気が集まる。各個々の作業室１２ａ〜ｃについての装入時間は比較的短く、クロマトグラフィプロセスによって失われる極性又は非香気成分は実質上ない。つまり、得られる香気成分濃縮物は極めて真正である。同時に、非常に大きな濃縮係数が達成されるか、又は、香気成分濃度の高いエタノール相が得られる。各個々の作業室１２ａ〜ｃの装入時間が短いことによって、香気成分濃縮物は吸着システム１０の周期においては１日１０回も、例えば、１時間ごとに得られ、弁装置２０”及び出口１８’を介して除去できる。
【０１３３】
図１０は本発明のもう１つの実施例による吸着システム１０の原理図である。吸着システム１０の基本的構造は図１に示した構造と同じであるが、しかし、第１実施例とは違って、吸着システム１０は、形状が異なる、特に、平均断面厚の異なる作業室１２ａ〜ｃを含む。作業室１２ａ〜ｃは新たに少なくとも基本的には円筒形に形成されているが、しかし、矢印Ａによって示した流動方向に平均断面厚が増大している。すなわち、作業室１２ａ〜ｃは同じ高さであるが、しかし直径又は断面積が異なり、それによって、一種の漏斗効果が生じる。装入時に香気成分濃縮流体が入ってくる作業室１２ａは第2作業室１２ｂ又は全ての下流に位置する作業室１２ｂ、１２ｃよりも幅が狭い。それによって、比較的少量のソーベントに非常に効率的に結合できる香気成分を、幅の狭いパイプ内だけ、又は、容量がもっと小さく、作業室１２ａの長さに対する平均断面厚の比率が最大０．３と可能な限り低い作業室１２ａ内だけに位置させることが達成される。このことから、後続の脱着時には、それらの香気成分の最終濃度が特に高いものになる。
【０１３４】
少なくともほぼ定量的に結合させるため多量の収着剤を必要とする香気成分は、主として下流に位置する作業室１２ｂ又は１２ｃ内で結合させられる。すなわち、これらの作業室の直径が大きいため、より高い結合能力をもつことによる。装入方向とは逆方向（矢印Ｂ）の脱着時には、まず最大の作業室１２ｃからの結合特性が劣る方の香気成分が量的に正しい比率で再び溶解させられ、第2作業室１２ｂを介して比較的幅が狭い第１作業室１２ａ内に達し、そこで、結合性の優れたその他の香気成分を分離する。
【０１３５】
それにより、主として、結合性の低い香気成分が、正しい量比率で、得られる香気成分濃縮物中に出現することが達成され、それによって、この香気成分濃縮物は特に真正なものとなる。万一最後の作業室１２ｃの脱着剤の全量が最小の作業室１２ａの脱着に使用されなかった場合は、結合性の劣る香気成分の利用可能な全量が取り戻されないが、しかし、取り戻された香気成分は、元の流体（水相）中に匹敵する比率で定量的に存在し続けている。
【０１３６】
図１１は、形状の異なる４つの作業室１２ａ〜ｄの略断面図である。全ての作業室１２ａ〜ｄが、縦延長方向Ｌに変動する直径又は変動する断面積を有することが分かる。それと共に、各作業室１２ａ〜ｄでは、流量又は貫流可能断面積及びそれと共に各作業室内に配置される収着剤の限度容量が段階的及び／又は連続的に入口１６から出口１８方向に増大している。これによって、収着剤の限度容量が流動方向に増大することから、特に真正な香気成分濃縮物の取得が可能になり、その結果、難結合性香気成分をなお且つ確実に吸着できる。それに相応して、香気成分の装入は、好ましくは、矢印Ａで示した流動方向に、つまり、下から上に、又は、直径が小さい方の領域から直径が大きい方の領域に向かって行われる。これによって、結合性の優れた香気成分の場合は、各収着剤への結合性が劣る香気成分の場合よりも低い結合能力の提供が確保される。排出は好ましくは逆流動方向（矢印Ｂ）に、つまり、直径が大きい方の領域から直径が小さい方の領域に向かって行われる。それと共に、出口１８の領域内で結合した、つまり、吸着度が非常に弱い化合物は、脱着剤をよく溶解させることから、全ての香気成分の逆に特に信頼性の高い脱着が達成され、一方、入口１６の領域内で結合した香気成分は、つまり、各収着剤に強く収着した化合物は、相応する容積流量の脱着剤に脱着される。各作業室１２ａ〜ｄは、原則的には、個別又は任意の組合せで、本発明による吸着システム１０に使用できる。
【０１３７】
図１２は本発明のもう１つの実施例による吸着システム１０の原理図である。吸着システム１０の基本的構造は大部分が図９に示した構造と同じである。図９に示した実施例とは違って、本実施例は、高さは同じであるが、断面積又は直径が異なり、それぞれ同じ収着剤又は収着剤混合物が充填された３つの円筒形作業室１２ａ〜ｃを有する。
【０１３８】
ここでは、作業室１２ａの方が容量は大きく、一方、作業室１２ｂの方が容量は小さく、作業室１２ｃは３つの作業室１２ａ〜ｃの中で最も容量が小さい。それと共に、装入方向に見て第１作業室１２ａ、又は、この作業室内に配置される収着剤は、香気成分に対して最大の結合能力を有し、最大の容積流量を可能にし、一方、下流に位置する作業室１２ｂ、１２ｃの結合能力及び最大許容容量流量は段階的に減少する。例えば、作業室１２ｂの容量は作業室１２ａの容量の１／１０とすることができ、一方、作業室１２ｃの容量は作業室１２ｂの容量の１／１０である。この場合にも、作業室１２ａ〜ｃの代わりに、２つのみ、４つ、又はそれ以上の作業室１２を設けることはもちろん想定されている。それと共に、全体として、作業室１２ａ〜ｃの全長に対する平均断面厚の比率の大幅な低下が、例えば、最大０．０３以下の比率が確保される。
【０１３９】
図９に示した実施例とのもう１つの違いとして、本吸着システム１０は、作業室１２ａ〜１２ｂと１２ｂ〜１２ｃの間を導管系１３内に通じており、第３流体通路を形成する追加の導管系１３’’を有する。この別の導管系１３’’は入口１６’’、ポンプ装置１４並びに２つの弁装置２０’’’を含み、導管系１３内への下部の給水の役割を果たす。
【０１４０】
ここに示した吸着システム１０の場合にも、エタノール含有率が０容量％〜５０容量％、例えば、０容量％、０．５容量％、１容量％、６容量％、１８容量％、３０容量％、３７容量％、４２容量％又は４９容量％の香気成分含有水相である流体がまず連続的に入口１６から配管系１３内に導入され、並行かつ均等に全ての作業室１２ａ〜ｃ（抽出セル）を導通させられる。作業室１２ａ〜ｃの下部入口１６と上部出口との間の圧力差はここでは約４バールである。
【０１４１】
脱着のために、水側（導管系１３）より高圧力を加えることで、脱着剤としてのエタノールを、上から、第2流体通路を形成する配管系１３’を介して、間隔を空けてゆっくりと作業室１２ａ〜ｃ内に導入する。弁装置２０ａ〜ｃを用いて、個々の作業室１２ａ〜ｃにエタノールを個別に当てることが可能となる。それにより、収着剤に吸着した香気成分を脱着させ、香気エキスとしてポンプ水相中に戻し、配管系１３’を用いて水で希釈する。それにより、各デソーベントのエタノール含有率は低下し、その結果、下流に位置する作業室１２ｂ又は１２ｃ内で吸着された香気成分の望ましくない、又は、早期の脱着を防止する。好ましくは、各デソーベントのエタノール含有率が、作業室１２ｂ又は１２ｃ内に導入される前に、最大１２〜１３容量％になるように、配管系１３’を介して供給される水量を選択される。例えば、内部で香気成分を例えば流体に比べて１：１００で富化する作業室１２ａの高エタノール含有率デソーベント（エタノール含有率＞９０容量％）を再び水によって１：１０で希釈して、エタノール含有率を最大１２〜１３容量％に調整する。それと共に、作業室１２ｂ内に導入される香気成分は元の流体に比べて約１０倍に富化されている。
【０１４２】
同様に、香気成分を作業室１２ａに比べて倍率約１：１００で富化する作業室１２ｂの高エタノール含有率デソーベントは新たに水によって１：１０に希釈し、その結果、作業室１２ｃ内に導入される香気成分は元の流体に比べて形式的に１００倍に富化されている。同時に、作業室１２ｃ内に導入されるデソーベントの容量は、作業室１２ｂ内に導入されるデソーベントの容量の僅か約１／１０又は作業室１２ａ内に導入される流体の１／１００である。従って、装入方向に見て最後の作業室１２ｃ内では、非常に短時間で多量の香気が結合し、その香気は、最後には、弁装置２０”の開放によって、エタノール香気成分濃縮物として出口１８”を介して吸着システム１０から除去できる。この場合、水による希釈は行われず、それによって、作業室１２ｂに比べた１：１００の、又は作業室１２ａに比べた１：１０００の、又は元の流体に比べた１：１００００の香気成分の富化が達成される。
【０１４３】
各個々の作業室１２ａ〜ｃについての装入時間が比較的短いことから、非極性香気成分も極性香気成分も均質に富化され、少なくとも大幅に化学変化することはない。つまり、１：１００００以上の大きな濃縮係数が達成される。各個々の作業室１２ａ〜ｃの装入時間が短いことによって、香気エキスを設備の周期において１日数回、例えば、１時間ごと、又はそれ以上で、得ることができる。
【０１４４】
脱香気流体又は脱香気水相は、原則的には、出口１８を介して吸着システム１０から除去及び廃棄するか、又は回路内の入口１６”を介して吸着システム１０を導通させ、後者の場合は、相当量の水の節約並びに香気成分の特に高い収率及び回収率が達成される。
【０１４５】
導管系１３’の代わりに、又は、導管系１３’に追加して、吸着システム１０が、内部で各エタノールデソーベントを捕集、中間貯蔵、及び、場合により希釈することができる１つ又は複数の中間容器（図示せず）を含むことを想定している。
【０１４６】
以下の表１は、上に示した吸着システム１０の１つを用いた香気成分含有流体を処理する際に実現可能な結果を示したものである。流体としては、６容量％エタノール並びに香気成分３−メチルブタン−１−オール、フェノール、ヘキサナール、シス−３−ヘキセノール、リナロール及び２−フェニルエタノールを含む水相を使用した。表１は、一方では、香気成分濃縮物中の各香気成分の富化係数を元の流体中のその各出発濃度を示しており、富化係数は比較的均等に数値２００前後となっている。これは、得られる香気成分濃縮物の真正性を強調している。さらに、ヘキサナール、シス−３−ヘキセノール、リナロール及び２−フェニルエタノールに対する３−メチルブタン−１−オールの、又は、ヘキサナール、シス−３−ヘキセノール、リナロール及び２−フェニルエタノールに対するフェノールの相対富化係数が示されている。相対富化係数は１．０の範囲にあり、その結果、好ましくは、全ての香気成分が、その極性の大きな違いのために、極めて均質に、それと共に、区別なしで富化されることがこれでも分かる。
【表１】
2018534049.tif 000009
【０１４７】
もう１つの実施例では、例えば、再び香気成分として３−メチルブタン−１−オール、フェノール、ヘキサナール、シス−３−ヘキセノール、リナロール及び２−フェニルエタノールを含むことができる水性流体の２段階富化が実施される。第１段階では、比較的高い収着能力によって吸着が実施される。この目的のため、例えば、上記の吸着システム１０の１つを使用できる。その場合、３−メチルブタン−１−オール及びフェノールに対するシス−３−ヘキセノール、２−フェニルエタノール、リナロール、ヘキサナールの個々の指数が、１．４９を超える相対富化係数に到達することはない。脱着剤としてのメタノールによる後続の脱着時の富化係数は比較的小さく選択され、例えば、１：１０、１：１００又は１：５００である。
【０１４８】
第２段階では、第１段階で取得されたエタノール含有率９０容量％超の香気成分濃縮物を水で希釈して、エタノール含有率を６〜２０容量％にする。続いて、場合により複数のエリア３２（図１７を参照）から構成することができる、収着剤を充填された比較的長くて薄い作業室１２を用いて、吸着を実施する。この場合、第２段階の遊離体又は第１段階の香気成分濃縮物に関して、１：１００超又は１：１０００以上の富化係数が得られる。
【０１４９】
この２段階解決策の技術的利点は、２つの異なる吸着システム１０、又は、大きく異なる流量に対して最適化可能又は最適化されている２つの異なる導管系１３を使用できることにある。すなわち、第１段階用の吸着システム１０又は導管系１３は、濃縮度の低い水性流体の大きな流量に対して最適化できるが、一方、第２吸着システム１０又は第２導管系１３は、すでに強濃縮されている香気成分濃縮物の少ない流量並びに高いエタノール含有率に対して最適化でき、このことが、例えば、防火及び防爆要求事項の向上をもたらす。それに応じて、第２吸着システム１０は、原則的には、高圧縮装置と呼ぶこと、又は、高圧縮装置として形成することもできる。
【０１５０】
第２吸着システム１０又は第２導管系１３は、流量が明らかに減少していることから、全長に対する平均断面厚の比率が特に低い、例えば、比率が最大０．０３以下の作業室１２をさらに含むことができる。これによって、特に大きな濃縮係数の達成が可能になる。
【０１５１】
図１３は本発明のもう１つの実施例による吸着システム１０の原理図である。吸着システム１０は、上記の各実施例とは違って、その機能を以下でさらに詳細に説明する捕集容器２８を含む。吸着システム１０が、この場合は同じタイプの収着剤を充填され、その長さに比べて断面積又は直径が小さい３つの作業室１２ａ〜ｃを有することが分かる。収着剤としては、単独材料又は２つ以上の逆相材料の混合物、いわゆる逆相材料を使用する。この場合も、同じ又は異なる形態をとれる、又は、同じ又は異なる収着剤を充填できる異なる数の作業室１２ａ〜ｃを設け得ることは明白である。流体としては、新たに、香気成分含有水相を使用し、入口１６を介して吸着システム１０の導管系１３内に導入する。
【０１５２】
吸着又は捕集モードでは、まず弁装置２０、２０’を開き、弁装置２０”を閉じる。その後、収着剤が充満するまで、流体に重力方向とは逆に並行して作業室１２ａ〜ｃを導通させる。それと共に、主として非極性香気成分だけが、作業室１２ａ〜ｃ内に配置される収着剤に結合し、一方、極性香気成分はすでに一部又は全部が「化学変化しており」、作業室１２ａ〜ｃから搬出される。極性香気成分は、部分脱香気流体と共に、上流に位置する作業室１２ａ〜ｃに比べて長さに対する直径又は断面積の比率が大きい別の作業室又は別の抽出セル１２ｄに導かれる。貫流断面積がより大きいことで、作業室１２ｄ内に配置される収着剤はより高い能力をもち、その結果、化学変化した極性香気成分は少なくとも基本的には完全に結合させられる。脱香気流体はその後に出口１８を介して吸着システム１０から導出される。
【０１５３】
結合香気成分を回収するには、吸着システム１０を脱着モードに切替える。このため、弁装置２０、２０’を閉じ、弁装置２０”を開く。続いて、出口１６’を介して、脱着剤に、例えば、エタノールに、重力方向に、又は装入方向とは逆方向に、大きな作業室１２ｄを導通させる。回収された香気成分は導管系１３’を介して原則的には任意選択の捕集容器２８内に導かれ、そこから、その全部又は一部を取出し、さらなる処理及び／又は転送を行える。転送の場合は、すでに香気成分を含有しているエタノール脱着剤をポンプ装置１４によってさらに作業室１２ａ〜ｃに送り、同様に装入方向とは逆方向に、又は重力方向に、これらの作業室を貫流させる。小さな作業室１２ａ〜ｃ内で結合した非極性香気成分は脱着剤によって脱着させ、出口１８’を介して吸着システム１０から導出する。原則的には、作業室１２ａ〜ｃに脱着剤用の別の導管系（図示せず）を組込み、それによって、極性香気成分及び非極性香気成分を相互に独立して脱着できるように想定してもよい。さらに、出口１８’を同様に捕集容器２８に通じるようにして、この容器内で香気成分濃縮物を形成すること、又は、極性香気成分と非極性香気成分を望ましい比率で合体させることを想定している。この場合に有利なのは、捕集容器２８が、香気成分濃縮物を取出すために別の出口（図示せず）が利用可能な場合である。
【０１５４】
図１４は本発明のもう１つの実施例による吸着システム１０の概略図である。基本的構造及び基本的機能は上記実施例と同じである。上記実施例とは違って、吸着システム１０は、付加的に、ポンプ装置１４を組込んだ別の入口１６”並びに弁装置２０”’を組込んだ追加の出口１８”を含む。それによって、吸着システム１０は、装入方向に第１作業室又は抽出セル１２ａ〜ｃの透過物流を作業室１２ｄに入る前に変成させることができる制御及び／又は調節可能な極性反転の実施を可能にする。極性反転方法は、遊離物として、まず、エタノール含有率が４５容量％以上までと比較的高い香気含有水性流体を入口１６から導入し、まず流動方向に第１の主として非極性香気成分を吸着する作業室１２ａ〜ｃを導通させる。作業室１２ａ〜ｃの１つ又は複数の出口と作業室１２ｄの入口との間で、すでに部分香気付けされた流体又は透過物の極性及び／又はｐＨ値及び／又はイオン強度及び／又は固体含有率を変えられ得る。このため、香気成分含有透過物流には、入口１６”を介して、例えば、水、酸及び／又はアルカリ液を混合できる。ｐＨ値調整に適した化合物は専門家には周知であり、例えば、硫酸、塩酸、リン酸、アスコルビン酸、クエン酸、乳酸、リンゴ酸、酢酸、プロパン酸、酪酸、２−メチル酪酸、３−メチル酪酸、ヘキサン酸、ヘプタン酸、オクタン酸、ノナン酸、デカン酸及びその誘導体、並びに、水酸化ナトリウム、水酸化カルシウム及び水酸化カリウムのような無機塩基があるが、このリストは限定するものではない。このようにして、酸性又はアルカリ性香気成分の特異的区別が可能になる。かかる香気成分の非限定な例としては、
−  アミン（第１級、第２級及び第３級アミン、例えば、モノメチルアミン、ジメチルアミン、トリメチルアミン、モノエチルアミン、ジエチルアミン、トリエチルアミン等）
−  アルカロイド（例えば、ヒグリンのようなピロリジン・アルカロイド）
−  ステロイド・アルカロイド（例えば、ソラニン）
−  ピリジン・アルカロイド（例えば、ニコチン、アナバシン）
−  ピペリジン・アルカロイド（例えば、ピペリン）
−  トロパン・アルカロイド（例えば、ヒヨスチアミン、スコポラミン、コカイン）
−  キノリン・アルカロイド（例えば、キニン、キニジン）
−  イソキノリン・アルカロイド（例えば、モルフィン、コデイン、パパベリン、ベルべリン、ツボクラリン）
−  インドール・アルカロイド（例えば、アジマリン、エルゴタミン、ヨヒンビン、レセルピン、ストリキニン）
−  プリンアルカロイド（例えば、コフェイン、テオフィリン、テオブロミン）
−  非環式窒素含有アルカロイド（例えば、エフェドリン、メスカリン）
−  クラレ−アルカロイド（例えば、トキシフェリン、ツボクラリン、アルクロニウム）
−  麦角アルカロイド（例えば、エルゴタミン、エルゴメトリン）
−  アヘン剤（例えば、モルフィン、コデイン、テバイン、パパベリン、ノスカピン
クリプトピン）
−  ビンカ・アルカロイド（例えば、ビンクリスチン、ビンブラスチン）
−  アスパラギン酸又はリシン誘導アルカロイド（例えば、ニコチン、ルピニン）
−  グリシン誘導アルカロイド（例えば、コフェイン、テオフィリン、テオブロミン）
−  ヒスチジン誘導アルカロイド（例えば、ピロカルピン）
−  オルニチン誘導アルカロイド（例えば、ヒオスチアミン、スコポラミン、コカイン）
−  フェニルアラニン又はチロシン誘導アルカロイド（例えば、コルヒチン、モルフィン、コデイン、パパベリン、ツボクラリン、ベルベリン）
−  トリプトファン誘導アルカロイド（例えば、エルゴタミン、エルゴメトリン、アジマリン、レセルピン、ストリキニン）
−  カルボン酸含有化合物（例えば、ギ酸、酢酸等）
がある。
【０１５５】
それとは無関係に、代替的又は付加的に、流体又は透過物に、少なくとも一部が流体又は透過物中に溶解する特定の量の少なくとも１つの成分を添加することが一般的に可能である。標準条件下で、固体及び／又は流体である１つ又は複数の成分が選択される。同様に、その少なくとも１つの成分は、無機及び有機塩、モノマー、オリゴマー及びポリマー糖、プロトン性溶媒、非プロトン性・非極性溶媒及び非プロトン性・極性溶媒を含む群から選択される。同様に、標準条件下で２５℃及び１．０１３バールにおいて流体又は透過物中に発エルゴン的に溶解する少なくとも１つの成分が選択される。この少なくとも１つの成分は、少なくとも０．１ｇ／ｌの、特に少なくとも１ｇ／ｌの、好ましくは少なくとも１０ｇ／ｌの量を、流体に添加できる。この少なくとも１つの成分は、流体の総容量に対する流体の含水率が最大９４容量％になる量を、流体に添加可能である。この場合、本発明は、その１つ又は複数の成分の溶解によって、相応する量の流体分子がその１つ又は複数の成分に結合し、それにより、相互作用には利用できないという認識に依拠している。従って、流体中におけるその１つ又は複数の成分の濃度上昇と共に、流体中に溶解した香気成分分子の収着剤への吸着度が高くなり、それによって、まだ流体中に存在する香気成分の回収率及び濃縮度を特に高くすることが可能になる。代替的又は付加的に、脱着剤として不混合溶媒又は溶媒混合物を使用するのではなく、脱着剤に、標準条件下では好ましくは固体であり、少なくとも一部が脱着剤中に溶解する少なくとも１つの成分を添加することが一般的に可能である。脱着剤は、原則的には、溶液、エマルジョン又は懸濁液が使用できる。この場合、本発明は、その１つ又は複数の成分の溶解によって、脱着挙動並びに特定の香気成分のクロマトグラフィ分離挙動に特異的に影響を与えられるという認識に依拠している。流体中におけるその１つ又は複数の成分の濃度上昇と共に、収着剤からの特定の香気成分分子の脱着度が高くなり、それによって、これらの香気成分の回収率を特に高め、他の香気成分からの分離を簡単にでき得る。この場合にも、この少なくとも１つの成分は、少なくとも０．１ｇ／ｌの、特に少なくとも１ｇ／ｌの、好ましくは少なくとも１０ｇ／ｌの量を添加できる。
【０１５６】
同様に、弁装置２０”’を開くことによって、透過物の少なくとも一部を出口１８”を介して作業室１２ａ〜ｃから導出することが可能である。それによって、極性香気成分の一部だけが作業室１２ｄ内に達し、その作業室内に配置される収着剤に結合する。この制御及び／又は調節可能な減量によって、極性香気成分を非極性香気成分に比べて相対的に減損させることができ、ここでは、極性香気成分相互の比率は少なくとも基本的には一定のままである。
【０１５７】
脱着のために、装入又は収着相の終了後に、全ての作業室１２ａ〜ｄの香気成分を、装入方向とは逆の排出方向に、脱着剤としてのエタノールと共に脱着させ、出口１８’を介して導出可能な相応する香気成分濃縮物を取得する。その場合、任意選択で、脱着させられた極性香気成分の少なくとも一部を開放弁装置２０”’及び出口１８”を介して導出することを想定できる。これによっても、極性香気成分相互の相対比率を維持したままでの非極性香気成分に比べた極性香気成分の相対減損が可能である。出口１８”を介しての導出は弁装置２０’を閉じることによって補助できる。上記の極性反転並びにそれに関連する元素及び添加物を原則的に常に使用できるのは、香気成分含有流体に２つ以上の作業室１２を連続して導通させた場合と、極性香気成分相互の相対比率を少なくとも広範に維持したままで非極性香気成分と比べた極性香気成分の相対減損を希望する場合である。
【０１５８】
図１５は本発明のもう１つの実施例による吸着システム１０の原理図である。吸着システム１０の基本的構造は大部分が図１２に示した構造と同じである。図１２に示した実施例に追加して、吸着システム１０は、第１と第２作業室１２ａ、１２ｂの間に流体的に配置され、弁装置２０ｄを介して開放及び閉止可能な出口１８”、並びに、第２と第３作業室１２ｂ、１２ｃの間に流体的に配置され、弁装置２０ｅを介して開放及び閉止可能な出口１８”’を含む。それによって、吸着システム１０は、作業室１２ａ〜ｃを介して段階的濃縮だけではなく、入口１６”及び弁装置２０”’を介して極性逆転の実施と、さらには、原則的には任意選択の出口１８”及び出口１８”’を介してそれとは独立した制御及び／又は調節可能な減量も可能にする。
【０１５９】
原則的には、本発明による吸着システム１０の全ての実施例は、図示した形態で、制御及び／又は調節可能な極性逆転及び／又は制御及び／又は調節可能な減量の可能性を拡大できる。図１６は、このため、例えば、その構造の大部分が図１に示した吸着システム１０と同じである本発明による吸着システム１０の別の実施例を示したものである、図１に示した実施例に追加して、本吸着システム１０は、ポンプ装置１４が組込まれ、弁装置２０を介して開放及び閉止可能な入口１６”、並びに、ポンプ装置１４が組込まれ、弁装置２０を介して開放及び閉止可能な入口１６”’を含み、それらの入口を介して、水、酸、塩基及び／又は溶性成分を必要に応じて導管系１３内に、又は、すでに部分脱香気された流体ストリーム内に導入できる。入口１６”及び１６”’はそれぞれ２つの抽出セル１２の間に通じている。さらに、吸着システム１０は、弁装置２０’を介して開放及び閉止可能な出口１８”、並びに、弁装置２０’を介して開放及び閉止可能な出口１８”’を含み、それらの出口を介して、必要に応じた減量を行える。１８”及び出口１８”’もそれぞれ２つの作業室１２の間に通じている。
【０１６０】
図１７は、例えば本発明による吸着システム１０内で使用できる本発明による細分された作業室１２の略断面図である。作業室１２は抽出セルとも呼ばれる。可能な限り長く、比較的薄い吸着路の実現のためと、それと共に、全長Ｌに対する平均断面厚の比率が最大０．３である作業室１２を形成するためには、相応して長く、収着剤が充填された、又は充填可能なパイプを使用できる。長さＬが増大するにつれ、もちろん、流れ抵抗、又は、有用な流体流量を保持するために必要な入口圧力も大きくなる。収着材料は通常は多孔質であることから、１〜２バールを超える圧力を継続的に適用した場合には、収着材料が圧壊し、それと共に、その吸着効果を失い、貫流を遮断し、それによって、さらなる圧力上昇を招く危険がある。さらに、高圧を受けた収着材料は作業室１２の出口を塞ぐことがある。この現象を避けるために、本発明によれば、例えば、篩又は焼結底として形成できる固定分離底３０の組込みによって直径の小さな比較的長いパイプを区分することで、断面積の小さな可能な限り長い抽出路を可能にする。それによって、一連の独立した流れ抵抗が生じ、その結果、各個別のセグメントを介して、ソーベント又は収着剤を損傷させない程度の圧力低下だけが実現される。それに応じて、作業室１２は、数と配置は例示した４つの分離底３０によって、同じ容量の５つのエリア３２に区分される。４つの分離底３０に代わって、１つ、２つ、又は３つだけ、並びに、５つ、６つ、７つ、８つ、９つ、１０又はそれ以上の分離底３０も想定できることは明白である。得られる作業室１２のエリア３２は、原則的には、高さ、断面積及び／又は容量が同じでも違っていてもよい。その場合、収着剤の充填又は交換を簡素化するために、パイプを相応するパイプセグメントに細分可能にすることを想定できる。個々のパイプセグメントは、例えば、ネジ、バイオネット継手、フランジ３４（図１８を参照）、パイプクリップ等によって、何らかの方法で相互に接続可能かつ固定可能にできる。同様に、例えば、溶接によって、パイプセグメントを接着接続することも想定される。
【０１６１】
もし、例えば、収着剤を充填された作業室１２の入口１６と出口１８との間で１バールの圧力低下が調整された場合は、例示の床長１ｍで、特定の流量が生じる。流量の典型的な値は、圧力４バール及び貫流面積約２０ｃｍ2において、処理能力１．５Ｌ／ｍｉｎである。貫流面積が約２０００ｃｍ2の場合、その他の境界条件が同じであれば、約１５０Ｌ／ｍｉｎである。作業室１２の床長又は長さＬを５ｍに拡大しようとすると、同じ流速又は流量を維持するためには、出口１６の圧力を５バールに高めなければならない。もしそうした場合には、通常は、収着剤の急速な破壊又は不活性化が起こり、それによって、著しい保守コストと共に、相応する高い運転コストが生じることになる。しかし、図示したように、長さ５ｍの作業室１２を個々の分離底３０を境界とする５つのエリア３２又はセグメントに区分すれば、これらの分離底３０のそれぞれにおける圧力低下は約１バール（つまり、約１バール／ｍ）に過ぎず、それによって、作業室１２、及びそれを備えた吸着システム１０は、エリア３２内に配置された収着剤の破壊なしで、連続的に安定運転を行うことができる。一般的には、長さ１〜５ｍの、好ましくは、ソーベントの圧壊を防止するため、１ｍごとに１つの分離底３０を設けた作業室１２を使用することを推奨する。
【０１６２】
同様に、同じタイプの収着剤だけでなく、タイプの異なる収着剤を個々のエリア３２内に充填することも可能であり、さらに、各エリア３２内には単一タイプ収着剤又は収着剤混合物を用意できる。これにより、全作業室１２の吸着特性をその都度の分離目的に最適化ができる。例えば、装入方向に対して上流に位置するエリア３２には逆相が用意されており、一方、下流に位置するエリア３２には順相及び／又は極性結合相が収着剤として配置されている。逆の配置、つまり、装入方向の最初に順相／極成相、続いて逆相、並びに、配置の交換ももちろん同様に考え得る。
【０１６３】
図１８は、２つ以上のエリア３２を有する作業室１２を形成するために、相応して形成されたパイプセグメントを相互に接続可能にするＤＩＮフランジ３４の平面図である。フランジ３４は、分離底３０を挿入可能な中央貫通開口３６を有することが分かる。図１９はフランジ３４の略平面図であり、非常に優れた耐久性及び弾性を有する接続を確保するために、篩底として形成された分離底３０が中央貫通開口３６内に挿入され、フランジ３４と溶接されている。
【０１６４】
図２０は、例示的に篩底として形成されている分離底３０の略平面図である。分離底３０のメッシュサイズは周知の方法で収着剤の粒度に適合させ、それによって、流体が分離底３０を貫流するのを妨げずに、収着剤は確実に保持される。篩底の代替として、分離底３０は、一般的な細孔径が４０〜１５０μｍの焼結材料を含められる。
【０１６５】
図２１は、分離底３０は拡大が簡単な貫通開口３６内に挿入されているか、又は、シールリング内にも挿入可能であるＤＩＮフランジ３４の略平面図であり、分離底はこのシールリングによって貫通開口３６上方のフランジ３４の中心に保持されている。接着接続の場合とは違い、この配置では分離底３０を簡単に取替え又は交換して、例えば、異なる収着剤粒度分布に適合させ得る。
【０１６６】
図２２は、本発明による吸着システム１０用のらせん形作業室１２の概略図である。収着剤を充填されたパイプ形作業室は、直径：長さの比率が＜０．３になるように、比較的長く、同時に薄く形成されていることが分かる。例えば、作業室は少なくとも長さ２５０ｃｍ、内径５ｃｍにでき、それにより、直径：長さの比率は０．０２となる。らせん形を形成することで、作業室は特にコンパクトで、省スペースとなり、さらに、相応し簡単に温度調節が行える。さらに、作業室１２が、流体／ガスに作業室１２を流通できる個別のポンプ装置１４に接続されている。
【０１６７】
図２３は、湾曲部ごと、又は作業室１２ごとにそれぞれ個別のポンプ装置１４を備えた複数のジグザグ形配置又は交互昇降作業室１２の概略図である。作業室１２は、角のある端部領域がそれぞれ主として直線に形成され、一種のパイプ束を形成する。それと共に、本実施例では、６つの作業室１２及び６つのポンプ装置１４が使用され、原則的には、異なる数の作業室１２及び／又はポンプ装置１４を想定している。これにより、長い作業室１２全体にわたる圧力及びポンプ損失を特に簡単に補償できる。例えば、個々の作業室１２は相互に独立して長さ２ｍ〜２０ｍとされる。この場合、作業室は各々長さ２ｍであり、その結果、全ての作業室１２の全長１２ｍに対して、２ｍ、４ｍ、６ｍ、８ｍ，１０ｍの箇所に、各々別のポンプ装置１４を備えられる。このようにして、例えば、吸着モードでは一方向、脱着モードでは逆方向のように、両方向で同じく円滑に作業室１２を貫流できる。さらに、各々５バール未満、特に２バール未満という比較的小さな圧力差で作業が行え、それにより、一方では、費用対効果が向上したポンプを使用でき、他方では、収着剤の寿命が延びる。
【０１６８】
図２４は、複数のジグザグ形配置作業室１２の概略図であり、作業室は、上記実施例とは違い、基本的には直線で無く、それぞれ湾曲部を有する。それに応じて、図示した実施例では、３つの基本的にはＵ字形の作業室１２及び３つのポンプ装置１４だけが存在し、この場合にも、異なる数の作業室１２及び／又はポンプ装置１４を想定し得る。
【０１６９】
図２５は、ポンプ装置１４を備えていない蛇行形作業室の概略図である。作業室１２は本実施例では５つの湾曲部を含み、この場合にも、異なる数の湾曲部を想定し得る。上記各実施例とは違い、湾曲部は角張っておらず、丸められており、それにより、多くの場合は、作業室１２への収着剤の充填並びに交換が容易になる。
【０１７０】
図２６は、本発明による吸着システム１０のもう１つの実施例の原理図であり、図２６は吸着システム１０の第１富化段階だけを示しており、一方の、第２の原則的には任意選択の第２富化段階は図２７に示してある。吸着システム１０の第１富化段階は２群のソーベント充填作業室１２ａ、ｂを含み、吸着モードでは、香気成分含有流体、例えば、蒸留物、ポンプ封水及び／又は脱アルコール設備からの透過物を案内して、それらの作業室を導通させ、流体中に含まれた香気成分を収着させる。作業室１２ａ、ｂは、相互に独立して、複数のエリア３２又は作業室１２の束からも構成できる。
【０１７１】
第２作業室１２ｂより容量が小さい第１作業室１２ａ内では、主として非極性香気成分が結合させられ、一方、第２作業室１２ｂ内では、主として極性香気成分が結合させられる。作業室１２ａ、ｂの形状関係が、その都度、結合する香気成分の量を決定する。
【０１７２】
各作業室１２ａ、１２ｂは、例えば長さを少なくとも２．５ｍにでき、６ｍ、１６ｍ、２０ｍ、５０ｍ、７０ｍ、１００ｍ又はそれ以上並びに対応する中間長さが考えられ得る。さらに１つ又は複数の作業室１２ａ、１２ｂを２つ以上のエリアに細分し、全長は常に少なくとも２．５ｍとすることを想定しておける。ポンプ装置１４の数は必要及び圧力低下に応じて選択し、作業室長４ｍ当たり少なくとも１つのポンプ装置１４を想定しておくことを一般的には推奨する。代替的又は付加的に、パーコレーション速度が７０ｍＬ／ｍｉｎ／ｃｍ2の場合に４バール以上の圧力低下が生じた際には、通常は、１つのポンプ装置１４を想定すべきであろう。
【０１７３】
第１作業室１２ａのパーコレーション速度は約５０〜１００ｍＬ／ｍｉｎ／ｃｍ2に調整すべきであろう。第１作業室１２ａの直径又は平均断面厚は望ましい流量に応じて選択される。第２作業室１２ｂの直径又は平均断面厚は第１作業室１２ａの約４〜１０倍である。一般的に、長さに対する平均断面厚の比率は作業室１２ａ、１２ｂいずれの場合も最大０．３、好ましくは、流量大の場合の０．０４と流量小の場合の０．０００２の間である。
【０１７４】
作業室１２ａ、１２ｂは、浸漬浴として形成され、作業室１２ａ、１２ｂ又はその内部に存在する収着剤を温度調節できる各温度調節装置４０ａ、４０ｂ内に配置されていることが分かる。吸着モードでは、温度調節装置４０ａによって、作業室１２ａ内の温度を、室温（２５℃）よりも高温（例えば、４０℃以上）に調節し、一方、作業室１２ｂ内の温度調節装置４０ｂによって、作業室１２ａ内よりも低温（例えば、３９℃以下）に調節する。これによって、全ての香気成分の少なくとも基本的には完全な吸着が達成される。
【０１７５】
逆に、脱着モードでは、作業室１２ａ内の温度調節装置４０ａによって、温度を室温以下の範囲（０℃以下まで）に調節し、一方、作業室１２ｂ内の温度調節装置４０ｂによって、作業室１２ａ内よりも高い室温（例えば、３０℃以上）に調節する。代替的に、これによって、全ての香気成分の少なくとも基本的には完全な脱着が達成される。
【０１７６】
吸着システム１０が、導管系１３内又はその近くの流動方向に見て上流及び作業室１２ａ、１２ｂの間に配置され、流体及び／又は脱着剤を吸着及び脱着モードで必要に応じて温度調節できるその他の温度調節装置４０を有することが分かる。さらに、吸着及び脱着モードでは必要に応じて異なる流体通路に切替えできる弁装置２０が導管系１３内に想定されている。
【０１７７】
吸着モードでは、まず、エタノール含有率が０容積％〜５０容量％の香気含有水性流体を、入口１６から第１作業室１２ａにポンプ搬送する。その際、温度調節装置４０ａによって、第１作業室１２ａを、例えば、温度４０℃以上に加熱する。すでに部分脱香気された流体は第１作業室１２ａの下流で、例えば、温度２５℃以下に冷却され、第１作業室１２ａよりも容量が大きく、従って、吸着量が多く、結合能力も高い第２作業室１２ｂ内に達し、その結果、吸着性の劣る香気成分、例えば、２−フェニルエタノール及び３−メチルブタン−１−オールも確実に吸着される。第２作業室１２ｂの後に、脱香気水性透過物は出口１８から除去され、廃棄されるか、又は、その香気が変化してはならない食品及び嗜好品の製造に使用できる。
【０１７８】
続いて、吸着システム１０を脱着モードで運転して、脱着させられた香気成分を香気成分濃縮物として回収する。このため、入口１６’から、例えば、エタノール、水又はその混合物又はグラジエントとできる第１脱着剤を第２作業室１２ｂ内に導入する。５０容量％超、特に９５容量％超の高い水の割合が１００容量％を含めて好ましい。脱着剤は、入口１６’の下流に配置された温度調節装置４０によって温度調節でき、温度は脱着剤の組成に応じて選択される。通常は、３０℃超の温度に調節する。その場合、脱着剤が水蒸気を含むか、又は水蒸気となるように、温度を７０℃〜１００℃の間又は１２０℃以上の値に調節することを想定し得る。代替的に、例えば、圧力約２バールで脱着剤に圧力をかけ、温度１２０℃の流体水を脱着剤として使用できる。
【０１７９】
第２作業室１２ｂをポンプ流通させられる脱着剤容量は、長さ約２ｍ〜約４ｍの第２作業室の内部容量の約５〜２０倍である。
【０１８０】
その場合、温度を脱着中に変えること、特に、連続的又は段階的に上昇させることを想定できる。これによって、分離効果の増大と、低温時における易脱着性香気成分、例えば、アルコール（Ｃ３〜Ｃ６）又は酢酸エチルの、又は、低ｌｏｇ Ｐｏｗ（ｌｏｇ Ｐｏｗ＜２．０）の香気成分の選択的脱着と、続いて、高温時における、例えば、ｌｏｇ Ｐｏｗ＞２．０の長鎖エステル及び香気成分のような非極性化合物の溶出が可能になる。
【０１８１】
さらに、１つの実施形態では、弁装置２０は概略表示という理由から不図示の制御装置によって切替えられ、その結果、脱着させられた香気成分と共に富化された脱着剤は、一部又は全部が、第１香気成分濃縮物として出口１８’から取出され、それに応じて、第１作業室１２ａを全く又は完全には導通させられない。さらに、出口１８’の領域内に配置された温度調節装置４０によって、香気成分濃縮物を冷却して、万が一の香気損失の防止を想定できる。
【０１８２】
第１作業室１２ａ内で収着された香気成分を脱着するため、もう１つの脱着剤を入口１６”から導入し、第１作業室１２ａをポンプ流通させ、出口１８”を介して別の香気成分濃縮物として吸着システムから除去する。このもう１つの脱着剤は、例えば、エタノール、水、又はそれらの組合せ、又はグラジエントとされ、さらに、エタノールの割合は５０容量％超、特に６５容量％〜９６容量％又はそれ以上が好ましい。脱着剤の容量は、長さ２ｍ〜４ｍの第１作業室１２ａの内部容量の約１〜３倍である。
【０１８３】
第１香気成分濃縮物及び別の香気成分濃縮物は捕集され、その後、一部又は全部を合流させて、さらに、完全な合流によって、元の流体の香気全体が少なくともほぼ完全に回収される。代替的に、第１香気成分濃縮物と別の香気成分濃縮物を相互に独立して使用又は後続処理して、香気プロファイルを修正できる。それと共に、吸着システム１０の２段階方式によって、特定の香気成分又は香気成分群の特異的な富化又は減損のための付加的な可能性が生じることになる。
【０１８４】
第２作業室１２ｂ内における難収着性香気成分を脱着するための水の適用はエタノールの節約となり、香気成分の富化を向上させ得る。逆に、易収着性香気成分を脱着するため、第１作業室１２ａ内におけるエタノール又は高エタノール含有割合を脱着剤の適用によって、これらの香気成分は完全に脱着させられるが、これは純水ではほんの一部にしか成功しないことが多く、大容量が必要となる。さらに２段階方式によって可能になるのは、特に大きな富化係数の達成である。作業室１２ａだけでは、一方では、多量の出発容量の香気成分含有流体を経済的に合理的な時間内に受取れないことが多く、同時に、得られるエキス容量も微量である。例えば、３０００倍の富化の場合は、一方では、約３０００リットルに吸着システム１０を導通させねばならないが、しかし、取得される香気成分濃縮物は僅か約１リットルに過ぎない。
【０１８５】
熱水又は水蒸気の使用は高温法とも呼ばれる。それにより、有機溶剤の取扱いに関する全ての技術的問題、例えば、食品及び飲料業界において使用する場合の引火性、爆発の危険、健康障害、環境負荷、廃棄物処理及び規制限界のような問題がなくなる。通常は、ソーベントに結合した香気成分を遊離させるには、有機溶剤が使用される。ソーベントの全ては、通常の分析的適用及び様々な工業工程はこの原則に従っている。しかし、同時に熱を適用しつつ脱着に水を適用することで、収着剤への香気成分結合を終わらせられる。それと共に、有機溶剤、特に、エタノール使用の必然性もなくなる。個別事例において、非極性香気成分が先に溶出するという意味で脱着を制御するため、微量の有機脱着剤の混合を検討することができる。通常、低Ｐowの極性香気成分が高Ｐowより迅速に脱着させられる。多くの食品及び嗜好品中に発生する極性香気成分の例としては、２−メチルプロパン−１−オール、２−メチルブタン−１−オール、３−メチルブタン−１−オール、酢酸エチル及び２−フェニルエタノールがある。多くの場合、ソーベントを低温（０〜３０℃）で装入し、相応したずっと高温（８０℃〜１００℃）で排出するのが有利である。脱着剤として水を使用した場合、得られる香気成分濃縮物は殆ど又は完全にエタノールを含んでおらず、その結果、得られた水相香気を任意の量で脱アルコールワインに戻せることから、香気成分濃縮物を、アルコール含有率＜０．０４５容量％のノンアルコールワインの香気付け又は再香気付けに特に好適に使用できるという付加的な利点がある。すなわち、好ましくは、香気成分濃縮物中の全ての香気成分は、香気成分含有流体と比べて、少なくともエタノール含有率に関して、好ましくは、容量に関しても、つまり、その濃度が、富化されている。この意味において、エタノールは香気成分ではないと理解される。
【０１８６】
吸着及び／又は脱着モードにおける固形物、酸及び／又は塩基の添加もさらに可能である。これによって、塩又は流体及び／又は脱着剤中に溶解したその他の固形物によるｐＨ値の制御及び収着能力が向上する。これら添加物の一時的な添加によって、望ましい効果を特異的に弱め、それによって制御ができる。従って、特定の香気成分を特異的に富化又は減損することができ、例えば、ｐＨ値８超を使用した場合、又は、有機酸が脱着形態で存在する場合、通常は有機酸の全部又は大部分を収着することはできない。逆に、約５未満へｐＨ値を調整することで、アミノ化合物の全部又は大部分を収着することはできない。ｐＨ値の調整によって、流体の、例えば、ニコチンの特定成分の特異的な減損が可能になる。
【０１８７】
吸着システム１０の代わる運転方法において、脱着モードでは、まず第２作業室１２ｂには脱着剤として熱水が当てられる。第２作業室１２ｂから第１作業室１２ａへの移行部では、香気成分富化済みの熱水が冷却され、第１作業室１２ａ内に導入される。それによって、吸着モード又は収着相中には設備の第２作業室１２ｂ内に移動できた香気成分の第１作業室１２ａ内での富化が達成される。
【０１８８】
続いて、第１作業室１２ａ内で収着させられた全ての香気成分の脱着が、エタノール又はその他の適当な脱着剤又は脱着剤混合物又はグラジエントによって行われる。この方法によって、続いて、相応する高香気成分濃度のエキスに転化可能な比較的小容量の香気成分の特に高い濃度を達成できる。
【０１８９】
図２７は、原則的には任意選択で、吸着システム１０の第２富化段階とも呼べる本発明による高濃縮装置４２の原理図である。高濃縮装置４２は、高濃縮装置４２の吸着モードで第１富化段階の香気成分濃縮物を導入するための入口１６を含む。第１富化段階がここに記述した２又は多段階方式の場合、香気成分濃縮物は、第１富化段階全ての発生香気成分（部分）濃縮物の合流により得られる。代わりに、第２富化段階の出発点として、第１富化段階の香気成分濃縮物又は香気成分（部分）濃縮物のごく一部、又はそれら特定の混合物を使用できる。代替的又は付加的に、まず第１香気成分濃縮物のエタノール含有率を、例えば、２．５容量％〜１７容量％の間の値に調整可能である。これは、選択的に、エタノール及び／又は水の、特に，醸造水の添加によって行える。これにより、必要時には、収着剤へ特定した香気成分の吸着を改善できる。
【０１９０】
香気成分濃縮物は、その後、温度調節装置４０ｃによって温度０℃〜３０℃の間に調節され、収着剤を充填され、原則的には抽出パイプとも呼ばれる作業室１２ｃを導通させられる。脱香気透過物は、その後に出口１８から導出され、上記のように、廃棄又は後続処理できる。
【０１９１】
脱着モードでは、脱着剤、例えば、エタノール、水又は水蒸気又はそれら任意の混合物に、入口１６’から、逆方向に、温度６０℃超に調節された作業室１２ｃを導通させ、その結果、出口１８’から、好ましくは、全ての香気成分は第１香気成分濃縮物と比べて、少なくともエタノール含有率に関して、好ましくは、容量に関しても、つまり、その濃度が、富化されている第２香気成分濃縮物を捕集できる。出口１８’の領域には、第２香気成分濃縮物を冷却して、香気プロファイルの望ましくない変化を防止できる原則的には任意選択の温度調節装置４０が配置されている。
【０１９２】
弁装置２０と、温度調節装置４０と、作業室１２ｃ内の収着剤への流体の衝突は、吸着システム１０の概略表示という理由から図示していない制御装置によって、制御又は調節される。高濃縮装置４２の場合も、吸着及び／又は脱着モードにおいて、固形物、酸及び／又は塩基を添加できる。これにより、塩又は流体及び／又は脱着剤中に溶解したその他の固形物によるｐＨ値の制御及び収着能力が向上する。これら添加物を一時的に添加することにより、望ましい効果を特異的に弱めることで制御できる。従って、特定の香気成分を特異的に富化又は減損することができ、例えば、ｐＨ値８超を使用した場合、又は、有機酸が脱着形態で存在する場合、通常は有機酸の全部又は大部分は収着させられない。逆に、約５未満のへのｐＨ値の調整によって、アミノ化合物の全部又は大部分は収着させられない
【０１９３】
高濃縮装置４２の利点は、確かにその構造は吸着システム１０の第１富化段階と同じ又は類似しているが、しかし、作業室１２ｃはサイズ縮小が可能であり、場合により別の収着剤を使用できる。それと共に、極性香気成分を回収しつつ、非常に高濃縮された（流体に関して２００倍以上の）香気成分濃縮物を製造できる。
【０１９４】
収着剤によって結合させられる香気成分には結合度の違いがある。さらに、収着剤の能力は香気成分ごとに特徴的で、違いがある。香気成分含有流体と共に収着剤を装入している間は、香気成分はその量及び特性に応じてソーベント床内への侵入深さが異なるか、又は、異なる強度でソーベント床に収着される。この理由から、特に、発酵によって得られるワインのような食品及び嗜好品の特性にとって重要である香気成分がソーベント床中に深く侵入する。香気成分の完全な回収を保証し、装入相中の香気成分の化学変化を避けるために、本発明によれば、適当な長さを有するが、同時に比較的薄いか、又は狭いソーベント床が利用可能となる。ソーベント床の正確な長さは、標準的テストによって、重要な香気成分の種類及び量に関する要求事項に適合させる。ワインの場合は、特に、２−メチルブタン−１−オール、３−メチルブタン−１−オール、２−メチルプロパノール及び酢酸エチルが、真正な香気プロファイルを達成するため、味覚上の理由から回収せねばならない重要な香気成分である。
【０１９５】
市販の抽出セルは、最大長が数センチメートルから約１ｍであったことから、極性及び非極性香気成分の同時回収は、これまで技術的に不可能であった。さらに、この床高は、大きな濃縮係数により真正の複製品の望ましい効果を達成するには決して十分ではなかった。それとは違って、本発明による吸着システム１０を用いて、非極性香気成分と共に、例えば、２−メチルブタン−１−オール、３−メチルブタン−１−オール、２−メチルプロパノール及び酢酸エチル（Ｌｏｇ Ｐow＝０．７３）のような強力な極性香気成分を１００％まで回収可能である。
【０１９６】
特に、３００倍以上までの富化用の大容量の第１富化段階及び１０倍以上までの小さな第２富化段階内の高濃縮装置４２を使用する上記の２又は多段階法を適用することによって、第１に、極性香気成分を同時に回収しつつ大きな濃縮係数を達成することができ、第２に、例えば、ｐＨ値に関して第２富化段階用の出発材料を調整し、それによって、場合により、脱プロトン化又はプロトン化形態で望ましくない香気成分（例えば、酸、アミン、硫化物等）に収着剤を迂回させ、それらの香気成分を透過物と共に処理できる。それによって、第１工程段階の出発材料に対してかかるｐＨ調整を必ずしも行う必要がなくなり、第１富化段階の透過物をその真正な組成で、他の用途に、例えば、アルコール飲料用のエタノールベースとして供給できる。
【０１９７】
相応する薄いパイプを使用しなければならず、結果として、装入時間が比較的高い圧力差を伴って相応して長くなることから、２又は多段階方式のもう１つの利点は、高濃縮の場合の工程時間を単一の作業室１２を備えた吸着システム１０の比較可能な工程時間よりも短縮できることにある。さらに、かかる設備においては、特に極性香気成分がソーベント床を通過するのに非常に長い時間を要し（クロマトグラフィ効果）、その結果、床高をさらに高くする必要性が生じる。
【０１９８】
熱水による回収の利点は、エタノールによる回収と比べると、特にアルコール含有率０．０容量％のワイン用の香気成分濃縮物（香気成分エキス）の製造時に大きいものとなる。すなわち、混合時にはエタノール量を厳しく管理することは困難である。比較的薄いパイプを通っている長い収着路が、特に（熱）水又は水蒸気による香気成分脱着の適用時にも有利であるのは、長く、薄い作業室１２の方が短く、厚い作業室１２よりもはるかに迅速に温度調節が可能なことによる。
【０１９９】
通常は、アルコール含有率がエタノール０．５容量％未満の食品及び嗜好品を、ノンアルコールであると理解されたい。これらの食品及び嗜好品の場合、例えばアルコール含有率０．４容量％を出発点として、限度０．５容量％を超えずに、比較的大容量の香気成分濃縮物を添加できることから、富化係数の比較的小さいエタノール香気成分濃縮物も香気付けに使用できる。しかし食品及び嗜好品のアルコール含有率が０．１容量％又は０．０容量％とすると、実際のアルコール含有率はさらにもっと低く、例えば、エタノールを０．０４５容量％未満としなければならず、これは技術に対する要求事項を大幅に高めることになる。本発明による特に長く、同時に比較的薄いソーベント床の使用がなければ、官能関連量の香気成分の同時回収時にこの要求事項を満たすことはできない。相応して長く、比較的薄いソーベント床の使用がなければ、例えば、（熱）水又は水蒸気による脱着時には、確かにエタノールの必要残留含有率は簡単に達成できるが、しかし重要な極性香気成分の回収は達成できず、それによって、真正な香気プロファイルは得られないであろう。逆に、従来の短く、厚い抽出セル及び脱着剤としてエタノールを使用する場合は、最終製品における望ましい低アルコール含有率０．１容量％以下は最初から実現することはできない。
【０２００】
図２８は、本発明のもう１つの実施例による吸着システムの原理図であり、弁装置２０は概略表示という理由から図示していない。吸着システム１０は１段階構造であり、収着剤を充填された温度調節可能な作業室１２を１つしか含んでいない。吸着モードでは、エタノール含有率０〜４０容量％の香気成分含有流体を入口１６から導管系１３内に搬入し、０℃〜３５℃に温度調節された作業室１２を導通させる。脱香気透過物は出口１８から搬出する。脱着モードでは、５０℃〜１００℃に温度調節された脱着剤（例えば、水）を入口１６’から導管系１３内に搬入し、逆流動方向に作業室１２を導通させる。温度は、場合により、脱着工程中に上昇させることができる。得られる香気成分濃縮物は、出口１８’の領域内の温度調節装置４０によって予冷する。その場合、２つ以上の画分を捕集し、特殊な方法で、つまり、１つ又は複数の画分の少なくとも一部を廃棄することによって混合して、香気成分濃縮物の香気プロファイルを調整することを想定できる。
【０２０１】
この場合も、吸着及び／又は脱着モードにおける固形物、酸及び／又は塩基が添加可能である。これによって、塩又は流体及び／又は脱着剤中に溶解したその他の固形物によるｐＨ値の制御及び収着能力が向上する。これら添加物の一時的な添加によって、望ましい効果を特異的に弱め、それによって制御できる。従って、特定の香気成分を特異的に富化又は減損することができ、例えば、ｐＨ値８超を使用した場合、又は、有機酸が脱着形態で存在する場合、通常は有機酸の全部又は大部分を収着させることはできない。逆に、約５未満へのｐＨ値の調整によって、窒素含有有機化合物の全部又は大部分を収着させることはできない。
【０２０２】
図２９は、本発明による吸着システム１０のもう１つの実施例の原理図である。吸着システム１０の構造は大部分が図２６に示した実施例の構造と同じである。図２６に示した実施例とは違って、第１作業室１２ａは浸漬浴内に配置されていないか、又は、温度調節装置４０を備えていない。図２６に示した実施例とは違って、作業室１２ａから出る香気成分濃縮物は、脱着モードでは、選択的に出口１８’又は出口１８”から取出される。これによって簡単な香気付けが可能になり、例えば、主としてエタノール溶出液は作業室１２ａの開始部から出口１８”を介して、主として水性溶出液は作業室１２ａの終了部から出口１８’を介して取出すこと、又はその逆を行うことができる。異なる構造的変形例が考えられるのは明白である。
【０２０３】
図３０は、本発明による吸着システム１０を使用して香気を有する香気成分濃縮物を製造する工程順序の簡略フローチャートである。第１ステップ５０では、香気成分含有水性流体を用意し、ステップ５２では、収着剤を充填された第１作業室１２を導通させる。任意選択で、ステップ５４では、第１作業室１２の下流に位置する１つ又は複数の作業室１２に流体を貫流させることができる。ステップ５６では、部分又は完全脱香気透過物が得られ、この透過物は廃棄するか、又は別の目的で使用できる。ステップ５８では、１つ又は複数の脱着剤、脱着剤混合物及び／又は脱着剤グラジエントを用意し、１つ又は複数の作業室内で収着剤に吸着されている香気成分の脱着のために使用する。これによって、ステップ６０では、又は、任意選択で、６２でも、それぞれ１、２、３、４、５、６、７、８、９、１０又はそれ以上の画分の形で捕集できる１つ又は複数の香気成分濃縮物が得られる。ステップ６４では、１つ、複数又は全ての画分に対して、高濃縮装置４２を用いる原則的には任意選択の高富化を行うことができる。かかる高富化の結果は、ステップ６６で分離される透過物、並びに、ステップ６８で捕集される第２香気成分濃縮物である。その場合、好ましくは、第２香気成分濃縮物中の全ての香気成分は、第１香気成分濃縮物（ステップ６０及び／又は６２）と比べると、少なくともエタノール含有率に関して、さらには、容量に関しても、その濃度が、富化されている。この意味において、エタノールは香気成分でないと理解される。代わりに、多くの香気成分を特異的に減損させて、例えば、異臭を除去するか、又は、香気成分濃縮物と混合すべき食品及び嗜好品の既存の香気プロファイルを最適に考慮することができる。脱着挙動の調整のための１つの可能性が、溶性成分の添加及び／又はｐＨ値の調整又は変更である。これは、アスタリスクを付けたステップ中又はその前に相互に独立して行うことが可能であり、この場合、任意の組合せを想定しておける。
【０２０４】
図３１は、タバコから香気成分濃縮物を製造する工程順序の簡略フローチャートである。この方法によって、同時にニコチン成分を除去又は特異的に低減しつつ、真正な香りのタバコ香気を取得することが可能になる。原則的には、本発明による吸着システム１０によって、タバコから取得された流体のニコチン含有率を５０％以上、例えば、５０％、５１％、５２％、５３％、５４％、５５％、５６％、５７％、５８％、５９％、６０％、６１％、６２％、６３％、６４％、６５％、６６％、６７％、６８％、６９％、７０％、７１％、７２％、７３％、７４％、７５％、７６％、７７％、７８％、７９％、８０％、８１％、８２％、８３％、８４％、８５％、８６％、８７％、８８％、８９％、９０％、９１％、９２％、９３％、９４％、９５％、９６％、９７％、９８％、９９％、１００％低減することが可能である。さらに、一般的には、燃焼又は蒸発時に望ましくない残渣又はタールと結合しやすい溶性固形物の除去が可能である。
【０２０５】
第１ステップ７０では、流体として、場合により発酵させたタバコの葉からのエキスが製造される。このエキスは、例えば、水、エタノール又はエタノール・水混合物によって製造することができ、ジクロロメタン、テトラクロロ炭素、ジエチルエーテル、ジメチルスルホキシド、トルオール等のような異なる抽出剤を個別及び任意の組み合わせで用意できる。基本的には任意選択のステップ７２では、流体のｐＨ値及び／又は含水率を調整することができる。続いて、ステップ７４では、同様に原則的には任意選択のろ過（ナノろ過）又は蒸留を行って、難揮発性、難溶性又は強着色性化合物を流体から分離する。分離化合物はステップ７６で捕集され、廃棄又は別途使用できる。ｐＨ値調整を実施済みの場合は、元々存在していたニコチンの少なくとも一部をこのステップで分離できる。
【０２０６】
得られる香気成分含有流体はステップ７８で捕集し、香気成分濃縮物の製造のために使用する。その場合、同様に原則的には任意選択のステップ８０で、流体のｐＨ値及び／又は含水率を再調整することができる。一般的には、流体のｐＨ値調整によって、ニコチン含有率を最大５０％に、従って、例えば、５０％、４９％、４８％、４７％、４６％、４５％、４４％、４３％、４２％、４１％、４０％、３９％、３８％、３７％、３６％、３５％、３４％、３３％、３２％、３１％、３０％、２９％、２８％、２７％、２６％、２５％、２４％、２３％、２２％、２１％、２０％、１９％、１８％、１７％、１６％、１５％、１４％、１３％、１２％、１１％、１０％、９％、８％、７％、６％、５％、４％、３％、２％、１％、０．１％又はそれ以下まで下げることができ、その結果、完全にニコチンフリーでありながら、真正なタバコ香気も有する香気成分濃縮物を得ることができる。
【０２０７】
ステップ８２では、流体を、本発明による吸着システム１０によって、ステップ８４で捕集した香気成分濃縮物と、ステップ８６で捕集した香味成分減損透過物とに分離する。このため、タバコ香気含有流体に、上記のように、収着剤を充填した第１作業室１２ａを導通させる。その他の作業室１２も用意しておける。ｐＨ値の任意選択調整によって、ニコチンの収着を選択的に妨げ、それによって、収着剤に吸着されたタバコ香気からニコチンを分離し、透過物と共に捕集することができる。
【０２０８】
吸着された香気成分は、次のステップにおいて、脱着剤としての（場合により、熱）水だけによって脱着させられる。続いて、作業室１２ａ内の収着剤には、脱着剤としてのエタノールを当てる。すなわち、水・エタノール段階グラジエントを脱着剤として使用する。得られた脱着物（水・エタノール）は少なくとも基本的には２つの画分に分離して捕集する。香気成分濃縮物の水による脱着分は、任意の対象物又は食品及び／又は嗜好品に香気付けのさらなる処理なしで、いわゆる電子タバコ用リキッドの製造に使用される。
【０２０９】
香気成分濃縮物のエタノールによる脱着分は、場合により、水で所定のエタノール含有率に希釈し、高濃縮装置４２に供給できる。そこでは、第１エタノール香気成分濃縮物を収着させ、続いて、エタノールによる脱着によって、相応してエタノール含有率の高い第２香気成分濃縮物として富化する。２０００以上までと濃縮係数が大きいために、相応する高濃縮香気成分濃縮物が得られる。代替的又は付加的に、高濃縮装置４２についても、場合により熱水及び／又は水蒸気によって、脱着を行って、エタノールフリーの香気成分濃縮物を得ることができる。この方法を用いることで、特に、非極性かつ難収着性ではあるが、熱水を用いれば易脱着性となる香気成分を１つのステップで十分量を得ることができ、一方、易収着性非極性香気成分は高富化段階において最も多量に得られる。それによって、すでに高富化段階前に、難収着性香気成分を最も多量に除去し、その結果として、このステップにおいて消失することもなくなる。それによって、さらに、高富化用の高濃縮装置４２に必要な設備サイズを最小限にし、それに対応して富化係数の上昇を達成することが実現する。第１及び第２香気成分濃縮物ないしはその画分を任意の比率でさらに混合して、望ましい香気プロファイルを作り出せる。
【０２１０】
代替的に、香気成分濃縮物は、上記実施例の１つにかかる吸着システム１０によって、タバコから得ることが可能な流体から製造することができ、その都度、運転パラメータに応じて、１．０１~３０００又はそれ以上の濃縮係数が、流体中に存在する個々の香気成分又は香気成分の大部分について可能である。
【０２１１】
本発明によってタバコから製造した香気成分濃縮物は、天然タバコ香気の製造、フレーバー又は香りとしての一般的使用、及び、特に、タバコ類及びタバコ製品の香気付け、並びに、電子タバコ又は類似の喫煙製品の香気付けに使用できる。特に有害物質（とりわけ、ニコチン及びタール）を香気成分濃縮物から分離できるという理由から、喫煙者及び受動喫煙者の健康リスクの有利な低減を達成することができる。
【０２１２】
本発明対象の固有の特性を特徴付けるため、工程及び測定条件を定義するため明細書に表示したパラメータ値は、−例えば、測定エラー、システムエラー、定量エラー、ＤＩＮ公差等に基づく−偏差の範囲内においても、同時に本発明の範囲内に含まれると見なされる。
【図１】
2018534049.tif 000010
【図２】
2018534049.tif 000011
【図３】
2018534049.tif 000012
【図４】
2018534049.tif 000013
【図５】
2018534049.tif 000014
【図６】
2018534049.tif 000015
【図７】
2018534049.tif 000016
【図８】
2018534049.tif 000017
【図９】
2018534049.tif 000018
【図１０】
2018534049.tif 000019
【図１１】
2018534049.tif 000020
【図１２】
2018534049.tif 000021
【図１３】
2018534049.tif 000022
【図１４】
2018534049.tif 000023
【図１５】
2018534049.tif 000024
【図１６】
2018534049.tif 000025
【図１７】
2018534049.tif 000026
【図１８】
2018534049.tif 000027
【図１９】
2018534049.tif 000028
【図２０】
2018534049.tif 000029
【図２１】
2018534049.tif 000030
【図２２】
2018534049.tif 000031
【図２３】
2018534049.tif 000032
【図２４】
2018534049.tif 000033
【図２５】
2018534049.tif 000034
【図２６】
2018534049.tif 000035
【図２７】
2018534049.tif 000036
【図２８】
2018534049.tif 000037
【図２９】
2018534049.tif 000038
【図３０】
2018534049.tif 000039
【図３１】
2018534049.tif 000040
【国際調査報告】
2018534049.tif 000041
2018534049.tif 000042
2018534049.tif 000043
2018534049.tif 000044
2018534049.tif 000045
2018534049.tif 000046